(57)【特許請求の範囲】
【請求項１】
環境センサと、ムードセンサ、心拍モニタ、血圧モニタ、パルス酸素濃度計又は加速度計のうちの１以上とを含む複数のセンサからの１以上のデータストリームであって、前記環境センサからの環境に関するデータと、前記ムードセンサからの人のムードに関するデータ、前記心拍モニタからの人の心拍データ、前記血圧モニタからの人の血圧データ、前記パルス酸素濃度計からの人のパルス酸素濃度データ又は前記加速度計からの人の加速度データのうちの１以上とを含む１以上のデータストリームにアクセスする手段であって、前記１以上のデータストリームからの第一のデータセットは、第一の時間で人から収集され、前記第一のデータセットにおける前記環境に関するデータは、第一の時間での第一の状態を示し、前記１以上のデータストリームからの第二のデータセットは、第二の時間で前記人から収集され、前記第二のデータセットにおける前記環境に関するデータは、第二の時間での第二の状態を示す、手段と、
人のストレスモデルにアクセスする手段と、
前記第一のデータセットと前記第二のデータセットとを互いに関して分析する手段と、
前記ストレスモデルに関する前記第一のデータセットと前記第二のデータセットとの互いに関する分析に基づいて、人の現在のストレス指数を決定する手段と、
を備えるシステム。
【請求項２】
前記第一のデータセットと前記第二のデータセットとを互いに関して分析するステップは、前記人のムードに関するデータ、前記人の心拍データ、前記人の血圧データ、前記パルス酸素濃度データ又は前記人の加速度データのうちの１以上と、前記環境に関するデータとの相互関係を識別する、
請求項１記載のシステム。
【請求項３】
前記環境センサは、気圧計、気象センサ、花粉カウンタ、位置センサ、地震計、高度計、比重計、デシベル計、露出計、温度計、風センサ及び交通センサからなるグループから選択される、
請求項１記載のシステム。
【請求項４】
前記環境センサは、データフィードである、
請求項１記載のシステム。
【請求項５】
前記データフィードは、株式市場のティッカー、天気予報、ニュースフィード、最新の交通情報、公衆衛生の掲示、電子カレンダー、及び社会ネットワークのニュースフィードからなるグループから選択される、
請求項４記載のシステム。
【発明の詳細な説明】
【技術分野】
【０００１】
本発明は、センサ、及び個人の健康を監視及び分析するセンサネットワークに関する。
【背景技術】
【０００２】
センサネットワークは、分散された自律センサを含む。センサネットワークの使用は、限定されるものではないが、軍事用利用、産業用プロセスの監視及び制御、機械の健康の監視、生活環境の監視、公共サービスの使用、ヘルスケア及び医療の応用、ホームオートメーション、及びトラフィック制御を含む。センサネットワークにおけるセンサには、通信インタフェース、コントローラ、及び（バッテリのような）エネルギー源が一般的に設けられている。
【０００３】
一般的に、センサは、物理量を測定し、測定された物理量を観察者又は機器が読み取ることができる信号に変換する。例えば、水銀温度計は、測定された温度を目盛り付きのガラス管で読み取ることができる液体の伸縮に変換する。熱電温度計は、温度を電圧計が読み取ることができる出力電圧に変換する。正確さのため、センサは、一般に、公知の標準に対して較正される。
【発明の概要】
【発明が解決しようとする課題】
【０００４】
ストレスを検出及び管理することは、現代の医学において重要な問題である。実際に、多くの医師は、ストレス及びストレスに関連する症状は、死の主な原因であると説明する。結果的に、ある人におけるストレスをモデル化、測定及び監視する方法及びシステムは、大きな健康上の利益を提供するものである。
【図面の簡単な説明】
【０００５】
【図１】例示的なセンサネットワークを示す図である。
【図２Ａ】センサネットワークにおける例示的なデータフローを示す図である。
【図２Ｂ】例示的なセンサを示す図である。
【図３】センサ入力に基づいてユーザの問合せをトリガする例示的な方法を示す図である。
【図４】人から心理的及び行動的なデータを収集する例示的なセンサを示す図である。
【図５】人から心理的及び行動的なデータを収集する例示的な方法を示す図である。
【図６Ａ】例示的なデータ収集システム、データ収集システムからの／データ収集システムへのデータフローを示す図である。
【図６Ｂ】例示的なデータ収集システム、データ収集システムからの／データ収集システムへのデータフローを示す図である。
【図７Ａ】データ収集システムを例示する図である。
【図７Ｂ】データ収集システムを例示する図である。
【図８】センサからのデータストリームを収集する例示的な方法を示す図である。
【図９】腎臓のドップラ超音波法を使用してストレスプロファイルを作成する例示的な方法を示す図である。
【図１０】腎臓のドップラ超音波法により作成されたストレスプロファイルを使用してストレスを監視する例示的な方法を示す図である。
【図１１】心理的及び行動的なデータを使用してストレスを監視する例示的な方法を示す図である。
【図１２】加速度計のデータを使用してストレスを監視する例示的な方法を示す図である。
【図１３】環境的なデータを使用してストレスを監視する例示的な方法を示す図である。
【図１４】ストレッサのストレス度を計算する例示的な方法を示す図である。
【図１５】治療のストレス度を計算する例示的な方法を示す図である。
【図１６】例示的なコンピュータシステムを示す図である。
【図１７】例示的なネットワーク環境を示す図である。
【発明を実施するための形態】
【０００６】
［センサネットワーク］
図１は、例示的なセンサネットワーク１００を示す。センサネットワーク１００は、センサアレイ１１０、分析システム１８０、及びディスプレイシステム１９０を備える。センサネットワーク１００は、センサデータの収集、処理、分析、共有、可視化、表示、アーカイブ及びサーチを可能にする。センサアレイ１１０におけるセンサ１１２により収集されたデータは、センサネットワーク１００の計算リソースを使用して処理及び分析され、センサネットワーク１００の記憶リソースを使用して記憶される。これは、中央集約された計算及び記憶リソース並びに分散された計算及び記憶リソースの両者により行われる。センサネットワーク１００は、異種のセンサデータ、及び広域に配置される計算リソースを統合する。センサネットワーク１００は、生理的、心理的、行動的及び環境的な監視及び分析のような様々なタスクを開始するために使用される。
【０００７】
センサアレイ１１０は、１以上のセンサ１１２を備える。センサ１１２は、刺激を受け、受けた刺激をデータストリームに変換する。センサアレイ１１０におけるセンサ１１２は、同じタイプのセンサ（例えば多数の温度計）であるか、又は様々なタイプのセンサ（例えば温度計、気圧計及び高度計）からなる場合がある。センサアレイ１１０は、１以上の刺激に基づいて、１以上のデータストリームを適切なネットワークを通して１以上の分析システム１８０に送信する。特定の実施の形態では、センサ１１２の組み込みプロセッサは、例えば分析システム１８０又はディスプレイシステム１９０のようなセンサネットワーク１００の他のコンポーネントによっても実行される所定の計算アクティビティを実行する。
【０００８】
本明細書で使用されるとき、センサアレイ１１０におけるセンサ１１２は、被験者に関して記載される。従って、センサ１１２は、被験者に関して私的なものであるか又は遠隔的なものである場合がある。パーソナルセンサは、被験者からの刺激又は被験者に関連する刺激を受ける。パーソナルセンサは、（例えば心拍数モニタ、スマートフォンへの被験者による入力といった）被験者に取り付けられているか又は被験者により運ばれるセンサ、（例えば被験者が位置する部屋における温度計といった）被験者の近くにあるセンサ、又は（例えば被験者のGPSの位置、被験者の医師による医学報告、被験者の電子メールの受信箱といった）被験者に関連するセンサを含む場合がある。リモートセンサは、被験者にとって外部の刺激又は被験者に直接関連しない刺激を受ける。リモートセンサは、例えば、（例えば気象観測気球、株式市場のティッカーといった）環境センサ、（例えばニュースフィードといった）ネットワークのデータフィード、又は外部情報に関連するセンサを含む。センサ１１２は、状況に依存してパーソナルセンサ及びリモートセンサの両者である場合がある。例として限定されるものではないが、被験者が特定の人物である場合、被験者が在宅の間は被験者の家における温度計は、パーソナルセンサと考えられるが、被験者が在宅でないときにはリモートセンサと考えられる。別の例として限定されるものではないが、被験者が家である場合、人が在宅又は不在であるかに係らず、家における温度計はパーソナルセンサであると考えられる。
【０００９】
センサアレイ１１０は、１以上のデータ収集ノード１１４を更に備える。ノード１１４は、センサアレイ１１０における１以上のセンサ１１２からの１以上のデータストリームにアクセスする、次いで、ノード１１４は、センサ１１２からの１以上のデータストリームを監視、記憶及び分析する。特定の実施の形態では、ノード１４は、複数のセンサ１１２からの複数のデータストリームを同期させる。ノード１１４は、センサ１１２から受信された１以上のデータストリームに基づいて１以上のデータストリームを適切なネットワークを通して１以上の分析システムに送信する。特定の実施の形態では、ノード１１４の組み込みプロセッサは、例えば分析システム１８０又はディスプレイシステム１９０のようなセンサネットワーク１００の他のコンポーネントによっても実行される所定の計算アクティビティ（例えば画像及び信号処理）を実行する。特定の実施の形態では、ノード１１４は、１以上のセンサ１１２からの１以上のデータストリームを分析して、１以上のデリバティブデータストリームを生成し、このデリバティブデータストリームは、同期、変更、記憶、送信及び分析される場合がある。
【００１０】
分析システム１８０は、センサアレイ１１０からの１以上のデータストリームを監視、記憶及び分析する。分析システム１８０は、ローカル１２０、リモート１５０又はこれらの両者であるサブコンポーネントを有する。ディスプレイシステム１９０は、分析システム１８０の出力に基づいて、１以上のユーザについてレンダリング、可視化、表示、メッセージの伝達及び公表を行う。ディスプレイシステム１９０は、ローカル１３０、リモート１４０又はこれらの両者であるサブコンポーネントを有する。
【００１１】
本明細書で使用されたとき、センサネットワーク１００の分析及び表示コンポーネントは、センサ１１２に関して記載される。従って、コンポーネントは、センサ１１２に関してローカルにあるか又はリモートにある場合がある。ローカルコンポーネント（すなわちローカル分析システム１２０、ローカル表示システム１３０）は、センサ１１２に内蔵されるか又はセンサ１１２の近くにあるコンポーネントを含む。例として限定されるものではないが、センサ１１２は、統合されたコンピューティングシステム、並びにローカル分析システム１２０及びローカル表示システム１３０として機能するLCDモニタを含む。リモートコンポーネント（すなわちリモート分析システム１５０、リモート表示システム１９０）は、センサ１１２の外部にあるか又はセンサ１１２と独立のコンポーネントを含む。別の例として限定されるものではないが、センサ１１２は、医療施設にあるリモートサーバにネットワークを通してデータストリームを送信し、この医療施設では、専用のコンピューティングシステム及びモニタは、リモート分析システム１５０及びリモートディスプレイシステム１９０として機能する。特定の実施の形態では、センサアレイ１１０におけるそれぞれのセンサ１１２は、ローカル又はリモート表示及び分析コンポーネント、又はこれらの両者を利用する。特定の実施の形態では、ユーザは、センサアレイ１１０における１以上のセンサ１１２からのデータストリームを選択的にアクセス、分析及び表示する。これは、例えば、特定のアプリケーション又はデータ分析アルゴリズムを実行する一部として行われる場合がある。ユーザは、（例えば全ての熱電温度計のデータといった）特定のタイプのセンサ１１２からのデータ、（例えば全ての環境センサといった）特定のタイプのデータを測定するセンサ１１２からのデータにアクセスするか、又は他の基準に基づいてセンサからのデータにアクセスする。
【００１２】
図１は、センサアレイ１１０、センサ１１２、ノード１１４、分析システム１８０、ローカル分析システム１２０、リモート分析システム１５０、ディスプレイシステム１９０、ローカルディスプレイシステム１３０、リモートディスプレイシステム１４０、及びネットワーク１６０からなる特定の構成を例示しているが、この開示は、センサアレイ１１０、センサ１１２、ノード１１４、分析システム１８０、ローカル分析システム１２０、リモート分析システム１５０、ディスプレイシステム１９０、ローカル表示システム１３０、リモート表示システム１４０及びネットワーク１６０からなる適切な構成を想定している。例として限定されるものではないが、２以上のセンサアレイ１１０、センサ１１２、ノード１１４、分析システム１８０、ローカル分析システム１２０、リモート分析システム１５０、ディスプレイシステム１９０、ローカル表示システム１３０、及びリモート表示システム１４０は、ネットワーク１６０を回避して、互いにダイレクトに接続される場合がある。別の例として、１以上のセンサ１１２は、センサアレイ１１０の一部である必要なしに、通信ネットワーク１６０にダイレクトに接続される場合がある。別の例として、２以上のセンサアレイ１１０、センサ１１２、ノード１１４、分析システム１８０、ローカル分析システム１２０、リモート分析システム１５０、ディスプレイシステム１９０、ローカル表示システム１３０、及びリモート表示システム１４０は、全体的に又は部分的に、物理的又は論理的に同一場所に配置される場合がある。さらに、図１は、特定の数のセンサアレイ１１０、センサ１１２、ノード１１４、分析システム１８０、ローカル分析システム１２０、リモート分析システム１５０、ディスプレイシステム１９０、ローカル表示システム１３０、リモート表示システム１４０、及びネットワーク１６０を例示しているが、この開示は、任意の適切な数のセンサアレイ１１０、センサ１１２、ノード１１４、分析システム１８０、ローカル分析システム１２０、リモート分析システム１５０、ディスプレイシステム１９０、ローカル表示システム１３０、リモート表示システム１４０及びネットワーク１６０を想定している。例として限定されるものではないが、センサネットワーク１００は、多数のセンサアレイ１１０、センサ１１２、ノード１１４、分析システム１８０、ローカル分析システム１２０、リモート分析システム１５０、ディスプレイシステム１９０、ローカルディスプレイシステム１３０、リモートディスプレイシステム１４０、及びネットワーク１６０を含む場合がある。
【００１３】
この開示は、任意の適切なネットワーク１６０を想定している。例として限定されるものではないが、１以上のネットワーク１６０の部分は、アドホックネットワーク、イントラネット、エクストラネット、VPN（Virtual  Private  Network）、LAN（Local  Area  Network）、無線LAN（WLAN）、WAN（Wide  Area  Network）、無線WAN（WWAN）、MAN（Metropolitan  Area  Network）、インターネットの一部、PSTN（Public  Switched  Telephone  Network）の一部、携帯電話網、これらの２以上の組み合わせを含む場合がある。ネットワーク１６０は、１以上のネットワークを含む場合がある。同様に、この開示は、任意の適切なセンサアレイ１１０を想定している。例として限定されるものではないが、１以上のセンサアレイ１１０の部分は、アドホックネットワーク、イントラネット、エクストラネット、VPN、LAN、WLAN、WAN、WWAN、MAN、インターネットの一部、PSTNの一部、携帯電話網、又はこれらの２以上の組合せを含む。センサアレイ１１０は、１以上のセンサアレイ１１０を含む。
【００１４】
コネクション１１６は、センサアレイ１１０、センサ１１２、ノード１１４、分析システム１８０、ローカル分析システム１２０、リモート分析システム１５０、ディスプレイシステム１９０、ローカル表示システム１３０、及びリモート表示システム１４０をネットワーク１６０に接続するか又は互いに接続する場合がある。同様に、コネクション１１６は、センサ１１２を互いに接続するか又はセンサアレイ１１０におけるノード１１４に接続するか（又はセンサアレイ１１０における他の機器に接続するか）又はネットワーク１６０に接続する。この開示は、任意の適切なコネクション１１６を想定している。特定の実施の形態では、１以上のコネクション１１６は、（例えばDSL（Digital  Subscriber  Line）又はDOCSIS（Data  Over  Cable  Service  Interface  Specificationのような）有線接続、（例えばWi-Fi又はWiMAX（Worldwide  Interoperability  for  Microwave  Access）のような）無線接続、（例えばSONET（Synchronous  Optical  Network）又はSDH（Synchronous  Digital  Hierarchyのような）光接続のうちの１以上を含む。特定の実施の形態では、１以上のコネクション１１６は、アドホックネットワーク、イントラネット、エクストラネット、VPN、LAN、WLAN、WAN、WWAN、MAN、インターネットの一部、PSTNの一部、携帯電話網、別のコネクション１１６、又は２以上の係るコネクション１１６の組み合わせをそれぞれ含む。コネクション１１６は、必ずしも、同じ完全なセンサネットワーク１００である必要はない。１以上の第一のコネクション１１６は、１以上の第二のコネクション１１６とは１以上の観点で異なる場合がある。
【００１５】
図２Ａは、センサネットワークにおける例示的なデータフローを示す。様々な実施の形態では、センサアレイ２１０における１以上のセンサは、１以上の刺激を受ける。センサアレイ２１０は、１以上の刺激に基づいて１以上のデータストリームを任意の適切なネットワークを通して１以上の分析システム２８０に送信する。例として限定されるものではないが、１つのセンサが複数のデータストリームを複数の分析システムに送信する場合がある。別の例として限定されるものではないが、複数のセンサは、複数のデータストリームを１つの分析システムに送信することができる。
【００１６】
特定の実施の形態では、センサアレイ２１０におけるセンサは、それら自身のデータストリームをそれぞれ生成し、これらのデータストリームは、分析システム２８０に送信される。他の実施の形態では、センサアレイ２１０における１以上のセンサは、それら自身のデータストリームをそれぞれ生成し、これらのデータストリームは、ノードに送信される。更なる他の実施の形態では、センサアレイ２１０における１以上のセンサは、それらの出力を１つのデータストリームに結合する。
【００１７】
分析システム２８０は、１以上のデータストリームを監視、記憶及び分析する。分析システム２８０は、ローカル、リモート又はこれたの両者である場合がある。分析システム２８０は、１以上のデータストリームに基づいて１以上の分析結果を１以上のディスプレイシステム２９０に送信する。例として限定されるものではないが、１つの分析システムは、複数の分析出力を複数のディスプレイシステムに送信する場合がある。別の例として限定されるものではないが、複数の分析システムは、複数の分析出力を１つのディスプレイシステムに送信する。また、分析システム２８０は、後の処理のために１以上の分析出力を記憶する。
【００１８】
分析システム２９０は、１以上の分析出力に基づいて、１以上のユーザについてのレンダリング、可視化、表示、メッセージの伝達及び公表を行う場合がある。ディスプレイシステム２９０は、ローカル、リモート又はこれらの両者である場合がある。様々な実施の形態では、センサアレイ２１０は、１以上のデータストリームをディスプレイシステム２９０にダイレクトに送信する。これは、例えばセンサによる刺激の読み取りの表示を可能にする。
【００１９】
図２Ａは、センサアレイ２１０、分析システム２８０及び表示システム２９０からなる特定の構成を示しているが、この開示は、センサアレイ２１０、分析システム２８０及びディスプレイシステム２９０からなる任意の適切な構成を想定している。さらに、図２Ａはセンサアレイ２１０、分析システム２８０及びディスプレイシステム２９０の間の特定のデータフローを示しているが、この開示は、センサアレイ２１０、分析システム２８０及びディスプレイシステム２９０の間の任意の適切なデータフローを想定している。
【００２０】
［センサ］
図２Ｂは、例示的なセンサ２１２、並びにセンサへの及びセンサからのデータフローを示す。センサ２１２は、ある刺激を受けて応答する装置である。ここで、用語「刺激“stimulus”」とは、信号、特性、測定、又はセンサ２１２により検出及び測定される量を意味する。
【００２１】
特定の実施の形態では、センサ２１２は、ある被検体からの刺激を受ける。例として限定されるものではないが、人（又は人のグループ又はエンティティ）、（例えば地理的な位置のような）場所、又は（例えば建物、道路、又は車両のような）物である。この開示は特定のタイプの被検体を開示しているが、この開示は、任意の適切なタイプの被検体を想定している。特定の実施の形態では、１以上のセンサ１１２の１以上の被検体は、他のセンサ１１２、分析システム１８０又はディスプレイシステム１９０のようなセンサネットワーク１００の他のコンポーネントのユーザである。そのようなものとして、用語「被検体“subject”」及び「ユーザ“user”」は、特に断りがない限り、同じ人を示す場合がある。
【００２２】
センサ２１２は、刺激に対応するデータストリームを生成することで刺激に応答する。データストリームは、デジタル又はアナログ信号であり、これらの信号は、任意の適切な伝送媒体を通して伝送され、更に電子装置で使用される。本明細書で使用されたとき、用語「センサ“sensor”」は、ある刺激を受け、受けた刺激をデータストリームに変換する任意の装置を記述するように広義に使用される。この開示は、センサ２１２から出力されるデータストリームは、特に断りがない限り、分析システムに送信される。
【００２３】
特定の実施の形態では、１以上のセンサ２１２は、刺激受信エレメント（すなわち感知エレメント）、通信エレメント及び任意の関連する回路をそれぞれ含む。センサ２１２は、小型でバッテリにより給電され、携帯性があり、マイクロプロセッサ、データ記憶のための内部メモリ、及びトランスデューサ又は刺激を受ける他のコンポーネントを備えている。しかし、センサ２１２は、分析、検査又は測定を行う場合もある。センサ２１２は、パーソナルコンピュータとインタフェースで接続され、センサ２１２を作動し、収集されたデータを閲覧及び分析するソフトウェアを利用する。また、センサ２１２は、スタンドアロン装置として使用されるのを可能にするローカルインタフェース装置（例えばキーパッド、LCD）を有する場合がある。特定の実施の形態では、センサ２１２は、通信チャネルを通して、（データストリームのような）情報を、例えばセンサネットワークにおける１以上の他のコンポーネントから受信、又はセンサネットワークにおける１以上の他のコンポーネントに送信する１以上の通信エレメントを含む。
【００２４】
特定の実施の形態では、１以上のセンサ２１２は、生理的な刺激、心理的な刺激、行動的な刺激、及び環境的な刺激を含む様々なものを測定する。生理的な刺激は、例えば人の身体的な態様（例えば、人のストレッチ、動き、腕（appendages）の位置）、人の代謝の態様（例えば血糖値、酸素レベル、オスモル濃度）、人の生化学的な態様（例えば酵素、ホルモン、神経伝達物質、サイトカイン）、並びに、身体的な健康、病気及び恒常性に関連する人の他の態様を含む。心理的な刺激は、例えば情緒、ムード、感情、心配、ストレス、意気消沈、及び人の他の心理的又は精神的な状態を含む。行動的な刺激は、例えば人に関する行動（例えば仕事、交際、口論、飲酒、休息、運転）、グループに関する行動（例えば行進、抗議、暴徒の行動）、及び他の行動に関する態様を含む。環境的な刺激は、例えば環境の物理的な態様（例えば、光、動き、温度、磁場、重力、湿度、振動、圧力、電場、音、GPSの位置）、環境分子（例えば毒、栄養素、フェロモン）、環境条件（例えば花粉数、天気）、他の外部条件（例えば交通条件、株式市場情報、ニュースフィード（news  feed））、及び他の環境の態様を含む。
【００２５】
例として限定されるものではないが、特定の実施の形態は、１以上の以下のタイプのセンサを含む。加速度計、アフィニティ電気泳動、風量計、飛行速度計、アラームセンサ、高度計、電流計、風速計、動脈血液ガスセンサ、姿勢表示計、自記気圧計、気圧計、バイオセンサ、ボロメータ、ブースト管真空計、ブルドン管真空計、ブレサライザ、カロリー摂取量モニタ、熱量計、容量性変位センサ、キャピラリー電気泳動、二酸化炭素センサ、一酸化炭素検出器、接触ビード型センサ、電荷結合素子、ChemFET（Chemical  Field-Effect  Tranistor）、クロマトグラフ、比色計、コンパス、密着型イメージセンサ、電流センサ、デプスゲージ、DNAマイクロアレイ、心電計（ECG又はEKG）、電気化学ガスセンサ、電解質−絶縁膜−半導体センサ、筋電計（EMG）、電子鼻、電気−光センサ、排出ガス温度ゲージ、光ファイバセンサ、火炎検出器、流量センサ、フラックスゲートコンパス、足踏みスイッチ、力センサ、フローフォールセンサ、電気皮膚反応センサ、検流計、ガルドンゲージ、ガス検出器、ガスメータ、ガイガーカウンタ、受振器、ゴニオメータ、比重計、ジャイロスコープ、ホール効果センサ、ホールプローブ、心拍数センサ、熱流速センサ、高性能液体クロマトグラフ（HPLC）、熱フィラメントイオン化ゲージ、水素センサ、硫化水素センサ、水中聴音器、免疫学的検定、傾斜計、慣性基準ユニット、赤外線部センサ、赤外線センサ、赤外線放射温度計、インスリンモニタ、イオン化ゲージ、イオン選択電極、キーボード、運動感覚センサ、レーザ測距器、箔検電器、LED光センサ、リニアエンコーダ、線形可変作動変圧器（LVDT）、液体容量性傾斜計、磁気異常検出器、磁気コンパス、磁気探知機、質量流センサ、マックロードゲージ、金属探知機、MHDセンサ、マイクロボロメータ、マイクロフォン、マイクロ波化学センサ、マイクロ波ラジオメータ、ムードセンサ、動き検出器、マウス、マルチメータ、ネットラジオメータ、中性子検出、ニコルスラジオメータ、酸化窒素センサ、非分散赤外線センサ、占有センサ、オドメータ、オーム計、嗅覚計、オプトード、周期的に振動するU-tube、酸素センサ、痛みセンサ、粒子検出器、パッシブ赤外線センサ、歩数計、ぺリスター、pHガラス電極、光電脈波センサ、光検出器、フォトダイオード、光電子センサ、光電離検出器、光電子増倍管、フォトレジスタ、光スイッチ、フォトトランジスタ、光電管、圧電型加速度計、ピラニ真空計、位置センサ、電位差検出センサ、圧力計、圧力センサ、近接センサ、乾湿計、脈波酸素濃度センサ、脈波伝搬速度モニタ、無線方位測定器、雨量計、レインセンサ、酸化還元電極、リードスイッチ、抵抗温度検出器、抵抗温度計、呼吸センサ、リングレーザジャイロスコープ、ロータリエンコーダ、回転式可変作動変圧器、シンチレーションカウンタ、地震計、セルシン、シャックハルトマン、シリコンバンドギャップ温度センサ、煙探知機、雪量計、土壌水分センサ、スピーチモニタ、スピードセンサ、ストリームゲージ、スタッドファインダ、突然の動きセンサ、タコメータ、触覚センサ、温度計、サーミスタ、熱電温度計、体温計、検潮器、傾斜センサ、時間圧力計、タッチスイッチ、三角測量センサ、回転調整器、超音波厚さ計、パリオメータ、振動���造ジャイロスコープ、電圧計、水道メータ、積算電力計、波面センサ、ワイアドグローブ、ヨーレートセンサ、酸化亜鉛ナノロッド。この開示は特定のタイプのセンサを記載しているが、この開示は、任意の適切なタイプのセンサを想定している。
【００２６】
バイオセンサは、生物学的な刺激を受け、受けた生物学的な刺激をデータストリームに変換するあるタイプのセンサ１１２である。本明細書で使用されるように、用語「バイオセンサ」は、広義に使用される。
【００２７】
特定の実施の形態では、バイオセンサは、検体の検出のための装置である。検体とは、分析手順において決定される物質又は化学的構成要素である。例えば、免疫学的検定において、検体は、配位子（ligand）又は結合剤（binder）であり、血糖検査において、検体は血糖である。医学において、検体は、患者に実行されている検査のタイプを一般に示す。これは、検査は、人体における化学物質の存在及び／又は濃度を通常決定しているためである。
【００２８】
バイオセンサの一般的な例は、血糖のモニタであり、ブドウ糖酸化酵素を使用して血糖を破壊する。その際に、バイオセンサは、血糖をはじめに酸化させ、２つの電子を使用してFAD（Flavin  Adenine  Dinucleotide、酵素の成分）をFADH2（1,5-ジヒドロ-FAD）に還元する。これは、多数のステップにおいて（電極からの２つの電子を受ける）電極により酸化される。結果として得れる電流が血糖の濃度の測度である。この例では、電極はトランスデューサであり、酵素は、生物学的に活性成分である。
【００２９】
特定の実施の形態では、バイオセンサは、生物学的要素を物理化学の検出成分と結合する。典型的なバイオセンサは、感度が高い生物学的要素（例えば生物学的物質（組織、微生物、細胞小器官、細胞受容体、酵素、抗体、酸等）、生体学的に派生した物質、バイオミミックリー）、測定及び定量化される別の信号（すなわちトランスデューサ）に、生体学的要素と検体との相互作用から得られる信号（すなわち入力の刺激）を変換する物理化学的なトランスデューサ／検出器エレメント（例えば光、圧電、電気化学）、及び、入力の刺激に対応するデータストリームを生成する及び送信する関連するエレクトロニクス又はシグナルプロセッサを備える。バイオセンサにおける生体学的成分をカプセル化することは、半透性の壁（例えば透析膜又はヒドロゲル）、３Ｄポリマーマトリクス（例えば感知する高分子を物理的又は化学的に拘束することによる）、又は他の手段により行われる。
【００３０】
［センササンプリングレート］
特定の実施の形態では、センサ１１２は、入力の刺激を離散時間でサンプリングする。サンプリングレート、サンプルレート又はサンプリング周波数は、離散データ信号をつくるために連続的な刺激又は半連続的な刺激から採取される毎秒当たり（又は他の単位当たりの）サンプル数を定義する。時間領域の信号について、サンプリングレートの単位は、1/s（ヘルツ）である。サンプリング周波数の逆は、サンプリング周期又はサンプリング間隔であり、これらは、サンプル間の時間である。センサ１１２のサンプリングレートは、ローカルに、リモートで又はこれらの組み合わせで制御される。
【００３１】
特定の実施の形態では、センサアレイ１１０における１以上のセンサ１１２は、動的なサンプリングレートを有する。動的なサンプリングは、あるプロセスの現在の結果が幾つかの指定された値又は値の範囲にあるか又は異なる場合に、サンプリングレートを変える判定が行われたときに実行される。例として限定されるものではないが、刺激が幾つかのモデルにより予測される結果とは異なるか、又は幾つかの閾値の範囲の外にある場合、センサ１１２は、これに応じて、そのサンプリングレートを増加又は減少する。動的なサンプリングは、センサ１１２の動作を最適化するか、又は環境を変えるためにアクチュエータの動作に影響を及ぼすために使用される。
【００３２】
特定の実施の形態では、センサ１１２のサンプリングレートは、特定の刺激の受信に基づいている。例として限定されるものではないが、加速度計は、1/sのデフォルトのサンプルレートを有するが、非ゼロの値を測定するときはいつでもそのサンプルレートを60/sに増加し、次いで60の連続するサンプルがゼロに等しくなった後に1/sのサンプリングレートに戻す。別の例として限定されるものではないが、特定の時間の範囲を通して測定された刺激が著しく変化する場合、センサ１１２は、そのサンプリングレートを低減する場合がある。
【００３３】
特定の実施の形態では、センサ１１２のサンプリングレートは、センサネットワーク１００の１以上のコンポーネントからの入力に基づく。例として限定されるものではないが、心拍数モニタは、1/minのデフォルトのサンプリングレートを有するが、分析システム１８０からの信号又は指示に応答してそのサンプリングレートを増加する。
【００３４】
特定の実施の形態では、センサアレイ１１０における１以上のセンサ１１２は、センサ１１２のサンプルが入力する精度を増加又は減少する。例として限定されるものではないが、血糖のモニタは、デフォルトによりユーザの血糖のレベルを記録するために４ビットを使用する。しかし、ユーザの血糖のレベルが迅速に変化し始める場合、血糖のモニタは、その精度を８ビットの測定に増加する。
【００３５】
［ユーザ入力センサ］
特定の実施の形態では、ユーザ入力装置は、センサアレイ１１０におけるセンサ１１２である。センサ１１２により受けた刺激がユーザから入力される場合には、「ユーザ入力センサ」は、センサ１１２である。ユーザは、生理的な情報、心理的な情報、行動の情報、又は環境の情報に任意の適切な情報を入力する。ユーザは、ユーザに関する情報（例えばユーザが彼の心理的な状態を記録する）、又は１以上の第三者に関する情報（例えば医師が患者に関する情報を記録する）を入力する。ユーザは、様々なやり方で入力を提供する場合がある。ユーザ入力は、例えば量又は値をセンサ１１２に入力すること、他の音声入力をセンサ１１２に話す又は提供すること、及び他の刺激をセンサ１１２に接触又は提供することを含む。適切なI/O装置をもつクライアントシステムは、ユーザ入力センサとしての役割を果たす。適切なI/O装置は、英数字キーボード、数字キーパッド、タッチパッド、タッチスクリーン、入力キー、ボタン、スイッチ、マイクロフォン、ポインティングデバイス、ナビゲーションボタン、スタイラス、スクロールダイアル、別の適切なI/O装置、又はこれらの２以上の組み合わせを含む。
【００３６】
特定の実施の形態では、電子カレンダーは、行動的なデータを収集するユーザ入力センサとして機能する。ユーザは、約束、社会的交流、電話の呼び出し、打合せ、仕事、タスク、雑用等を含む様々なアクティビティについて時間及び日付を入力する。それぞれ入力されたアクティビティは、（例えば「重要」、「個人」、「誕生日」といった）詳細、ラベル及びカテゴリで更にタグ付けされる。電子カレンダーは、Microsoft  Outlook,  Lotus  Notes,  Google  Calendar等といった任意の適切な個人の情報マネージャである。電子カレンダーは、次いで、分析システム１８０にデータストリームとしてアクティビティデータを送信し、分析システムは、アクティビティデータを時間を通してマッピングし、これをセンサアレイ１１０における他のセンサからのデータと相関付けする。例えば、分析システム１８０は、電子カレンダーからのアクティビティのデータストリームに対して心拍数のデータをマッピングし、特定のストレスの多いアクティビティ（例えば義理の両親との夕食）の間にユーザの心拍数がピークとなることを示す。
【００３７】
［ユーザ問合せ及びセンサ入力に基づいたユーザ問合せのトリガ］
特定の実施の形態では、センサ１１２は、情報（すなわち刺激）をセンサ１１２に入力することをユーザに尋ねる。センサ１１２は、例えば適切なI/O装置に情報を入力するようにユーザに促すことによるような適切なやり方でユーザに尋ねる。センサ１１２は、任意の適切な割合又は頻度でユーザに尋ねる。例として限定されるものではないが、センサ１１２は、（１時間毎に）固定された間隔でユーザに尋ねる場合がある。別の例として限定されるものではないが、センサ１１２は、動的な割合でユーザに尋ねる場合がある。動的な割合は、センサ１１２への入力前に、センサアレイ１１０における他のセンサ１１２又はノード１１４からのデータ、分析システム１８０からの出力、又は他の適切な要素を含めて、様々な要素に基づく場合がある。例えば、センサアレイ１１０における心拍数モニタがユーザの心拍数における増加を示す場合、ユーザの入力センサは、彼の現在のアクティビティを入力するようにユーザに即座に尋ねる。この開示はセンサ１１２に情報を入力することをユーザに尋ねる特定のプロセスを実行する特定のコンポーネントを記載しているが、この開示は、センサ１１２に情報を入力することをユーザに尋ねる任意の適切なプロセスを実行する適切なコンポーネントを想定している。
【００３８】
特定の実施の形態では、分析システム１８０は、１以上のセンサ１１２からの１以上のデータストリームにアクセスする。センサは、生理的センサ、心理的センサ、行動的センサ、又は環境的センサである。同様に、それぞれのデータストリームは、ある人の生理的データ、心理的データ、行動的データ又は環境的データを備える。特定の実施の形態では、分析システム１８０は、１以上の生理的センサにアクセスし、生理的センサは、１以上の心拍数モニタ、血圧モニタ、パルス酸素濃度計、加速度計、心電計、グルココルチコイドメータ、筋電計、別の適切な生理的センサ又は２以上の係るセンサを含む。例として限定されるものではないが、分析システム１８０は、心拍数モニタからのデータストリームにアクセスし、データストリームは、ある人の心拍数のデータを含む。特定の実施の形態では、分析システム１８０は、データフィードである１以上の環境的センサにアクセスし、データフィードは、１以上の株式市場のティッカー、天気予報、ニュースフィード、交通状況の更新、公衆衛生の通知、電子カレンダー、社会ネットワークのニュースフィード、別の適切なデータフィード、又は２以上の係るデータフィードを含む。例として限定されることなしに、分析システム１８０は、データフィードからの株式市場のティッカーにアクセスし、株式市場のティッカーは、株情報を含む。この開示は特定のセンサ１１２からの特定のデータストリームにアクセスする特定のコンポーネントを記載しているが、この開示は、適切なセンサ１１２からの任意の適切なデータストリームにアクセスする任意の適切なコンポーネントを想定している。
【００３９】
特定の実施の形態では、分析システム１８０は、制御パラメータの対応するセットを参照してデータストリームを分析する。それぞれのセンサ１１２又はデータストリームは、制御パラメータの対応するセットを有する。制御パラメータのセットは、センサ１１２又はデータストリームが正常又は期待される状態にあるときを指定するデータパラメータから構成される。制御パラメータのセットは、センサ１１２の設定ポイント、センサ１１２の動作レンジ、センサ１１２の動作閾値、センサ１１２のサンプリングレート、センサ１１２のサンプルサイズ、別の適切なパラメータ、又は２以上の係るパラメータのうちの１以上を含む。例として限定されるものではないが、心拍数モニタは、60/100  beat/minの心拍数が正常な状態であることを指定する制御パラメータの対応するセットを有する。別の例として限定されるものではないが、ムードセンサ４００は、0-4リカット尺度に関して２以下の強度で「ストレスを受けている」という自己報告の心理的な状態が正常な状態であることを示す制御パラメータの対応するセットを有する。特定の実施の形態では、分析システム１８０は、制御パラメータの複数の対応するセットを参照して、複数のデータストリームを分析する。制御パラメータのセットは、第一のセンサ１１２又は第一のデータストリームが、１以上の第二のセンサ１１２又は第二のデータストリームからのデータに基づいて正常な状態又は期待される状態であることを指定する。例として限定されるものではないが、心拍数モニタ及び加速度計は、ひとたび延長されたアクティビティの期間が終了すると、12  beat/min2以上の心拍数における変化が正常な状態である（エクササイズが心臓麻痺の増加される危険を示した後に連続して上昇する心拍数）ことを指定する制御パラメータの対応するセットを有する。別の例として限定されるものではないが、ムードセンサ４００及び天気予報のデータフィードは、天気が悪いときに、0-4リカット尺度に関して３以下の強度で「意気消沈された」という自己報告の心理状態が正常な状態である（天気が悪いときに人は元気がない可能性が高い）ことを指定する制御パラメータの対応するセットを有する。この開示は、制御パラメータの特定のセットを参照して特定のデータストリームを分析する特定のコンポーネントを記載しているが、この開示は、制御パラメータの任意の適切なセットを参照して任意の適切なデータストリームを分析する任意の適切なコンポーネントを想定している。
【００４０】
特定の実施の形態では、分析システム１８０は、データストリームが制御パラメータの対応するセットから逸脱するかを判定するため、制御パラメータの対応するセットを参照してデータストリームを分析する。分析システム１８０は、データストリームが制御パラメータの対応するセットから逸脱するかを判定するため、任意の適切なプロセス、計算又は技術を使用する場合がある。データストリームにおける１以上のサンプルが、センサ又はデータストリームが正常でないか又は期待される状態でないことを示すときに、センサ１１２又はデータストリームは、制御パラメータの対応するセットから逸脱する。レイトとして限定されるものではないが、60-100  beats/minの心拍数が正常の状態であることを指定する制御パラメータの対応するセットを心拍数モニタが有する場合、分析システム１８０は、心拍数モニタからのデータストリームからの１以上のサンプルを、心拍数モニタに対する制御パラメータのセットと比較し、何れかのサンプルが60-100  beats/minの範囲外の心拍数を示すかを識別する。この開示は、データストリームが制御パラメータの対応するセットから逸脱するかを判定するため、特定のプロセスを実行する特定のコンポーネントを記載しているが、この開示は、データストリームが制御パラメータの対応するセットから逸脱するかを判定するため、任意の適切なプロセスを実行する任意の適切なコンポーネントを想定している。
【００４１】
特定の実施の形態では、分析システム１８０は、生理的、心理的、行動的又は環境的な情報について、１以上のセンサ１１２に問合せを送信する。問合せは、ユーザに関する情報を入力するようにユーザに依頼するか（例えば彼の心理的な状態を入力するようにユーザに依頼する）、又は１以上の第三者に関する情報を入力するようにユーザに依頼する（例えば患者に関する生理的な情報を入力するようにユーザに依頼する）。問合せは、環境的な情報について環境的センサに尋ねる（例えばユーザの位置での温度について天気センサに尋ねること、ユーザの株式のポートフォリオに関する情報について株式のチッカーに尋ねること）。センサ１１２は、例えばセンサ１１２に量又は値を入力すること、他の音声入力をセンサ１１２に話すか又は提供すること、センサ１１２に他の刺激を接触又は提供することのような、任意の適切なやり方でセンサ１１２にデータを入力するようにユーザを促す。また、センサ１１２は、何れかのユーザ入力なしに自動的にデータをサンプリングする場合がある。特定の実施の形態では、分析システム１８０は、ユーザの心理的又は行動的なデータについて１以上のムードセンサ４００への問合せを送信する。ムードセンサ４００は、ムード収集インタフェース４２０に心理的又は行動的なデータを入力するようにユーザに促す。例として限定されるものではないが、分析システム１８０は、ユーザのムード、ムードの強度、及びユーザのアクティビティデータについてムードセンサ４００に問合せを送信する。ムードセンサ４００は、ムード収集インタフェース４２０にムード及びアクティビティデータを入力するようにユーザに指示するメッセージ又は他の通知をムード収集インタフェース４２０に表示する。この開示は特定の問合せを送信する特定のコンポーネントを記載しているが、この開示は任意の適切な問合せを送信する任意の適切なコンポーネントを想定している。さらに、この開示は特定の情報について特定のセンサ１１２に問合せを送信することを記載しているが、この開示は、任意の適切な情報について任意の適切なセンサ１１２に問合せを送信することを想定している。
【００４２】
特定の実施の形態では、分析システム１８０は、問合せに応答して、１以上のセンサ１１２からの１以上のデータストリームを受ける。データストリームは、問合せに応答してセンサ１１２からの生理的、心理的、行動的又は環境的なデータを含む。特定の実施の形態では、分析システム１８０は、問合せに応答して１以上のムードセンサ４００から１以上のデータストリームを受ける。ムードセンサ４００からのデータストリームは、問合せに応じて心理的又は行動的なデータを含む。例として限定されるものではないが、分析システム１８０は、ユーザのムード及びムードの強度のデータについてムードセンサ４００に問合せを送信する。ユーザは、0-4リッカート尺度に関して２の強度で彼が「ストレスを受けている」ことを入力する。次いで、ムードセンサ４００は、問合せに応じて分析システム１８０にユーザのムード及びムードの強度データを有するデータストリームを送信し、データストリームは、分析システム１８０により受信される。別の例として限定されるものではないが、分析システム１８０は、ユーザのアクティビティデータについてムードセンサ４００に問合せを送信する。ユーザは、彼が「飲酒している」ことを入力する。次いで、ムードセンサ４００は、問合せに応じて、分析システム１８０にユーザのアクティビティデータを有するデータストリームを送信し、データシステムは、分析システム１８０により受信される。この開示は特定のデータストリームを受信する特定のコンポーネントを記載しているが、この開示は、任意の適切なデータストリームを受信する任意の適切なコンポーネントを想定している。さらに、この開示は、特定の問合せに応答して特定のデータストリームを受信することを記載しているが、この開示は、任意の適切な問合せに応答して任意の適切なデータストリームを受信することを想定している。
【００４３】
特定の実施の形態では、センサ１１２は、センサ１１２によりサンプルを採取するようにユーザに問い合わせる。センサ１１２は、例えばセンサ１１２を使用又は作動するようにユーザに促すような、任意の適切なやり方でユーザに問い合わせる。例として限定されるものではないが、分析システム１８０は、ユーザの血糖データについて血糖モニタに問合せを送信する。血糖モニタは、適切なオーディオ又はビデオのプロンプトをもつ問合せをユーザに通知する。次いで、血糖モニタで血液のサンプルを採取し、血糖モニタは、このサンプルに基づいてデータストリームを分析システム１８０に送信する。この開示は、センサ１１２によりサンプルを採取することをユーザに問合せる特定のプロセスを実行する特定のコンポーネントを記載しているが、この開示は、センサ１１２によりサンプルを採取する任意の適切なプロセスを実行する任意の適切なコンポーネントを想定する。
【００４４】
図３は、センサ入力に基づいてユーザ問合せをトリガする例示的な方法３００を示す。本方法は、ステップ３１０で開始し、分析システム１８０は、センサ１１２のような１以上の生理的センサからの１以上の生理的なデータストリームにアクセスする。生理的なデータストリームは、ある人の生理的なデータを有する。ステップ３２０で、分析システム１８０は、制御パラメータの対応するセットを参照して、それぞれの生理的なデータストリームを分析する。ステップ３３０で、分析システム１８０は、少なくとも１つの生理的なデータストリームは、制御パラメータの対応するセットから逸脱するかを判定する。少なくとも１つの生理的なデータストリームが制御パラメータの対応するセットから逸脱する場合、分析システム１８０は、ステップ３４０で、人のムードデータについて又は人の行動的データについてムードセンサ又は行動的センサの１以上の問合せを送信する。しかし、生理的なデータストリームが制御からメータの対応するセットから逸脱しない場合、分析システム１８０は、ステップ３１０に戻る。この開示は図３の方法の特定のステップが特定の順序で行われるものとして記載及び図示しているが、この開示は、図３の方法の任意の適切なステップが任意の適切な順序で行われることを想定している。さらに、この開示は、図３の方法の特定のステップを実行する特定のコンポーネントを記載及び図示しているが、この開示は、図３の方法の任意の適切なステップを実行する任意の適切なコンポーネントの任意の適切な組み合わせを想定している。
【００４５】
［ムード／行動的センサ］
図４は、ある人から心理的及び行動的な情報を収集する例示的なセンサ４００を示す。この「ムードセンサ」４００は、あるユーザから心理的及び行動的な入力（すなわち刺激）を受信するユーザ入力センサのタイプである。幾つかの実施の形態では、ユーザは、ユーザに関する心理的情報（すなわちムード）又は行動的情報（すなわちアクティビティ）を入力する。他の実施の形態では、ユーザは、１以上の第三者に関する心理的情報又は行動的情報を入力する（例えば医者はある患者に関する情報を記録する）。この開示は、特に断りがない限り、ユーザがユーザに関する情報を記録することを想定している。ムードセンサ４００は、心理的な刺激を受けるムードセンサ又は行動的な刺激を受ける行動的センサとして機能する。この開示は、ある人から心理的情報及び行動的情報を収集する特定のプロセスを実行する特定のコンポーネントを記載しているが、この開示は、ある人から心理的情報及び行動的情報を収集する任意の適切なプロセスを実行する適切なコンポーネントを想定している。さらに、この開示は、ある人に関する特定のタイプの心理的情報又は行動的情報を収集するムードセンサ４００を記載しているが、この開示は、任意の適切なタイプの心理的情報又は行動的情報を収集するムードセンサ４００を想定している。
【００４６】
特定の実施の形態では、ムードセンサ４００は、クライアントシステム４１０で実行されるソフトウェアアプリケーションを含む。図４は、スマートフォンを例示的なクライアントシステム４１０として示しているが、任意の適切なユーザ入力装置が使用される場合がある（例えば携帯電話、パーソナルデジタルアシスタント、パーソナルコンピュータ、タブレットコンピュータ、ウェアラブルコンピュータ等）。幾つかの実施の形態では、ユーザは、ムード収集インタフェース４２０にアクセスするため、クライアントシステム４１０でアプリケーションを実行する。他の実施の形態では、ユーザは、モバイルネットワーク（又は他の適切なネットワーク）を通してムード収集インタフェース４２０にアクセスするため、クライアントシステム４１０のブラウザクライアント又は他のアプリケーションを使用する。ムード収集インタフェース４２０は、ユーザからの信号を受信する。例として限定されるものではないが、ユーザは、心理的又は行動的な情報を選択又は入力するため、又は他のアクションを実行するため、ムード収集インタフェース４２０に対して、クリックするか、タッチするか、話すか、ジェスチャするか、又は対話する。
【００４７】
特定の実施の形態では、ムードセンサ４００は、ムード入力のウィジェット４３０、ムードの強度入力のウィジェット４４０、アクティビティ入力のウィジェット４５０、又はクロック４６０の少なくとも１つを含む。ムード入力のウィジェット４３０は、３×３のムードアイコンのグリッドであり、それぞれのアイコンは、固有の意味的なラベル及び色を有する。図３に示されるグリッドは、以下の例示的なムード及び色を示す。
【表１】
0005958064.tif 000002
【００４８】
ユーザは、１以上のムードアイコンをタッチして、彼の現在のモード（すなわち心理的な状態）を入力する。ムードの強度のウィジェット４４０は、１〜４までに及ぶ番号付けされたアイコンをもつ行であり、それぞれのアイコンは、心理的な状態の強度のレベルに対応する。番号は、最も低い強度から最も高い強度までに及び、１は最も低く、４は最も高い。ユーザは、番号のうちの１つをタッチし、選択されたムードに対応する強度を入力する。特定の実施の形態では、ムードの強度は、標準的な心理的なスケール（例えばリッカート尺度）に対応する。アクティビティ入力のウィジェット４５０は、アクティビティ（すなわち行動の状態）のリストを含むドロップダウンメニューである。リストは例示されていないが、睡眠、食事、作業、運転、議論等のような様々な行動の状態を含む。ユーザは、ドロップダウンメニューをタッチして、１以上の行動的な状態を入力する。特定の実施の形態では、選択された行動的な状態は、選択された心理的な状態に対応する。クロック４６０は、クライアントシステム４１０に従って現在の時間を提供する。この時間は、ムード収集インタフェース４２０での任意の他の入力に対するタイムスタンプとして自動的に入力される。特定の実施の形態では、心理的状態又は行動的状態の時間又は期間は、ユーザにより手動で入力される。この開示及び図４は、特定のコンポーネントを有するムードセンサ４００を記載及び図示しているが、この開示は、任意の適切なコンポーネントを有するムードセンサ４００を想定している。さらに、この開示及び図４は、特定のコンポーネントを使用して心理的情報及び行動的情報を収集するムードセンサ４００を記載及び図示しているが、この開示は、任意の適切なコンポーネントを使用して心理的情報又は行動的情報を収集するムードセンサ４００を想定している。例として限定するものではないが、あるユーザに関する心理的情報又は行動的情報は、ウィジェット、アイコン、ドロップダウンメニュー、又はタイムスタンプなしでユーザにより手動で入力される。これは、任意の時間又は期間について様々な心理的情報又は行動的情報をユーザが入力するのを可能にする。
【００４９】
特定の実施の形態では、ムードセンサ４００は、センサアレイ１１０におけるセンサ１１２である。心理的データ又は行動的データを受信した後、ムードセンサ４００は、１以上のデータストリームとしてのデータを、ノード１１４、分析システム１８０、又は別の適切なシステムに送信する。
【００５０】
特定の実施の形態では、ムードセンサ４００は、心理的情報又は行動的情報を入力することをユーザに問い合わせる。ユーザは、ムードセンサ４００に任意の適切な心理的な情報又は行動の情報を入力する。ユーザは、ユーザに関する情報を入力するか（例えばユーザは彼の心理的な状態を記録する）、又は１以上の第三者に関する情報を入力する（例えば精神科医は、彼の心理的な状態を記録する）。例として限定するものではないが、ムードセンサ４００は、固定された間隔（例えば毎時）でユーザに問い合わせる。別の例として限定されるものではないが、ムードセンサ４００は、動的なレートでユーザに問い合わせる。動的なレートは、ムードセンサ４００への前の入力、センサアレイ１１０における他のセンサ１１２又はノード１１４からのデータストリーム、分析システム１８０からの出力、他のシステムからの要求又は問合せ、又は他の適切な要素を含めて、様々な要素に基づく。例えば、ユーザが彼が強度“4”で「怒っている」ことを入力した場合、ムードセンサ４００は、彼のムードの強度が“2”以下に下がったことを示すまで15分毎にユーザに問合せ始める。別の例として、センサアレイ１１０における心拍数モニタがユーザの心拍数における増加を示す場合、ムードセンサ４００は、彼の現在の心理的状態及び行動的状態を入力することをユーザに問い合わせる。更に別の例では、ユーザの電子カレンダーが彼が「重要」とタグ付けした約束を有することを示す場合、ムードセンサ４００は、約束の前後に彼の心理的な状態を入力することをユーザに問い合わせる。この開示はムードセンサ４００への心理的情報又は行動的情報を入力することをユーザに問い合わせる特定のプロセスを実行する特定のコンポーネントを記載しているが、この開示は、ムードセンサ４００に心理的情報又は行動的情報を入力することをユーザに問い合わせる任意の適切なプロセスを実行する任意の適切なコンポーネントを想定している。
【００５１】
特定の実施の形態では、ムードセンサ４００は、１以上の治療又は治療のフィードバックを管理する。治療は、様々な要素に基づいて提供される。ムードセンサ４００は、ユーザが否定的な心理的状態又は行動的状態を入力する間又は入力した後に、ユーザに治療のフィードバックを提供する。例として限定されるものではないが、ユーザが「怒る」ボタンをタッチした場合、ディスプレイは、草むらで遊んでいる子犬の心を落ち着かせる画像を示すように変化する。また、ムードセンサ４００は、分析システム１８０からの出力に基づいてユーザの治療のフィードバックを提供する。例として限定されるものではないが、センサアレイ１１０における心拍数における増加を示し、且つユーザがムードセンサ４００に「ストレスを受けている」を入力した場合、分析システム１８０は、治療のフィードバックが必要とされることを判定する。この判定に応じて、ムードセンサ４００は、ユーザを穏やかにするため、リラックスさせる音楽を再生する。ムードセンサ４００は、治療介入、バイオフォードバック、呼吸、運動、漸進的筋弛緩運動、個人のメディアの提示（例えば音楽、個人的な絵画等）、出口戦略の提供（例えばユーザがストレスを受けている状況から離れる口実を有するように、ユーザを呼び出す）、精神療法の技法のレンジの参照、傾向のグラフィカルな表現（例えば時間を通しての健康の基準の図示）、認知再構成法の治療、及び他の治療のフィードバックのような、様々な治療を伝達する。ムードセンサ４００は、医療機関、病院等の特定の推薦のような、ユーザが他の治療を求めることができる場所に関する情報を提供する。この開示は特定の治療のフィードバックを管理することを記載しているが、この開示は、任意の適切な治療のフィードバックを管理することを想定している。さらに、この開示は特定の方法で治療のフィードバックを管理することを記載しているが、この開示は、任意の適切な方法で治療のフィードバックを管理することを想定している。
【００５２】
特定の実施の形態では、ムードセンサ４００は、ディスプレイシステム１９０にユーザに関連する心理的データ又は行動的データをアクセス及び表示するために使用される。ディスプレイシステム１９０は、ムード収集インタフェース４２０（すなわちスマートフォンのタッチスクリーン）又は別の適切なディスプレイにデータを表示する。ムードセンサ４００は、任意の適切なネットワークを通して、ローカルデータストア（例えばユーザのスマートフォンに記憶された前の心理的入力及び行動的な入力）にアクセスするか、又はリモートデータストア（例えばユーザの病院からの医療記録）にアクセスする。ムードセンサ４００は、ムードセンサ４００により前に記録されたムード情報及びアクティビティ情報にアクセスして表示する。例として限定されるものではないが、ユーザは、「楽しい」ボタンをクリックして、ムードセンサ４００でのユーザによる「楽しい」のそれぞれの入力に関連する強度、行動及び時間を示すデータにアクセスする。また、ムードセンサ４００は、他のセンサ１１２又は医療の手順により記録されるデータにアクセスして表示する。例として限定されるものではないが、ユーザは、ムードセンサ４００でのユーザによる「落ち込んだ」のそれぞれの入力に対応する、センサアレイ１１０における１以上の他のセンサ１１２からのデータ（例えば心拍数のセンサデータ、パルス酸素濃度センサデータ等）にアクセスするため、「落ち込んだ」ボタンをクリックする。この開示は、特定の心理的データ及び行動的データにアクセスして表示することを記載しているが、この開示は、任意の適切な心理的データ又は行動的データにアクセスして表示することを想定している。
【００５３】
図５は、ある人からの心理的情報又は行動的情報を収集する例示的な方法５００を示す。ステップ５１０で、ムードセンサ４００のユーザは、クライアントシステム４１０のムード収集インタフェース４２０に最初にアクセスする。ステップ５２０で、ユーザは、ムードアイコンのうちの１つをタッチすることで、ムードの入力のウィジェット４３０で１以上のムード（すなわち心理的状態）を選択する。ステップ５３０で、ユーザは、ムード強度の入力のウィジェット４４０で選択されたムードの強度レベルを選択する。ステップ５４０で、ユーザは、アクティビティの入力のウィジェット４５０の選択されたムードに一致するアクティビティ（すなわち行動的状態）を選択する。全ての３つの入力がユーザにより入力された後、ステップ５５０で、ムードセンサ４００は、入力を自動的に記録するか、又は、ユーザは、“ok”をクリックするか又は幾つかの他の入力を提供することで、ユーザがムード及びアクティビティを入力したことを示す。このステップで、ムードセンサは、入力に一致する時間の示唆を記録する。最後に、ステップ５６０で、ムードセンサ４００は、ムード、強度、アクティビティ又は時間の入力に基づいてデータストリームを分析システム１８０に送信する。この開示は、図５の方法の特定のステップが特定の順序で行われるように記載及び図示しているが、この開示は、任意の適切な順序で行われる図５の方法の任意の適切なステップを想定している。さらに、この開示は、図５の特定のステップを実行する特定のコンポーネントを記載及び図示しているが、この開示は、図５の方法の任意の適切なステップを実行する任意の適切なコンポーネントの任意の適切な組み合わせを想定している。
【００５４】
［センサとしてのデータフィード］
特定の実施の形態では、センサ１１２は、データフィードである。データフィードは、１以上のソースからの生理的データ、心理的データ、行動的データ又は環境的データを受信及び収集し、収集されたデータに基づいて１以上のデータストリームを送信する。代替的に、データフィードは、収集されたデータに基づく１以上のデータストリームである。例として限定されるものではないが、データフィードは、株式市場のティッカー、天気予報、ニュースフィード、交通状態のアップデート、公衆衛生の通知、電子カレンダー、（例えば別のユーザからの生理的データ、心理的データ又は行動的データのような）１以上の他のユーザからのデータ、又は任意の他の適切なデータフィードである。データフィードは、先に記載されたように、パーソナルデータ及びリモートデータの両者を含む場合がある。データフィードは、（例えばコンピュータシステム１６００のような）任意の適切なコンピューティング装置からのデータである場合がある。
【００５５】
本明細書で図示及び記載される例示的なデータフィードは、例示するものであって限定することが意図されていない。この開示は、任意の適切なデータフィードの使用を想定している。
【００５６】
［データストリーム］
特定の実施の形態では、データストリームは、センサアレイ１１０における１以上のセンサ１１２又は１以上のノード１１４から送信された１以上のデータを備える。データストリームは、任意の適切な伝送媒体を通して伝送され、電子装置で更に使用されるデジタル又はアナログ信号である。センサアレイ１１０は、任意の適切なネットワークを通して、１以上の分析システム１８０に、１以上の刺激に基づいて１以上のデータストリームを送信する。
【００５７】
データストリームは、生理的センサ、心理的センサ、行動的センサ及び環境的センサを含めて、様々なタイプのセンサ１１２からの信号を含む。センサ１１２は、受信した刺激に対応するデータストリームを生成する。例として限定されるものではないが、生理的センサ（例えば加速度計）は、生理的なデータストリームを生成する（例えば時間を通して被検体の加速度に関するデータを含む加速度計のデータストリーム）。
【００５８】
センサデータは、任意の適切な情報を含む。特定の実施の形態では、センサデータは、１以上のセンサ１１２により行われる測定を含む。センサデータは、任意の適切なフォーマットを有するサンプルを含む。特定の実施の形態では、１以上のパラメータを有する組（又は順序付けされたセット）であり、特定のサンプルは、１以上のデータパラメータについて１以上の値の組である。例として限定されるものではないが、組のフォーマット（t，p）は、データパラメータである時間tと圧力pとを有しており、特定のサンプル（t0，p0）は、時間t0で測定された値の圧力p0を有する。組のフォーマットは、１以上のセンサパラメータ及び／又は１以上のテストパラメータのような、任意の適切なデータパラメータを含む。センサパラメータは、１以上のセンサ１１２に対応し、センサ値は、１以上のセンサ１１２により行われる１以上の測定値を記録する。例として限定されるものではないが、センサ値は、センサ１１２により行われる測定値を記録する場合がある。テストパラメータは、測定プロセスの時間的、空間的及び／又は環境的な特性を記述する要素に対応し、テスト値は、測定が行われたときの特性の値を記録する。例として限定されるものではないが、パラメータは時間であり、パラメータ値は、測定が行われた特定の時間を記録する。
【００５９】
特定の実施の形態では、センサ１１２は、離散時間で１以上のデータを送信する。送信速度、伝送速度、又は伝送周波数は、離散的なデータ信号を作成するためにセンサにより送出された毎秒（又は他の単位当たりの）送信の数を定義する。時間領域の信号について、伝送レートの単位は、1/s（ヘルツ）である。伝送周波数の逆数は、送信の間の時間である、送信周期又は送信間隔である。データムは、任意の他の適切な周波数又は期間で連続的、周期的又はランダムで送信される。これは、センサのサンプリングレートと相関するか又は相関しない。
【００６０】
センサデータに対する参照は、必要に応じて、センサデータストリームを包含し、逆に、センサデータストリームに対する参照は、センサデータは、センサの被検体に関連し、センサ１１２は、被検体からの刺激又は被検体に関連する刺激を受信する。センサデータ又はデータストリームは、任意の適切なやり方でセンサの被検体に関連する。例として限定されるものではないが、センサデータは、１以上のセンサ１１２はセンサの被検体により生成される１以上の刺激からセンサデータを生成するため、センサの被検体に関連する。別の例として限定されるものではないが、センサデータは、センサデータがセンサの被検体の洞察及び更なる理解を提供するため、センサの被検体に関する。更に別の例として限定されるものではないが、センサデータは、センサの被検体に関する１以上の問題又はイベントの発生を検出又は予測する助けとなるため、センサの被検体に関する。更に別の例として限定されるものではないが、センサデータは、センサの被検体の監視を容易にするため、センサの被検体に関する。
【００６１】
［データ取得］
特定の実施の形態では、センサネットワーク１００のコンポーネントは、幾つかのタイプのデータ取得システムを利用して、分析システム１８０による使用向けにデータストリーム信号を更に処理する。例として限定されるものではないが、データ取得システムは、アナログ波形信号をデジタル値に変換する。別の例として限定されるものではないが、データ取得システムは、１０進値を２進値に変換する。データ取得システムは、ローカルであり、例えばセンサアレイ１１０におけるセンサ１１０又はローカル分析システム１２０に統合される。また、データ取得システムは、リモートであり、例えばリモート分析システム１５０又は独立のシステムに統合される。
【００６２】
特定の実施の形態では、データ取得システムは、１以上の信号調整処理を実行する（例えばセンサ１１２からの信号が使用されている分析システム１８０のタイプについて適切ではない場合）。例として限定されるものではないが、データ取得システムは、信号を増幅、フィルタリング又は復調する。様々な他の例示的な信号調整は、橋梁完成であり、電流又は電圧の励起をセンサ、アイソレーション、タイムベース補正、及び線形近似に提供する。特定の実施の形態では、シングルエンドアナログ信号は、差分信号に変換される場合がある。特定の実施の形態では、デジタル信号は、伝送誤りを低減及び補正するためにエンコードされるか、又は伝送電力の要件を低減するためにダウンサンプルされる。
【００６３】
［データロギング］
特定の実施の形態では、センサネットワーク１００のコンポーネントは、幾つかのタイプのデータロギングシステムを利用して、時間を通して１以上のデータストリームからのデータを、記録、分類、記憶及びファイルする。データロギングシステムは、ローカルであり、例えばセンサアレイ１１０におけるセンサ１１２又はローカル分析システム１２０に統合される。また、データロギングシステムは、リモートであり、例えばリモート分析システム１５０又は独立のシステムに統合される。データロギングシステムは、データを記録するために分散されたリソースを使用する場合もある。データロギングシステムは、例えばデータストア１７４０のような任意の適切なデータストアにデータを記憶する。
【００６４】
データロギングシステムは、１以上のデータセットとしてデータストリームを記録する。データセットは、データストリームからの１以上のデータを備える。データセットは、様々な基準に基づいて分類及び形成される。例として限定されるものではないが、データストリームは、特定の被検体、センサ、期間、イベント又は他の基準に基づいて１以上のデータセットとして記録される。
【００６５】
特定の実施の形態では、データストリームからの１以上のデータセットは、データセットを表す二分決定グラフ（BDD）を構築するために使用される。
【００６６】
［データ収集］
特定の実施の形態では、センサネットワーク１００のコンポーネントは、データ収集システムを利用して、分析システム１８０又はディスプレイシステム１９０による使用向けに１以上のデータストリームを処理する。特定の実施の形態では、１以上のノード１１４は、データ収集システムである。例として限定されるものではないが、データ収集システムは、センサアレイ１１０における１以上のセンサ１１２からの１以上のデータストリームを監視、同期、記憶又は分析する。別の例として限定されるものではないが、データ収集システムは、１以上のセンサからの１以上のデータストリームを分析し、同期、記憶及び送信される１以上の派生のデータストリームを生成する。
【００６７】
特定の実施の形態では、データ収集システムは、１以上のセンサ１１２からのデータストリームにアクセスする。センサ１１２からのデータストリームは、任意の適切な媒体を通してデータ収集システムに送信される。例として限定するものではないが、データ収集システムは、１以上のコネクション１１６により１以上のセンサに接続される。データ収集システムは、例えばUSBインタフェース、Firewireインタフェース、802.11インタフェース、Bluetooth(登録商標)インタフェース、別の適切なコネクションインタフェースのような１以上のコネクションインタフェース、又は２以上の係るインタフェースを含む。この開示は、特定のコネクションインタフェースを開示しているが、この開示は、任意の適切なコネクションインタフェースを想定している。
【００６８】
特定の実施の形態では、データ収集システムは、１以上のセンサ１１２からのデータストリームにアクセスして、データストリームを同期させる。データ収集システムは、センサネットワーク１００における１以上の他のコンポーネントを同期して又は非同期に実行する１以上のシステムクロックを含む。幾つかの実施の形態では、システムクロックは、データ収集システムに統合される。他の実施の形態では、システムクロックは、センサアレイ１１０、センサ１１２、分析システム１９０、ディスプレイシステム１９０又は別の適切なシステムにおけるクロックのような、１以上の外部の時間システムを参照する。１以上のセンサ１１２は、１以上のサンプリング周波数又は伝送周波数を有する。センサアレイ１１０におけるセンサ１１２のサンプル周波数及び伝送周波数は、センサアレイ１１０における１以上の他のセンサ１１２のサンプル周波数又は伝送周波数とは異なる。例として限定されるものではないが、第一のセンサ１１２からの第一のデータストリームは、第一のセンサ１１２のローカルクロックに基づいて、ローカルタイムスタンプt1をもつサンプルs1を表す組（s1，t1）を備える。第二のセンサ１１２からの第二のデータストリームは、第二のセンサ１１２のローカルクロックに基づいて、ローカルタイムスタンプt2をもつサンプルs2を表す組（s2，t2）を備える。第一のセンサ１１２及び第二のセンサ１１２が互いに同期されていない場合、サンプルs1及びs2は、タイムスタンプt1及びt2が同じ値でないとしても、同じ絶対時間で採取される。特定の実施の形態では、データ収集システムは、データ収集システムに統合されるシステムクロックに基づいて、システムのタイムスタンプをそれぞれのサンプルと関連付けすることで、第一及び第二のデータストリームを同期させる。例として限定されるものではないが、データ収集システムは、サンプルがデータ収集システムに到達したときに、システムのタイムスタンプをそれぞれのサンプルと関連付けする。データ収集システムは、システムクロックに基づいて、サンプルにタイムスタンプｔ’を割り当てる。データ収集システムは、ローカルタイムスタンプを上書きして、組（s1，t’）及び（s2，t’）を得るか、又はデータ収集システムは、タイムスタンプｔ’を組に加えて、組（s1，t1，t’）及び（s2，t2，t’）を得る。別の例として限定されるものではないが、データ収集システムは、１以上のセンサ１１２のローカルクロックを同期させる。データ収集システムは、接続されたセンサ１１２にシステムのクロック時間を周期的にブロードキャストする。接続センサ１１２は、ブロードキャストされたシステムクロックの時間に整合するように。それらの内部クロックを調節する。接続されたセンサ１１２は、互いに独立の周波数で、データ収集システムの周波数でデータをサンプリング及び送信するが、接続されたセンサ１１２はサンプルを採取するとき、接続されたセンサ１１２の内部クロックに基づいて、サンプルをシステムタイムスタンプと関連付けする。このようにして、接続されたセンサ１１２により採取されたサンプルがデータ収集システムに到達するとき、組は（s1，t’）及び（s2，t’）である。特定の実施の形態では、データストリームの��析は、データストリームが同期されるとき、更に精密及び正確である。例として限定されるものではないが、センサアレイ１１０は、加速度計及びパルス酸素濃度計を含む。２つのセンサからのデータストリームが同期されない場合、分析システム１８０は、血液酸素レベルとアクティビティとの間の相関を正確に決定することができない。データストリームを同期することで、この例の場合、突然の血液酸素レベルの変化のために、データストリームの更に正確な分析を可能にする。この開示は、特定の方法において特定のデータストリームを同期させるデータ収集システムを記載しているが、この開示は、任意の適切な方法で任意の適切なデータストリームを同期させるデータ収集システムを想定している。
【００６９】
特定の実施の形態では、データ収集システムは、１以上のセンサ１１２からのデータストリームを記憶する。データ収集システムは、データストリームと、サンプルのそれぞれに関連するシステムのタイムスタンプを記録する。特定の実施の形態では、データ収集システムは、記憶の前にデータストリームを圧縮する。例として限定されるものではないが、データ収集システムは、１以上の二分決定グラフ（BDD）として、データストリームをシステムのタイムスタンプと共に記憶する。データ収集システムは、例えばSDカード、固体デバイス、ハードドライブ、ランダムアクセスメモリ、又はウェブサーバに統合されたメモリのような、任意の適切な有形の記憶媒体にデータストリームをシステムのタイムスタンプに記憶する。この開示は、特定の方法でデータストリームを記憶するデータ収集システムを記載しているが、この開示は、任意の適切な方法でデータストリームを記憶するデータ収集システムを想定している。
【００７０】
特定の実施の形態では、データ収集システムは、１以上のセンサ１１２からの１以上のデータストリームを分析し、同期、記憶及び送信される１以上の派生のデータストリームを生成する。データ収集システムは、１以上のデータストリームへの動作を実行して、派生のデータストリームを生成する。例として限定されるものではないが、データ収集システムは、１以上のデータストリームへの動作を実行するメタセンサを使用して、派生のデータストリームを生成する。特定の実施の形態では、派生のデータストリームは、センサアレイ１１０におけるセンサ１１２により直接に測定されない刺激の測定値を表すサンプルを含む。例として限定されるものではないが、センサアレイ１１０は、心電図及びパルス酸素濃度計を含む。データ収集システムは、メタセンサを使用して、心電図からのデータストリームの位置合わせされた心拍のスパイクと、パルス酸素濃度計からのデータストリームの位置合わせされた心拍のスパイクとの間の時間差を測定し、血圧のデータを含む派生のデータストリームを生成する。特定の実施の形態では、血圧は、以下の式で計算される。
【数１】
0005958064.tif 000003
ここでBは血圧であり、ｋ1＝159.6であり、pはパルス波形通過時間であり、k2＝-51.2である。
【００７１】
他の実施の形態では、血圧は、以下の式で計算される。
【数２】
0005958064.tif 000004
ここでBは血圧であり、k1＝354.4であり、pはパルス波形通過時間であり、k2＝-3.74である。
【００７２】
これらの式では、パルス波形の通過時間は、心電図からのデータストリームの心拍のスパイクとパルス酸素濃度計からのデータストリームの心拍のスパイクとの間の時間差から計算される。特定の実施の形態では、データ収集システムは、センサアレイ１１０における１以上のセンサ１１２の故障に応答して、派生のデータストリームの生成を開始する。例として限定されるものではないが、センサアレイ１１０は、心電図、パルス酸素濃度計、及び血圧モニタを含む。血圧モニタが故障又は動作を停止した場合、データ収集システムは、メタセンサを使用して、心電図からのデータストリームの位置合わせされた心拍のスパイクとパルス酸素濃度計からのデータストリームの位置合わせされた心拍のスパイクとの間の時間差を測定し、血圧のデータを含む派生のデータストリームを生成する。データ収集システムは、血圧のデータを含む派生のデータストリームを更に同期、記憶及び送信する。この開示は、派生のデータストリームを生成する特定のプロセスを実行する特定のコンポーネントを記載しているが、この開示は、派生のデータストリームを生成する任意の適切なプロセスを実行する任意の適切なコンポーネントを想定している。さらに、この開示は、特定の派生のデータストリームを生成するため、特定のデータストリームにアクセスすることを記載しているが、この開示は、任意の適切な派生のデータストリームを生成するため、任意の適切なデータストリームにアクセスすることを想定している。
【００７３】
特定の実施の形態では、データ収集システムは、サンプルに関連付けされたシステムのタイムスタンプを使用して、センサ１１２からの１以上のデータストリームを互いに関連付けるか、又はデータストリーム外の情報と関連付けする。また、データ収集システムは、システムのタイムスタンプを、オリジナルのデータストリームを互いに関連付けした結果又はデータストリーム外の情報と関連付けした結果と共に送信する。例として限定されるものではないが、データ収集システムは、特定の人物の血圧が休日の間に増加することを示す。別の例として限定されるものではないが、データ収集システムは、特定の人物の血圧が高いとき、特定の人物の心拍が不規則になっていることを示す。この開示は特定のやり方でデータストリームを関連付けするためにタイムスタンプを使用することを記載しているが、この開示は、任意の適切な方法でデータストリームを関連付けするためにシステムのタイムスタンプを使用することを想定している。
【００７４】
特定の実施の形態では、データ収集システムは、センサネットワーク１００の１以上のコンポーネントにデータストリーム又は派生のデータストリームを送信する。例として限定されるものではないが、データ収集システムは、データストリーム又は派生のデータストリームを、分析システム１８０、ディスプレイシステム１９０又はネットワーク１６０にコネクション１１６を介して送信する。データ収集システムは、データストリーム又は派生のデータストリームにおけるサンプルに関連するシステムのタイムスタンプを更に送信する。別の例として限定されるものではないが、データ収集システムは、インターネットの１以上の部分にわたりデータストリーム及び派生のデータストリームを送信する。特定の実施の形態では、データ収集システムは、データストリーム又は派生のデータストリームにおけるサンプルに関連するシステムのタイムスタンプと共に、データストリーム又は派生のデータストリームを送信する。
【００７５】
特定の実施の形態では、データ収集システムは、センサ１１２からの１以上のデータストリームを互いに関連付けした結果又はデータストリーム外の情報と関連付けした結果と共に、開始時間及びサンプリング周波数を送信する。開始時間は、センサ１１２がサンプリングを開始する所期時間を表す。開始時間は、関連するデータセットの開始時間を表す。サンプリング周波数は、センサ１１２がデータをサンプル又は記録する周波数を表す。特定の実施の形態では、データ収集システム、分析システム１８０、又はディスプレイシステム１９０は、結果におけるそれぞれのデータポイントをタイムスタンプと関連付けすることで、データストリームを関連付けした結果を分析又は表示する。タイムスタンプは、開始時間又はサンプリング周波数に基づく。例として限定されるものではないが、結果における第二のデータポイントには、開始時間にサンプリング周波数の逆数を加えたものに等しいタイムスタンプが割り当てられる。別の例として限定されるものではないが、結果におけるｎ番目のデータポイントには、以下に式に従ってタイムスタンプが割り当てられる。
【数３】
0005958064.tif 000005
ここでtsはタイムスタンプであり、tiは初期時間であり、nはn番目のデータポイントであり、νはサンプリング周波数である。
【００７６】
図６Ａは、データ収集システム６１４を備える例示的なシステム６００、データ収集システムへの及びデータ収集システムからのデータフローを示す。データ収集システム６１４は、１以上のセンサ６１２からデータストリームを受ける。データ収集システム６１４は、入力データストリームに処理を行い、１以上のデータストリームを生成及び送信する。特定の実施の形態では、１以上のセンサ６１２は、データ収集システム６１４への入力であるデータストリームを送信する。例として限定されるものではないが、データストリームは、人に関するデータ（又は人のグループ又はエンティティ）、場所（例えば地理的な位置）、又は物（例えば建物、道路又は車両）を含む。この開示は、特定のタイプのデータストリームを記載しているが、この開示は、任意の適切なタイプのデータストリームを想定している。データ収集システム６１４は、入力として１以上のデータストリームを受信し、受信した１以上のデータストリームに演算を施して、１以上のデータストリームを生成する。例として限定されるものではないが、データ収集システム６１４は、入力データストリームを同期して、１以上のデータストリームを生成する。別の例として限定されるものではないが、データ収集システム６１４は、１以上のデータストリームに数学演算（例えば加算又は減算）を施してデータストリームを生成する。この開示はデータストリームに施される特定のタイプの演算を記載しているが、この開示は、任意の適切なタイプの演算を想定している。データ収集システム６１４は、１以上のデータストリームを出力として送信する。例として限定されるものではないが、データ収集システム６１４は、データストリームを分析システム、ディスプレイシステム、又はネットワークに送信する。データ収集システム６１４は、有線インタフェース（例えばUSBインタフェース又はFirewireインタフェース）、無線インタフェース（例えば802.11インタフェース又はBluetooth(登録商標)インタフェース）、別の適切なインタフェース、又は２以上の係るインタフェースを通してデータストリームに送信する。この開示は特定のタイプの伝送インタフェースを開示しているが、この開示は、任意の適切なタイプのインタフェースを想定している。図６Ａは、センサ６１２及びデータ収集システム６１４からなる特定の構成を例示しているが、この開示は、センサ６１２及びデータ収集システム６１４からなる任意の適切な構成を想定している。さらに、図６Ａは、センサ６１２とデータ収集システム６１４との間の特定のデータフローを示しているが、この開示は、センサ６１２とデータ収集システム６１４との間の任意の適切なデータを想定している。
【００７７】
図６Ｂは、データ収集システム６１４を備える例示的なシステム６００、データ収集システム６１４への及びデータ収集システム６１４からのデータフローを示す。データ収集システム６１４は、１以上のセンサ６１２からデータストリームを受信する。データ収集システム６１４は、１以上の入力データストリームに演算を施して派生のデータストリームを生成するメタセンサ６１６を含む。メタセンサ６１６は、任意の適切なプロセス、計算又は技術を使用して、派生のデータストリームを生成する。特定の実施の形態では、派生データストリームは、１以上のセンサ６１２によりダイレクトに測定されないデータを含む。図６Ｂは、センサ６１２、データ収集システム６１４及びメタセンサ６１６からなる特定の構成を示しているが、この開示は、センサ６１２、データ収集システム６１４及びメタセンサ６１６からなる任意の適切な構成を想定している。さらに、図６Ｂはセンサ６１２、データ収集システム６１４及びメタセンサ６１６の間の特定のデータフローを示しているが、この開示は、センサ６１２、データ収集システム６１４及びメタセンサ６１６の間の任意の適切なデータフローを想定している。
【００７８】
図７Ａは、データ収集システム７１４の例を示す。特定の実施の形態では、データ収集システム７１４は、１以上のポート７３０、ディスプレイ７８０及び送信器７６０を備える。１以上のポート７３０は、１以上のセンサからのデータストリームを受信する。例として限定されるものではないが、ポート７３０は、USBポート、Firewireポート、別の適切なポート、又は２以上の係るポートである。この開示は特定のタイプのポートを記載しているが、この開示は、任意の適切なタイプのポートを想定している。ディスプレイ７８０は、データストリームを表示する。特定の実施の形態では、ディスプレイ７８０は、データストリームの視覚的な表現を表示するスクリーンを備える。他の実施の形態では、ディスプレイ７８０は、データストリームを表す光パターンを表示する１以上の発光ダイオードを備える。この開示は、特定のタイプのディスプレイを記載しているが、この開示は、任意の適切なタイプのディスプレイを想定している。送信器７６０は、分析システム、ディスプレイシステム、又はネットワークにデータストリームを送信する。特定の実施の形態では、送信器７６０は、有線インタフェース（例えばUSBインタフェース又はFirewireインタフェース）、無線インタフェース（例えば802.11インタフェース又はBluetoothインタフェース）、別の適切なインタフェース、又は２以上の係るインタフェースを通して、データストリームを送信する。この開示は特定の伝送インタフェースを記載しているが、この開示は、任意の適切な伝送インタフェースを想定している。特定の実施の形態では、データ収集システム７１４は、電力ポート７２５に結合される電力ケーブル７２０、ポート７３０に結合されるデータケーブル７４０、及びパワーボタン７５０を更に備える。電力ケーブル７２０は、電力ポート７２５を通してデータ収集システム７１４に電力を供給する。データケーブル７４０は、データストリームがデータ収集システム７１４に到達するために進行するデータ伝送媒体である。特定の実施の形態では、データケーブル７４０は、USBケーブル、Firewireケーブル、又は別の適切なケーブルである。この開示は、特定のタイプのデータケーブルを記載しているが、この開示は、任意の適切なタイプのデータケーブルを想定している。パワーボタン７５０は、データ収集システム７１４の状態を変更する。特定の実施の形態では、パワーボタン７５０は、押下されたとき、“ON”状態から“OFF”状態にデータ収集システム７１４を切り替える。他の実施の形態では、パワーボタンは、押下されたとき、“ON”状態から“STANDBY”状態にデータ収集システムを切り替える。この開示は、特定の状態で動作しているデータ収集システムを記載しているが、この開示は、任意の適切な状態で動作しているデータ収集システムを想定している。図７Ａは、ポート７３０、ディスプレイ７８０、送信器７６０、電力ケーブル７２０、電力ポート７２５、データケーブル７４０及びパワーボタン７５０からなる特定の構成を記載しているが、この開示は、ポート７３０、ディスプレイ７８０、送信器７６０、電力ケーブル７２０、電力ポート７２５、データケーブル７４０及びパワーボタン７５０からなる任意の適切な構成を想定している。
【００７９】
図７Ｂは、データ収集システム７１４の例を示す。特定の実施の形態では、データ収集システム７１４は、１以上のポート７３０を有する受信ユニット７３５と、同期手段７７１及びオペレータ８７７２を有するプロセッサユニット７７０と、記憶ユニット７７５と、送信器７６０とを備える。受信ユニット７３５は、１以上のポート７３０で１以上のデータストリームを受信する。例として限定するものではないが、受信ユニット７３５は、それぞれのポート７３０が１つのデータストリームを受信するように構成される。特定の実施の形態では、それぞれのポート７３０は、データ伝送インタフェースを備える。例として限定されるものではないが、ポート７３０は、USBインタフェース、Firewireインタフェース、802.11インタフェース、又はBluetoothインタフェースを有する。この開示は、特定のデータ伝送インタフェースを記載しているが、この開示は、任意の適切なデータ伝送インタフェースを想定している。プロセッサユニット７７０は、受信ユニット７３５からデータストリームを受信し、記憶ユニット７７５からの入力を受ける。プロセッサユニット７７０は、送信器７６０及びディスプレイ７８０にデータストリームを出力する。特定の実施の形態では、プロセッサユニット７７０は、メモリに結合されたプロセッサである。例として限定されるものではないが、プロセッサユニット７７０は、C64Xプロセッサ又はARMプロセッサである。この開示は、特定のタイプのプロセッサを記載しているが、この開示は、任意の適切なタイプのプロセッサを想定している。特定の実施の形態では、プロセッサユニット７７０は、同期手段７７１を備える。同期手段７７１は、１以上のデータストリームにおけるサンプルに関連されるタイムスタンプを同期させる。同期手段７７１は、任意の適切なプロセス又は技術を使用してタイムスタンプを同期させる。特定の実施の形態では、プロセッサユニット７７０は、オペレータ７７２を有する。オペレータ７７２は、１以上のデータストリームに演算を施し、派生のデータストリームを生成する。オペレータ７７２は、任意の適切なプロセス、計算又は技術を使用して、派生のデータストリームを生成する。記憶ユニット７７５は、プロセッサユニット７７０から受信された１以上のデータストリームを記憶する。ストレージユニット７７５は、１以上のデータストリームにおけるサンプルと関連付けされたタイムスタンプを更に記憶する。例として限定されるものではないが、記憶ユニット７７５は、SDカード、固体デバイス、ハードドライブ、ランダムアクセスメモリ、又はウェブサーバに統合されたメモリを備える。この開示は、特定のタイプの記憶装置を記載しているが、この開示は、任意の適切な記憶装置を想定している。特定の実施の形態では、プロセッサユニット７７０は、記憶ユニット７７５に送出する前に、１以上のデータストリームを備える。例として限定されるものではないが、記憶ユニット７７５は、１以上のデータストリーム及びそれらの関連するタイムスタンプを１以上の２分決定グラフ（BDD）として記憶する。この開示は、特定のデータ圧縮アルゴリズムを記載しているが、この開示は、任意の適切なデータ圧縮アルゴリズムを想定している。特定の実施���形態では、記憶ユニット７７５は、記憶されているデータストリームをプロセッサユニット７７０に送出する。送信器７６０は、プロセッサユニット７７０から受信されたデータストリームを送信する。送信器７６０は、データストリームをディスプレイシステム１９０、分析システム１８０、又はネットワーク１６０に送信する。送信器７６０は、有線インタフェース（例えばUSBインタフェース又はFirewireインタフェース）、無線インタフェース（例えば802.11インタフェース又はBluetoothインタフェース）、別の適切なインタフェース又は２以上の係るインタフェースを通してデータストリームを送信する。この開示は、特定のタイプの伝送インタフェースを記載しているが、この開示は、任意の適切なタイプのインタフェースを想定している。特定の実施の形態では、データ収集システム７１４は、ディスプレイ７８０を更に備える。ディスプレイ７８０は、視覚的な形式でプロセッサユニット７７０から受信されたデータストリームを表示する。例として限定されるものではないが、ディスプレイ７８０は、グラフ、チャート又はテーブルとしてデータストリームを表示する。この開示は、特定の視覚的な形式を記載しているが、この開示は、任意の適切な視覚的な形式を想定している。特定の実施の形態では、データ収集システム７１４は、バッテリ７２５を更に備える。バッテリ７２５は、データ収集システム７１４のエレメントに電力を供給する。例として限定されるものではないが、バッテリ７２５は、受信ユニット７３５、プロセッサユニット７７０、記憶ユニット７７５、送信器７６０、及びディスプレイに電力を供給する。特定の実施の形態では、バッテリ７２５は、再充電可能である。バッテリ７２５は、外部ソースから電力を受ける再充電可能なインタフェースを備える。例として限定されるものではないが、バッテリ７２５は、電力ケーブル７２０を受けるインタフェースを備える。図７Ｂは、ポート７３０、受信ユニット７３５、プロセッサユニット７７０、同期手段７７１、オペレータ７７２、ディスプレイ７８０、送信器７６０、記憶ユニット７７５及びバッテリ７２５からなる特定の構成を記載しているが、この開示は、ポート７３０、受信ユニット７３５、プロセッサユニット７７０、同期手段７７１、オペレータ７７２、ディスプレイ７８０、送信器７６０、記憶ユニット７７５及びバッテリ７２５からなる任意の適切な構成を想定している。さらに、図７Ｂは、データ収集システム７１４における特定のデータフローを示しているが、この開示は、データ収集システム７１４における任意の適切なデータフローを想定している。
【００８０】
図８は、データストリームを同期させる例示的な方法８００を示す。本方法は、ステップ８１０で開始し、モバイルコンピューティング装置は、１以上のセンサのそれぞれからのオリジナルのデータストリームにアクセスする。モバイルコンピューティング装置は、データ収集システム６１４又は７１４、ノード１１４又は別の適切なシステムである。それぞれのオリジナルのデータストリームは、オリジナルのデータストリームを送出するセンサにより感知された刺激の測定値をそれぞれが表す一連のサンプルを含む。１以上のセンサは、人の体に固定される。ステップ８２０で、モバイルコンピューティング装置は、システムクロックに基づいて、システムのタイムスタンプをサンプルのそれぞれと関連付けする。システムクロックは、センサに独立に動作する。ステップ８３０で、モバイルコンピューティング装置は、オリジナルのデータストリームを、それらのサンプルに関連されるシステムのタイムスタンプと共に記録する。これは、オリジナルのデータストリームを互いに関連付けするか、オリジナルのデータストリームをデータストリーム外の情報と関連付けするために使用される。この開示は、特定の圧縮アルゴリズムを記載しているが、この開示は、任意の適切な圧縮アルゴリズムを想定している。この開示は、図８の方法の特定のステップが特定の順序で行われるとように記載及び図示しているが、この開示は、図８の方法の任意の適切なステップが任意の適切な順序で行われることを想定している。さらに、この開示は、図８の方法の特定のステップを実行する特定のコンポーネントを記載及び図示しているが、この開示は、図８の方法の任意の適切なステップを実行する任意の適切なコンポーネントの任意の適切な組み合わせを想定している。
【００８１】
［分析］
分析システム１８０は、センサアレイ１１０における１以上のセンサ１１２又は１以上のノード１１４からの１以上のデータストリームを監視、記憶及び分析する。センサ１１２又はノード１１４からデータストリームは、任意の適切な媒体を通して分析システム１８０に送信される。分析システム１８０は、例えばセンサ１１２、ノード１１４、他の分析システム１８０、又はディスプレイシステム１９０のようなセンサネットワーク１００の１以上の他のコンポーネントに、１以上のデータストリームに基づいて１以上の分析出力を送信する。分析システム１８０は、例えばコンピュータシステム１６００のような任意の適切な装置である。
【００８２】
特定の実施の形態では、分析システム１８０は、１以上のローカル分析システム１２０又は１以上のリモート分析システム１５０を有する。分析システム１８０が複数のサブシステム（例えばローカル分析システム１２０及びリモート分析システム１５０）を有する場合、データストリームの処理及び分析は、直列又は並列で行われる。例として限定されるものではないが、分析システム１８０は、ローカル分析システム１２０及びリモート分析システム１５０の両者でセンサ１１２からの同じデータストリームを受信する。別の例として限定されるものではないが、分析システム１８０は、ローカル分析システム１２０でデータストリームを受信し、ローカル分析システムは、データストリームを処理し、次いで変更されたデータストリーム（分析出力）をリモート分析システム１５０に送信する。
【００８３】
特定の実施の形態では、分析システム１８０は、データストリームからの１以上のデータセットにアクセスして分析する。分析システム１８０は、センサアレイ１１０から受信されたとき、リアルタイムでデータストリームを分析するか、データストリームのその後の処理のためにセンサアレイ１１０から受信されたときに、データストリームを記憶する。分析システム１８０は、データストリームを分析する任意の適切なプロセス、計算又は技術を使用している。例として限定されるものではないが、分析システム１８０は、データの測距（ranging）、検査（inspecting）、クリーニング（cleaning）、フィルタリング（filtering）、変換（transforming）、モデル化（modeling）、正規化（normalizing）、平均化（averaging）、注釈化（annotating）、相関付け（correlating）又は文脈への当てはめ（contextualizing）を含めて、様々なプロセス及び計算を実行する。別の例として限定されるものではないが、分析システム１８０は、データマイニング、データフュージョン、分散されたデータベース処理、又は人工知能を含めて、様々なデータ分析技術を使用する。これらの技術は、様々なデータストリームを分析して、データに基づいて相関及び結論を生成するために適用される。分析システム１８０は、複数のデータストリームを分析して、データストリームが関連するかを判定する。データストリーム間の関係は、例えば相関、因果関係、従属関係、相互関係、データ等価性、別の適切な関係、又は２以上の係る関係を含む。この開示は特定の技術を使用する特定の解析プロセスを実行する分析システム１８０を記載しているが、この開示は、任意の適切な技術を使用して任意の適切な解析プロセスを実行する分析システム１８０を想定している。
【００８４】
［データストリームのモデル化］
特定の実施の形態では、分析システム１８０は、１以上のデータストリームに基づいてモデルを生成する。モデルは、システム又はオブジェクトを記述する手段である。例として限定されるものではないが、モデルは、データセット、関数、アルゴリズム、微分方程式、チャート、テーブル、決定グラフ、二分決定グラフ、シミュレーション、別の適切なモデル、又は２以上の係るモデルである。モデルは、１以上の人の生理的、心理的、行動的又は環境的な１以上の態様を含む、様々なシステム又はオブジェクトを記述する。この開示は特定のモデルを生成する特定のコンポーネントを記載しているが、この開示は、任意の適切なモデルを生成する任意の適切なコンポーネントを想定している。さらに、この開示は、特定の技術を使用した特定のモデルを生成することを記載しているが、この開示は、任意の適切な技術を使用して任意の適切なモデルを生成することを想定している。
【００８５】
分析システム１８０は、経験的、理論的、線形、非線形、決定論的、確率的、性的、動的、異質又は同質であるモデルを生成する。分析システム１８０は、例えばカーブフィティング、モデルトレーニング、補間、外挿、統計に基づくモデル化、ノンパラメトリック統計、微分方程式等を含めて、様々な技術を使用して１以上のデータポイントにフィットするモデルを生成する。
【００８６】
分析システム１８０は、ベースラインモデル、統計モデル、予測モデル等を含む様々なタイプのモデルを生成する。ベースラインモデルは、比較の根拠としての役目を果たすモデルであり、一般的に、指定された期間（すなわち制御期間）を通して制御されたデータ（すなわちベースラインデータ）を使用して生成される。制御期間は、任意の適した期間である。例として限定されるものではないが、被験体の血圧のベースラインモデルは、血圧モニタにより一週間にわたり取得された一連の血圧の測定値から計算された被験者の平均の血圧である。予測モデルは、１以上の独立の変数の観点でシステム又はオブジェクトの挙動を記述する数学的な関数（又は関数のセット）である。例として限定されるものではないが、生理的状態を計算するために使用される予測モデルは、１以上の実際のセンサの測定に基づいている。予測モデルのタイプは、統計的モデルであり、このモデルは、ランダム数及びそれらの関連する確率分布の観点で、注目するオブジェクトの挙動を記述する数学的関数（又は関数のセット）である。最も基本的な統計的モデルの１つは、シンプルな線形回帰モデルであり、このモデルは、２つの測定された変数間の線形の関係を想定する。例として限定されるものではないが、分析システム１８０は、パルス酸素濃度計と圧力計とからのデータを比較し、被検体の位置での被検体の血液酸素レベルと気圧との間の線形の相関を識別する。特定の実施の形態では、予測モデルは、ベースラインモデルとして使用される場合があり、予測モデルは、指定された期間を通して制御されるデータを使用して生成される。
【００８７】
特定の実施の形態では、分析システム１８０は、１以上のデータストリームを正規化又は平均化することでモデルを生成する。例として限定されるものではないが、１つのセンサ１１２からのデータストリームのモデルは、幾つかの初期化の期間を通してセンサ１１２により行われる平均のセンサの測定値である。別の例として限定されるものではないが、モデルは、制御期間の間に行われた１つのセンサ１１２の測定である。
【００８８】
特定の実施の形態では、分析システム１８０は、１以上のデータセットを数学的関数に適合させることでモデルを生成する。例として限定されるものではないが、モデルは、幾つかの制御期間を通して１以上のセンサにより行われるセンサの測定値に基づくアルゴリズムである。モデルは、１以上のデータストリームと１以上の固定された変数とからのデータを含めて、様々な変数を含む。以下は、分析システム１８０がシステム又はオブジェクトをモデル化するために生成する例示的なアルゴリズムである。
【数４】
0005958064.tif 000006
ここでｆmはモデルであり、（Ｄ1sensor，．．．，ＤNsensor）は1〜Nのデータストリームであり、（Y1，．．．，YM）は1〜Mの固定された変数である。
【００８９】
特定の実施の形態では、モデルは、理論的又は経験的システムにおける仮説のセンサ測定値を予測するために使用される。特定の実施の形態では、モデルは、被検体の生理的又は心理的状態を決定又は分類するために使用される。例として限定されるものではないが、モデルは、抽象的又は統計的結果をもつ所定の病気の状態について被検体のリスクを決定する。モデルは、病気が進展する「ハイリスク」として被検体を識別するか、又は病気が進展する80%の可能性として被検体を識別する。別の例として限定されるものではないが、モデルは、病気の状態の被検体の深刻さ又は等級を決定する。
【００９０】
［データストリームの文脈への当てはめ及び相関］
特定の実施の形態では、分析システム１８０は、１以上のデータストリームを時間を通してマッピングし、データストリームが比較されるのを可能にする。データストリームのマッピング及び比較により、分析システム１８０は、あるデータストリームからのデータセットを１以上の他のデータストリームからのデータセットの文脈に当てはめ、相互に関連付けする。
【００９１】
特定の実施の形態では、分析システム１８０は、生理的、心理的、行動的、又は環境的データストリームを分析して、あるデータセットを別のデータセットの文脈に当てはめる。文脈の当てはめ（contextualizing）は、１以上のデータストリームにより提供される情報の背景に対してデータセットを解釈するプロセスである。例として限定されるものではないが、ユーザは、心拍モニタ及び加速度計を装着しており、これら心拍モニタ及び加速度計は、心拍のデータストリーム及び速度計のデータストリームをそれぞれ送信する。心拍データストリームにおけるデータセットは、ユーザが所定の期間に上昇された心拍を有することを示す場合がある。分析システム１８０は、ユーザが同じ期間に少々されたアクティビティを有することを示す、加速度計のデータストリームからのデータに対して心拍のデータをマッピングすることで、心拍のデータの文脈の当てはめを行う。データセットは、センサ１１２からのデータストリームからのデータ又は分析システム１８０によりアクセスされた固定されたデータからのデータを使用して文脈の当てはめが行われる。別の例として限定されるものではないが、心拍モニタからのユーザの心拍のデータセットは、ユーザの全遺伝情報のデータセットに対して文脈の当てはめが行われる。
【００９２】
特定の実施の形態では、分析システム１８０は、生理的、心理的、行動的、又は環境的データストリームを分析して、所定のデータセット間の相関を識別する。相関付けは、因果的な関係、相補的な関係、並列な関係、又は相互の関係を確立すること又は明らかにすることである。例として限定されるものではないが、ある人における正相関のアクティビティレベル及びその人の心拍が存在する。分析システム１８０は、心拍データと加速度計データとを分析して、ユーザが所定のレベルを超えて彼のアクティビティを増加したとき、彼の心拍における増加を引き起こすこと、ユーザの心拍が所定のレートに到達するまでアクティビティレベル及び心拍が比例的に増加することを確定する。相関の程度は、２以上の測定値が同時に変化する程度である。これらの相関は、（例えばピアソンの積率相関係数により決定される）変化する依存の程度からなる。一般に、分析システム１８０は、より多くのデータがセンサアレイ１１０から利用可能となるので、より正確な相関をなす。次いで、分析システム１８０は、これらの相関を使用して、変化する信頼の程度からなる因果関係の仮説を生成する。一般に、分析システム１８０は、より多くのデータがセンサアレイ１１０から利用可能となるとき、より正確な相関をなす。
【００９３】
特定の実施の形態では、分析システム１８０は、幾つかのタイプの偏差、変動性又は変化を示す１以上のデータストリームからのデータセットの文脈を当てはめ、相互に関連付ける。データストリームにおける偏差、変動性又は変化は、データストリームにおける他のデータセットに関するか又は他のデータストリームに関する。幾つかのタイプの偏差、変動性又は変化を示すデータストリームをマッピング及び比較することで、分析システム１８０は、データストリームの文脈を当てはめ、相互に関連付ける。これは、例えばデータストリームにおける偏差、変動性又は変化の原因を識別するために有効である。例として限定されるものではないが、増加されるアクティビティと一致する上昇される心拍は、一般に、正常な応答である。しかし、僅かに上昇される身体的なアクティビティに一致する心拍におけるスパイクは、正常な応答ではない。分析システム１８０は、比較に基づいて、所定のアクティビティのレベルがユーザにおいて異常な心拍のスパイクを生成したかを判定する。
【００９４】
例として限定されるものではないが、センサアレイ１１０は、心拍センサ、スマートフォンである（被験者のストレス及び行動的な情報を収集する）ムードセンサ４００、スマートフォンに組み込まれるGPSシステムを含む。このシステムは、ユーザにおけるストレスを診断及び監視するため、生理的、心理的、行動的及び環境的なデータストリームの文脈に当てはめ、相互に関連付けするために使用される。例えば、心拍数のセンサのデータストリームは、その日の所定時間で又は所定の位置でユーザの心拍数におけるスパイクを示す。同様に、ムードセンサ４００のデータストリームは、心拍データに対してマッピングされたとき、これら増加する心拍の期間が、ユーザのムードが「ストレスを受けている」こと及びユーザのアクティビティが「運転している」ことをユーザが示したときの期間に相関することを示す。ユーザが高血圧として前に診断された場合、ユーザの心拍においてスパイクを生じさせるこれら特定のストレスを受けている運転の状況を回避することが望まれる。これらストレスを受けている運転の状態は、GPSシステムのデータストリームに対して前のデータストリームの文脈を当てはめることで識別される。GPSシステムからの位置データが前のデータストリームに対してマッピングされるとき、心拍のスパイク、ストレスを受けているムード、及び運転の全てが特定の幹線道路のインターチェンジで生じていることを示す。従って、生理的、心理的、行動的及び環境的なデータストリームの文脈を当てはめることで、分析システム１８０は、ユーザの心拍のスパイクの原因として特定の幹線道路のインターチェンジでの運転を識別する。これは、例えばユーザが回避すべき状況（例えば特定の幹線道路のインターチェンジ）を識別し、良好又は健康的な代替（例えば舗装道路を）を識別することができるため有益である。
【００９５】
［健康状態の診断及び監視］
特定の実施の形態では、センサアレイ１１０における１以上のセンサ１１２又は１以上のノード１１４は、被検体の健康に関するデータを分析システム１８０に連続的に送信し、分析システムは、被検体における健康状態における変化を監視して自動的に検出する。本明細書で使用されたとき、「健康状態」は、病状及び疾患に関する人の状態を含む、人の生理的状態及び心理的状態を示す。統合されたセンサアレイ１１０を使用して生理的、心理的、行動的及び環境的データを監視することで、分析システム１８０は、病気の状態、疾患の状態、感度、任意の個々のセンサ１１２により可能であるよりも高い精度での他の健康に関連する状態を識別する。
【００９６】
特定の実施の形態では、センサアレイ１１０における１以上のセンサ１１２は、１以上の生体指標を測定する。生体指標は、生物学的過程、発病過程、薬理反応の指標として測定及び評価される。例として限定されるものではないが、薬理ゲノム学の文脈において、生体指標は、薬物反応と相関する特定の遺伝的変異である。別の例として限定されるものではないが、神経化学の文脈において、生体指標は、人のプラズマグルココルチコイドのレベルと相関する人の披見体のストレスレベルである。更に別の例として限定されるものではないが、神経心理学の文脈では、生体指標は、人の落ち込みレベルに相関する人のセロトニンの取り込み割合である。更に別の例として限定されるものではないが、生化学の環境において、生体指標は、心臓麻痺のような人の心臓の病気のリスクと相関する人のLDLコレステロールレベルである。生体指標は、別の生理的特性又は心理的特性を測定する効果的なサロゲートである。生体指標は、生体的、心理的、行動的又は環境的な刺激を含む、任意のタイプの刺激を含む。
【００９７】
特定の実施の形態では、分析システム１８０は、被検体の病気の状態、疾患の状態又は被検体の他の健康の状態を識別する。所定の生理的、心理的、行動的又は環境的なデータは、所定の病気、疾患の状態及び他の健康の状態と相関する。例として限定されるものではないが、分析システム１８０は、三週間の期間血圧のデータストリームを監視し、被検体の血圧が少なくとも140/90mmHgである実質的な期間を識別することで、被検体が高血圧を有するかを判定し、これらの症状される血圧の実質的な期間は、高血圧を構成する。識別の精度は、データストリームの数が増加されるときに増加する。分析システム１８０は、複数のデータストリームからのデータの文脈の当てはめ及び相互の関連付けを行い、そのデータ分析から交絡因子を除去して偽陽性及び偽陰性の病状の診断を生成する可能性を低減する。例として限定されるものではないが、上述された高血圧診断システムは、被検体が長期にわたる身体運動に従事している場合に、高血圧の偽陽性の診断を生成し、これは、被検体の血圧を当然に上昇させる。従って、分析システム１８０は被験者の心拍のデータストリームを監視した場合、分析システムは、高い心拍の期間と相関する血圧のデータセットを除去し、これにより誤った高血圧の診断の可能性が低減される。
【００９８】
特定の実施の形態では、分析システム１８０は、生理的、心理的、行動的、又は環境的なデータストリームを分析して、所定のデータセットと被検体の健康状態との間の相関を識別する。例として限定されるものではないが、分析システム１８０は、被検体が喧嘩をしたことを示す行動的なデータセットを、被検体が上昇した心拍を有したことを示す生体的なデータセットと相互に関連付け、上昇した心拍の原因として喧嘩を識別することができる。別の例として限定されるものではないが、分析システム１８０は、被検体が上昇された皮膚温を有したことを示す生理的なデータセットを、被検体が身体運動に従事していたことを示す行動的なデータセットと相互に関連付け、上昇した皮膚温の原因として身体運動を識別する。更に別の例として限定されるものではないが、分析システム１８０は、被検体が落ち込んでいることを示す心理的なデータセットを、被験者の株式のポートフォリオが被験者の落ち込みの直前に低下したことを示す環境的なデータセットと相互に関連付け、被検体の落ち込みの原因として株式の低下を識別する。分析システム１８０は、様々な方法を使用して、相関を識別して因果関係の仮説を生成する。
【００９９】
特定の実施の形態では、分析システム１８０は、被検体の健康の状態のモデルを生成する。例として限定されるものではないが、分析システム１８０は、制御期間の間に１以上のデータストリームを分析することで、被検体の生理的又は心理的状態のベースラインのモデルを生成する。ひとたびベースラインモデルが確立されると、分析システム１８０は、被検体を連続して監視し、ベースラインモデルと比較してデータストリームにおける偏差、変動性又は変化を識別する。別の例として限定されるものではないが、分析システム１８０は、１以上のデータストリームを分析して、センサの測定値に適合する１以上のアルゴリズムを生成することで、被検体の生理的又は心理的な状態の予測モデルを生成する。ひとたび予測モデルが確立されると、分析システム１８０は、将来の健康状態、予想される又は仮説のセンサの読み取り、及び他の被検体の生理的又は心理的な態様を予測するために使用される。また、分析システム１８０は、センサアレイ１１０により生成された新たなデータに基づいて予測モデルをアップデート及びリファインする。
【０１００】
特定の実施の形態では、分析システム１８０は、病状の進展及び時間を通して他の健康状態の変化を監視する。例として限定されるものではないが、分析システム１８０は、時間を通して被検体の血圧を連続して監視し、被検体の仮説が改善しているかを判定する。係るモニタリングは、傾向を識別し、可能性のある健康の状態に関する警告又は予測を生成するために使用される。同様に、分析システム１８０は、処置又は治療が効果的であるかを判定するため、処置又は治療の情報を含むデータストリームを監視する。例として限定されるものではないが、分析システム１８０は、ACE阻害剤処理が被検体の高血圧に影響を及ぼすかを判定するため、時間を通して被検体の血圧を監視する。
【０１０１】
特定の実施の形態では、分析システム１８０は、人のグループからの様々なデータストリームを監視及び分析し、新たな病気にかかる前の状態又はリスクの状態を識別する。例として限定されるものではないが、１以上のセンサアレイ１１０は、複数の被検体を監視する。複数の被検体が所定の病気を生じたとき、分析システム１８０は、これらの被検体の前の彼等の病気の進展からのデータセットを分析する。これらのデータセットの分析は、分析システム１８０は、病気を進展させるリスクのレベルと相関する所定の健康の状態を識別する。
【０１０２】
［ストレス一般］
ストレスは、環境的な要求又は圧力に対する人の全体的な応答である。ストレスは、人における実際の又は知覚される需要と能力との不均衡から生じる状態である。これは、ストレスの多いイベントを変更すること又はストレスの多いイベントに強調することに向けられる生化学的な変化、生理的な変化、及び行動的な変化により達成されるネガティブな精神的な経験である。ストレスは、緊張として、又は人の適応能力を超え、健康で安心であることを脅かすものとして知覚される、人と環境との間の相互作用から生じる。ストレスの原因（すなわちストレッサ）は、ある人が彼の対処方法又はリソースに対して脅かすものと考えられるイベント又は出来事を含む。ストレスは、ある人における様々な生理的、心理的、又は行動的な反応を引き起こす。例として限定されるものではないが、ストレスにより、人の体は、カテコールアミン又はグルココルチコイドのような、所定のホルモン及び神経伝達物質を解放する。
【０１０３】
カテコールアミンは、交感神経系における神経伝達物質である。カテコールアミンは、チロシンから合成される。また、これらは、心理的又は生理的なストレスの間に血液に開放される。血液における高いカテコールアミンのレベルは、ストレスに関連する。主要なカテコールアミンは、ドーパミン、ノルエピネフリン（ノルアドレナリン）、エピネフリン（アドレナリン）である。カテコールアミンは、脳及び他の神経組織において合成される。また、カテコールアミンは、副腎により生成され、血液に分泌される。ノルエピネフリン及びドーパミンは、中枢神経系において神経修飾物質として機能し、血液循環においてホルモンとして機能する。ノルエピネフリンは、抹消交感神経系の神経修飾物質であるが、（大部分は交感神経のシナプスからの「漏出」を通して）血液においても存在する。カテコールアミンは、人体が身体運動（闘争−逃走反応）の準備をする一般的な生理的な変化を引き起こす。幾つかの典型的な影響は、心拍、血圧、血糖値における増加、交感神経系の増加されるアクティビティにおける増加を含む。トルカポン（中央COMT阻害剤）のような幾つかの薬剤は、それらの分解のポストリリース（post-release）を阻止することで、全てのカテコールアミンのレベルを上昇させる。
【０１０４】
エピネフリンは、筋肉、脂肪、組織及び肝臓に主に作用する重要なカテコールアミンである。エピネフリンは、心拍及び血圧を増加させ、呼吸経路を広げることで、筋肉組織へのO2の伝達を増加させる。エピネフリンは、グリコーゲンホスホリラーゼを活性化し、グリコーゲンシンターゼを不活性化することで、グルコースの生成を増加させる。エピネフリンは、骨格筋におけるグリコーゲンの発酵による乳酸塩への嫌気性分解を促進し、従って糖分解のATP形成を刺激する。解糖の刺激は、フルクトース2,6-ビスリン酸、糖分解の酵素のホスホフルクトキナーゼ-1のアロステリックな活性化因子の濃度を上昇させることで達成される。最後に、エピネフリンは、グルカゴンの分泌を刺激し、インスリン分泌を抑制する。
【０１０５】
グルココルチコイドは、グルココルチコイドの受容体に化学結合するステロイドホルモンのクラスである。グルココルチコイドは、潜在的な悪影響を含めて、多くの悪い（多面的な）影響を有する。グルココルチコイドは、グルココルチコイドの受容体に化学結合することで、それらの影響を引き起こす。活性化されたグルココルチコイドの受容体複合体は、核における抗炎症性のタンパク質の表現を上方制御し（トランス活性化として知られるプロセス）、シトソルから核への他の転写要素の転移を防止することで（転写抑制）、シトソルにおける前炎症性タンパク質の表現を抑制する。
【０１０６】
コルチゾール（又はヒドロコルチゾン）は、最も重要な人間のグルココルチコイドである。これは、生命にとって不可欠であり、様々な重要な心臓血管、代謝、免疫学、恒常性を規制又はサポートする。様々なストレッサ（心配、恐れ、出血、感染、低血糖等）は、副腎皮質からのコルチゾールの解放をシミュレートする。コルチゾールは、筋肉、肝臓及び脂肪組織に作用し、人に差し迫った強度の運動のための栄養を供給する。コルチゾールは、既存の酵素分子を規制するのではなく、そのターゲットセルにおいて新たに合成される所定の酵素の種類及び量を変えることで、代謝作用を変更する比較的遅効性のホルモンである。脂肪組織において、コルチゾールは、記憶されたトリアシルグリセロールからの脂肪酸類の放出を刺激する。脂肪酸類は、様々な組織の燃料としての役割を果たすため、血液に運び出され、トリアシルグリセロールの分解から得られたグリセロールは、肝臓におけるグルコース新生のために使用される。コルチゾールは、不必要な筋タンパクの分解及び肝臓へのアミノ酸の運び出しをシミュレートし、この場合、筋タンパク及びアミノ酸は、グルコース新生の前駆体としての役割を果たす。肝臓において、コルチゾールは、鍵となる酵素PEPカルボキシキナーゼの合成を刺激することでグルコース新生を促進し、グルカゴンは、この影響を有しており、インスリンは、反対の影響を有している。このように生成されたグルコースは、グリコーゲンとして蓄えられるか、燃料のためにグルコースを必要とする組織により即座に運び出される。これら代謝の変化の正味の影響は、血糖レベルを上昇し、ストレスに一般に関連する闘争−逃走反応をサポートするためにグリコーゲンを蓄えることである。結果として、コルチゾールのようなストレスホルモンの影響は、インスリンの影響に釣り合う。
【０１０７】
ストレスの症状は、生理的、心理的又は行動的である。症状は、低下した判断力、落ち込み、心配、不機嫌、怒りやすさ、興奮、孤独感、様々な筋肉の病気、頭痛、下痢又は便秘、吐き気、目まい、胸痛、上昇された心拍、不規則な食事、不規則な睡眠、社会的引きこもり、優柔不断又は責任の無視、薬物及びアルコールの中毒、並びに、他の異常又は不規則な行動である。
【０１０８】
［ストレスの測定］
特定の実施の形態では、センサネットワーク１００は、生理的、心理的、行動的、又は環境的なデータストリームを分析して、あるユーザにおけるストレスを診断及び監視する。センサアレイ１１０は、生理的、心理的、行動的、又は環境的なデータストリームを分析システム１８０に間欠的に又は連続的に送信する。分析システム１８０は、１以上のこれらのデータストリームを分析して、ユーザのストレス指標を決定する。ストレス指標値を生成するため、２つのセンサの任意の組み合わせが使用される。これらのストレス指標値は、時間を通してある人を監視することで改善及び較正される。生理的な状態における変化がストレスによるものか又はストレスに関連しないイベント（例えば運動、脱水症）によるかを判定する。ストレスに誘導される生理的な変化は、ある人のベースラインの生理的な状態及びストレスに関連する生理的な変動の範囲を確立するために使用される。また、ある人は、トレーニング又は制御期間に従事しており、制御期間において、その人の入力又はフィードバックは、その人のストレス指標が計算されるのを可能にするストレスモデルを展開するマシンラーニングアルゴリズムに関与するために使用される。同様に、マシンラーニングは、生理的なストレスの応答を、心理的、行動的又は環境的な状態における変化と相互に関連付けするために使用される。
【０１０９】
特定の実施の形態では、分析システム１８０は、前に生成された生理的、心理的、行動的、又は環境的なデータにアクセスして、現在の生理的、心理的、行動的又は環境的なデータと比較する。また、分析システム１８０は、前に決定されたストレス指数にアクセスし、現在のストレス指数と比較する。比較に基づいて、分析システム１８０は、ユーザのストレスレベルが時間を通して変化したかを判定する。また、分析システム１８０は、時間に関してストレスレベルをモデル化し、ユーザのストレスレベルにおける傾向を識別する。ストレスレベルにおけるこれらの変化及び傾向に基づいて、様々な警告又は警報がユーザ又は第三者（例えばユーザの医師）に提供される。
【０１１０】
分析システム１８０は、ある人におけるストレスレベルにアクセスするため、定性的及び定量的の両者で、様々なスケールを使用する。ある人のストレスレベルは、ストレスを測定又は評価するための任意の適切なスケールである、ストレス指標を使用して定量化される。分析システム１８０は、複数のセンサ１１２からのデータを結合することでストレスを定量化する。最も簡単なアプローチは、単一の数値、すなわちストレス指標を割り当てることである。例えば過度ストレス指標、ストレス負荷、ストレス回復係数、又は他の適切なストレス測定値のような更なるリファインメントが開発される。例として限定されるものではないが、分析システム１８０は、0-4リッカート尺度である人のストレスレベルを等級付けし、５レベルのリッカートアイテムは、以下の通りである、0：非常にストレスを受けていない、1：適度にストレスを受けていない、2：ストレスを受けている又はストレスを受けていないかのどちらでもない、3：適度にストレスを受けている、4：非常にストレスを受けている。
【０１１１】
他の適切なリッカートアイテムが使用される場合がある。リッカートアイテムは、インターバルレベルのデータ又は順序カテゴリカルデータとして分析される。別の例として限定されるものではないが、分析システム１８０は、0〜100のスケールで、ある人のストレスレベルを等級付けし、0はリラックスしているときのユーザのベースラインストレスであり、100はユーザの最大のストレスである。ストレスインデックスは、絶対スケールでスケーリングされるか又は個々のスケールでスケーリングされる。例として限定されるものではないが、同じストレスの体験を有する２人のユーザは、個々のストレス指標で異なるストレスレベルを報告する。しかし、同じストレスの経験を受けている２人のユーザは、個々のストレス指標での異なるストレスレベルを報告する。リラックスしているときの第一のユーザのベースラインストレスは、0のストレス指標を報告し、このストレス指標は、0のストレス指標を報告する、リラックスしているときの第二のユーザのベースラインのストレスとは異なる。同様に、第一のユーザは、特定のストレスに対して僅かなストレス応答のみを有しており、第二のユーザは、同じストレッサに対して重要なストレス応答を有する。特定の実施の形態では、ストレス指標は、多次元の指標である。例として限定されるものではないが、ストレス指標は、人の過渡的なストレス、（すなわちストレッサーにより引き起こされるストレスにおける変化）、ベースラインストレス（すなわち正常状態におけるときの人のストレス）、ストレスの回復（すなわち患者がストレッサから回復する割合）を定量化する。特定の実施の形態では、ストレス要素は、特定のストレッサ又は治療に割り当てられる。ストレス要素は、特定のストレッサ又は治療と関連する人のストレス指標における変化である。例として限定されるものではないが、道路交通における運転は、人のストレス指標を0-100ストレススケールで10ポイントだけ増加し、深呼吸の運動は、その人のストレス指標を8ポイントだけ減少させる。この開示は、ある人におけるストレスレベルを評価する特定のスケールを使用して特定のストレス指標を記載しているが、この開示は、ある人におけるストレスレベルを評価する任意の適切なスケールを使用して任意の適切なストレス指標を想定している。
【０１１２】
ストレスは、様々な方法を使用して測定される。例として限定されるものではないが、ストレスは、心拍の変動性、ストレスに関連する検体及び自己報告の主観的なストレスを分析することで測定される。
【０１１３】
ストレスは、心拍モニタからのデータにアクセスすること、心拍の変動性を分析することで測定される。心拍の変動性は、パルス酸素濃度計を使用して一般に使用され、このパルス酸素濃度計は、ある人の心拍と血液酸素レベルを測定する心拍の変動性を使用して、異なる周波数帯域を交感神経及び副交感神経の作動と関連付けることで、ストレスを定量化する基本的な記述は、1980年代における研究からもたらされる。２つの周波数帯域の割合を形成することで、相対的な作動を比較する定量的な測定値（例えば「交感神経迷走神経の均衡」（Pagani等、1986年，Bigger等，1992年））が作成され、これらの文献は、人のストレスレベルを表現している。この考えは、よりロバストになるようにリファインされ、後の文献で更に十分に記載される（Albrecht  &  Cohen，1998年；Rottman等，1990年；Bigger等，1992年）。Parati等（1995年）は、HRV及び血圧の変動性に適用されるスペクトル分析の調査を提供する。彼等は、0.15Hzを超える周波数として定義されるHFの選択（副交感神経の制御）について、0.15Hzを下回る（0.07Hzを超える）周波数として定義されるLFの選択（交感神経の制御）について幾つかの根拠を含む。また、これらの測定は、交感神経及び副交感神経系の作用を不完全に考慮するものであり、割合の測定値は、高いストレスに関連される値であって、実際には幾つかの他の現象による値を与える。心拍の変動性の測定における困難さの詳細な説明は、Clifford（2002）で発見される。
【０１１４】
また、ストレスは、バイオセンサからのデータにアクセスし、グルココルチコイド及びカテコールアミンのレベルのようなストレスに関連した検体レベルを分析することで測定される。免疫学的検定及び様々なクロマトグラフィ技術を含めて、グルココルチコイド及びカテコールアミンのレベルを測定するため、様々な手段が使用される。バイオセンサは、ユーザの検体のレベルに関する情報を測定及び送信する。次いで、分析システム１８０は、この検体のデータを、ストレスに関連した検体レベルをストレスに相互に関連付けて、ユーザのストレス指標を計算するストレスモデルに入力することで、この検体のデータを分析する。
【０１１５】
また、ストレスは、例えば、ユーザのストレスの主体的な体験に関する情報を受信する１以上のユーザ入力センサからのような、自己報告されたストレス情報にアクセスすることで測定される。ユーザの心理的なストレスは、ユーザの生理的なストレス反応の生体指標である。ストレスのユーザの主体的な体験は、例えばユーザのストレスの主観的な体験をユーザのグルココルチコイドのレベルと相互に関連付けすることで、ユーザの生理的なストレスを間接的に測定する。ユーザ入力センサは、ユーザの心理的なストレスレベルに関する情報を測定及び送信する。分析システム１８０は、この心理的なデータを、心理的なストレスのレベルをストレスと相互に関連付けしてユーザのストレス指数を計算するストレスデルに入力することで、この心理的なデータを分析する。
【０１１６】
この開示はストレスを測定する特定の方法を記載しているが、この開示は、ストレスを測定する任意の適切な方法を想定している。例として限定されるものではないが、ストレスは、生理的、心理的、行動的、又は環境的センサからの任意の適切なデータストリームを使用して測定される。
【０１１７】
［腎臓のドップラ超音波法を使用した個人向けストレスプロファイルの作成］
ストレスの測定及び監視は、本発明の装置にとって重要な課題である。ストレスに対する生体的な応答は、人の程度と共にタイプによって変わる。これは、人間におけるストレスを測定及び監視する一般化された方法の作成において問題を生じさせる。ストレスの間の主要な変化は、交感神経系において観察される。交感神経系は、生体における多くの恒常性維持機能を上向き調節する役割を果たす。交感神経系からの神経線維は、殆ど全ての臓器系における組織を刺激し、少なくとも幾つかの調節機能を瞳孔径、腸運動性及び尿量と同じ多様なものに与える。これは、ニューロン及びホルモンのストレス反応を調節するために最も知られている。従って、ストレスを測定する１つの方法は、係る神経が豊かな腎臓におけるような、交感神経の反応を測定及び監視することに関する。
【０１１８】
腎臓は、脊椎動物及び幾つかの脊椎動物を含めて、大部分の動物において不可欠の調節の役割を果たす。腎臓は、泌尿器系において必須であり、（例えば電解質、酸塩基平衡の維持、及び血圧の調節といった）恒常性機能の役割を果たす。腎臓は、血液の自然のフィルタとして人体に機能し、膀胱に向かう排泄物を除く。尿の生成において、腎臓は、尿素及びアンモニウムのような排泄物を排出し、また、腎臓は、水分、ブドウ糖及びアミノ酸の再吸収の役割を担う。また、腎臓は、カルシトリオール、レニン、及びエリスロポチエンを含むホルモンを生成する。後腹膜における異常な空洞の後方に位置され、腎臓は、対をなす腎動脈からの血液を受け、対をなす腎動脈に流出する。それぞれの腎臓は、膀胱に排出する対をなす構造である尿管に尿を排出する。
【０１１９】
腎臓は、酸塩基平衡、電解質濃度、細胞外の液量及び血液を調節することで、全身のホメオスタシスに参加する。腎臓は、他の臓器（すなわち腎臓外及び腎臓内のメカニズム）とは独立に及び他の臓器と協力して、これらの恒常性の機能、特に内分泌系の機能を達成する。様々な内分泌ホルモンは、例えば腎臓、アンジオテンシンII、アルドステロン、抗利尿薬、及び心房性ナトリウム利尿ペプチドのような、これらの内分泌機能を調整する。
【０１２０】
腎臓の機能の多くは、比較的簡単なろ過、再吸収及び分泌のメカニズムにより達成され、これらは、ネフロンにおいて行われる。ろ過は、腎小体で行われ、細胞及び大きなタンパク質が血液からろ過され、最終的に尿となる限外ろ過液が作成されるプロセスである。典型的な人間の腎臓は、一日当たり180リットルのろ過された液体を生成し、大きなパーセンテージを再吸収し、約2リットルの尿の生成のみが可能である。再吸収は、この限外ろ過液からの分子を血液に転送する。分泌は、血液から尿へと、分子が反対方向に転送されるリバースプロセスである。
【０１２１】
交感神経系は、大部分の腎臓の組織で識別される神経の広範なネットワークをもつ、通常の腎臓の機能を維持する恒常性の制御系に統合された部分である。交感神経系は、腎臓機能の短期間の調整を行い、通常の状態下で、腎臓の交感神経のアクティビティは低い。深刻なストレスの間、上昇された交感神経のアクティビティは、腎臓の機能を弱める。慢性ストレスの研究は、決定的なものではなく、高血圧及び心血管系の合併症のようなストレスにより誘発される更なる病気のために設計することが困難である。精神的なストレスの主要な腎臓の効果は、増加された腎臓の血管収縮を含み、より大きな腎臓の血管の抵抗（RVR）及び増加されたNa+伝達を引き起こし、より多くのNa+の保持を引き起こす。これらの影響の何れも、高血圧の進展に寄与し、幾つかの調査員は、これは高血圧の主要なメカニズムであると提案する。従って、ストレスの腎臓の影響に関する大部分の研究は、仮説に対するその関係に焦点を当てている。ストレスの影響は高血圧患者において更に強調されるが、ストレスは、通常の患者において腎臓の血管収縮及びNa+の保持を増加する。
【０１２２】
全身血圧は、腎かん流圧（RPP）を決定し、腎血管抵抗の重要な決定因である。腎臓は、広範囲の腎かん流圧を通してそれ自身の血流を効果的に自動的に調節する固有の能力を有する。腎血流（RBF）は、より広い範囲の腎かん流圧を通してほんの少し変化し、従って安定した腎血管抵抗を維持するのに役に立つ。これは、主要な腎血管抵抗、糸球体前性の輸入細動脈、糸球体後性の輸出細動脈における血管緊張の微調整による。しかし、多くのホルモン及びニューラルの乱れは、自動調整を変更し、これらの細動脈を標的とし、腎血管抵抗における不適切な増加につながる。増加される交感神経のアクティビティは、細動脈抵抗及び腎血管抵抗を増加する。増加される腎血管抵抗は、全体の増加される周辺抵抗に対するその寄与（腎臓の血流は心拍出量の25％であるので）、及びそのNa+の再吸収を促進する機能を介して、高血圧を悪化させる。ストレスは、腎血管抵抗に影響を与えるニューラルな変化及びホルモンの変化の両者を含む。
【０１２３】
腎臓の血流は、ストレスと関連があり、従って腎臓の血流における変化は、ストレスの重要な指標である。ユーザのストレスレベルは、腎臓の血流の情報から決定される。人の腎臓の抵抗の指標又は腎血管抵抗における変化は、ストレスに対する人の生理的又は心理的な反応を検出するために使用される。例として限定されるものではないが、高い腎臓の抵抗の指標（腎臓RI）は、高いストレスレベルに対応する。同様に、低い腎臓のRIは、低いストレスレベル（すなわちリラックスした状態）に対応する。腎臓の血流の情報は、ストレスモデルを生成又は認証するために使用される。ドップラ超音波法（パルス波又は連続波）は、腎臓脈の血流を測定するために使用される。また、腎臓のドップラ超音波法は、ピークの血液パルスに関する情報を含む。パルスのピークは、腎臓の血圧を測定するために使用される、脈波の経過時間を測定するため、心電計の情報に共に使用される。次いで、分析システム１８０は、腎臓の血流の情報を使用して、その人物におけるストレスを測定及び監視する。
【０１２４】
特定の実施の形態では、分析システム１８０は、腎臓のドップラ超音波法並びに１以上の生理的、心理的、行動的又は環境的センサからの１以上のデータストリームにアクセスして、ある人におけるストレスを測定及びモデル化する。データストリームは、人の腎臓のドップラデータ、人の生理的なデータ、心理的なデータ、行動的なデータ又は環境的なデータをそれぞれ含む。腎臓のドップラデータは、腎臓の血流速度データ、腎臓の血流データ、腎臓の抵抗指数、腎血管抵抗、又は腎臓のドップラ超音波法により生成又は計算された他のデータである。特定の実施の形態では、分析システム１８０は、腎臓のドップラ超音波法及び１以上の心拍モニタ、血圧モニタ、パルス酸素濃度計、又はムードセンサからのデータストリームにアクセスする。この開示は、ある人におけるストレスを測定及びモデル化するために特定のセンサ１１２及び特定のデータストリームにアクセスすることを記載しているが、この開示は、ある人におけるストレスを測定及びモデル化するために任意の適切なセンサ１１２及び任意の適切なデータストリームにアクセスすることを想定している。
【０１２５】
特定の実施の形態では、分析システム１８０は、腎臓のドップラ超音波及び１以上の生理的、心理的、行動的又は環境的なセンサからのデータストリームに基づいてある人のストレスモデルを生成する。例として限定されるものではないが、ストレスモデルは、ある人の腎臓のドップラデータ、その人の心拍データ、その人の血圧データ、その人のパルス酸素濃度データ、又はその人のムードデータに基づいたアルゴリズムである。ストレスモデルのデータは、制御期間の間に、その人から収集されたベースラインデータに基づいている。制御期間の間、以下の変数が制御される。ユーザの環境、その人が晒されているストレッサ及び治療、腎臓のドップラ超音波法及び他のセンサ１１２のサンプリングレート、及び他の適切な変数。ストレスは、例えばアンケート、自己誘導による方法、メディア、個人的な対話、又は他の適切なストレッサのような、ある人を特定のストレッサに晒すことで誘発される。次いで、このベースラインデータは、その人のストレス指標と関連付けされる。ストレスモデルは、例えば腎臓の血流速度、腎臓の血流、心拍、血圧、血中酸素レベル、ストレスレベル、又は１以上の固定された変数のような様々な変数を含む。特定の実施の形態では、分析システム１８０は、１以上のデータセットを数学的関数に適合させることで、モデルを生成する。例として限定されるものではないが、ストレスモデルは、幾つかの制御期間を通して１以上のセンサ１１２により行われるセンサの測定に基づくアルゴリズムである。ストレスモデルは、１以上のデータストリーム及び１以上の固定された変数からのデータを含めて、様々な変数を含む。以下は、ある人のストレスをモデル化するために分析システム１８０が生成する例示的なアルゴリズムである。
【数５】
0005958064.tif 000007
ここでfsmはある人のストレスモデルであり、（D1RBV）は、その人の腎臓の血流速度であり、（D2HR）は、その人の心拍であり、（D3BP）は、その人の血圧であり、（D4SpO2）は、その人の血中酸素レベルであり、（D5mood）は、その人の自己報告されたストレスレベルであり、（X1，．．．，XM）は、1〜Mまでの固定された変数である。
【０１２６】
特定の実施の形態では、人のストレス指数を計算するためにストレスモデルが使用される。例として限定されるものではないが、人のストレス指数は、ｆsm＝SIのような、人のストレス指数をダイレクトに計算し、SIは、人のストレス指数である。別の例として限定されるものではないが、人のストレス指数は、ｆ(ｆsm)＝SIのような、人のストレスモデルに基づいている。特定の実施の形態では、人のストレス指数は、D5mood＝SIのような、人の自己報告されたストレスレベルに等しい。腎臓の血流速度のデータが与えられると、人の自己報告されたストレスと人の腎臓の血流速度との間の相関が決定される。また、自己報告されたストレスと他の物理的なパラメータとの間の相関が決定され、（D5mood＝D1RBV，D2HR，D3BP，D4SpO2，X1，．．．，XM）のように、ストレスモデルが再公式化されるのを可能にする。また、分析システム１８０は、センサアレイ１１０により生成された、新たな生理的、心理的、行動的又は環境的なデータに基づいてストレスモデルを更新及びリファインする。特定の実施の形態では、ストレスモデルは、ユーザの生理的及び心理的状態を決定するために使用される。例として限定されるものではないが、人のストレスモデルは、人の腎臓の血流速度が与えられたとき、人の心拍及び血圧を計算するために使用される。この開示は、人のストレスモデルを生成する特定のプロセスを実行する特定のコンポーネントを記載しているが、この開示は、人のストレスモデルを生成する任意の適切なプロセスを実行する任意の適切なコンポーネントを想定している。さらに、この開示は特定のデータ及び変数に基づいた特定のストレスモデルを記載しているが、この開示は、任意の適切なデータ又は変数に基づいた任意の適切なストレスモデルを想定している。さらに、この開示は、人のストレスモデルと人のストレス指数との間の特定の関係を記載しているが、人のストレスモデルと人のストレス指数との間の任意の適切な関係を想定している。
【０１２７】
特定の実施の形態では、分析システム１８０は、データストリームからの複数のデータセットにアクセスして、ストレスを測定及びモデル化する。典型的な診断テストは、少なくとも２つのデータセットを生成することを含み、これらデータセットは、人が異なるストレスの状態にあるときにその人から収集される。データセットは、センサアレイ１１０における１以上の他のセンサ１２からの人の腎臓のドップラデータ及び１以上のデータセットを含む。例として限定されるものではないが、腎臓のドップラデータの第一のデータセットは、人が特定のストレッサに晒されているときにその人から収集され、腎臓のドップラデータの第二のデータセットは、人が特定のストレッサに晒されていないときにその人から収集される。別の例として限定されるものではないが、腎臓のドップラデータの第一のデータセットは、彼が実質的にストレスを受けていない、すなわちリラックスしているとき（例えば彼が0-4リッカート尺度で１以下の強度で「ストレスを受けている」ことをムードセンサ４００に報告したとき）に、その人から収集され、その人のベースラインのストレスレベルを確定し、腎臓のドップラデータの第二のデータセットは、彼がかなりストレスを受けているとき（例えば0-4リッカート尺度で３以上の強度で「ストレスを受けている」ことをムードセンサ４００に報告したとき）、その人から収集される。次いで、分析システム１８０は、その人のドップラがストレスと共にどのように変換するかを判定する。また、分析システム１８０は、特定のストレッサと関連付けされるストレス指数を決定する。ストレスモデルの精度は、データセットの数が増加するときに増加する。従って、人におけるストレスをモデル化するため、複数のデータセットが生成及び分析される。典型的に、データセットは、彼が変動する行動に従事するか、変動するストレッサに晒されるとき、その人から収集される。
【０１２８】
特定の実施の形態では、分析システム１８０は、行動的なセンサからのデータストリームにアクセスして、人におけるストレスを測定及びモデル化し、データストリームは、人の行動的なデータを含む。行動的なセンサは、例えばムードセンサ４００のような任意の適切なユーザ入力センサである。行動的なセンサは、例えば電子カレンダのような任意の適切なデータフィードである。次いで、分析システム１８０は、人の行動的なデータを含むデータストリームを分析し、人のストレスをより正確に測定及びモデル化するのを可能にする。特定の行動は、ストレスの増加に関連する。例として限定されるものではないが、分析システム１８０は、ストレスデータに対して行動的なデータをマッピングして、特定のアクティビティが人のストレス指数における変化と相互に関連するかを判定する。
【０１２９】
特定の実施の形態では、分析システム１８０は、心電計からのデータストリームにアクセスし、人におけるストレスを測定及びモデル化し、データストリームは、人の心電計のデータを含む。次いで、分析システム１８０は、人の心電計のデータを含むデータストリームを分析し、人のストレスを更に正確に測定及びモデル化するのを可能にする。心拍における増加は、ストレスに増加に関連する。例として限定されるものではないが、分析システム１８０は、ストレスデータに対して心電計のデータをマッピングし、ECG波形における特定の変化が人のストレス指数における変化と相互に関連するかを判定する。
【０１３０】
特定の実施の形態では、分析システム１８０は、グルココルチコイドメータからのデータストリームにアクセスし、人におけるストレスを測定及びモデル化し、人のグルココルチコイドのデータを有する。グルココルチコイドメータは、例えば免疫学的検定又はクロマとグラフのような、グルココルチコイドのレベルを測定するバイオセンサである。また、グルココルチコイドのメータは、例えばムードセンサ４００のような任意の適切なユーザ入力センサである。ユーザ入力センサは、人からの主観的なストレス情報を受けるユーザ入力センサであり、ユーザのグルココルチコイドのレベルについて生体指標としての役割を果たす。分析システム１８０は、人のグルココルチコイドのデータを含むデータストリームを分析し、人のストレスを更に正確に測定及びモデル化するのを可能にする。グルココルチコイドのレベルにおける増加は、ストレスにおける増加を関連する。例として限定されるものではないが、分析システム１８０は、ストレスデータに対してグルココルチコイドのデータをマッピングし、グルココルチコイドのレベルにおける特定の変化が人のストレス指数における変化と相互関連するかを判定する。
【０１３１】
特定の実施の形態では、分析システム１８０は、呼吸センサからのデータストリームにアクセスし、人におけるストレスを測定及びモデル化し、データストリームは、人の呼吸のデータを有する。次いで、分析システム１８０は、人の呼吸データを含むデータストリームを分析し、人のストレスを更に正確に測定及びモデル化するのを可能にする。呼吸における増加は、ストレスにおける増加に関連する。例として限定されるものではないが、分析システム１８０は、ストレスデータに対する呼吸データをマッピングし、人の呼吸における特定の変化が人のストレス指数における変化と相互に関連するかを判定する。
【０１３２】
特定の実施の形態では、分析システム１８０は、電気皮膚反応センサからのデータストリームにアクセスし、人におけるストレスを測定及びモデル化し、データストリームは、人の電気皮膚反応データを含む。電気皮膚の反応は、皮膚電気の反応、精神電流反射又は皮膚コンダクタンスの反応として知られる。電気皮膚反応センサは、皮膚の電気抵抗を測定することで、汗腺機能のパラメータとして自律神経の反応を測定する。ストレスのレベルが増加したとき、皮膚の電気抵抗における変化は、GSRセンサにより検出され、抵抗における増加は、ストレスにおける増加と関連する。例として限定されるものではないが、分析システム１８０は、ストレスデータに対して電気皮膚反応のデータをマッピングし、人の電気皮膚反応における変化が人のストレス指数における変化と相互に相関するかを判定する。
【０１３３】
図９は、腎臓のドップラ超音波法を使用してストレスプロファイルを作成する例示的な方法９００を示す。本方法は、ステップ９１０で開始し、分析システム１８０は、複数のセンサ１１２からの１以上のデータストリームにアクセスする。センサ１１２は、腎臓のドップラ超音波装置、１以上の心拍モニタ、パルス酸素濃度計又はムードセンサを備える。データストリームは、腎臓のドップラ超音波装置からの人の腎臓のドップラデータ、心拍モニタからの人の１以上の心拍データ、血圧モニタからの人の血圧データ、パルス酸素濃度計からの人のパルス酸素濃度データ、又はムードセンサからの人のムードデータを含む。ステップ９２０で、分析システム１８０は、データストリームに基づいて人のストレスモデルを生成する。この開示は図９の方法の特定のステップが特定の順序で行われることを記載及び図示しているが、この開示は、図９の方法の任意の適切なステップが任意の適切な順序で行われることを想定している。さらに、この開示は、図９の方法の特定のステップを実行する特定のコンポーネントを記載及び図示しているが、この開示は、図９の方法の任意の適切なステップを実行する任意の適切なコンポーネントの任意の適切な組み合わせを想定している。
【０１３４】
［腎臓のドップラ超音波法により作成されたストレスプロファイルを使用したストレスの連続的な監視］
前に記載されたように、ストレスは、様々な方法を使用して測定される。しかし、これらの方法を使用してストレスを測定及び監視することは、異なる人がストレスを異なって反応するために異なる。さらに、人は、ストレスを含めて様々な異なる理由のため、様々な生理的及び心理的な変化を受ける場合がある。結果的に、センサの読み取りのみに基づいてストレスの正確な決定を行うことが困難な場合がある。様々な生理的、心理的、行動的及び環境的な要素を考慮した人のストレスプロファイルは、人におけるストレスレベルを正確に測定することが必要とされる。
【０１３５】
特定の実施の形態では、分析システム１８０は、１以上の生理的、心理的、行動的又は環境的センサからの１以上のデータストリームにアクセスして、人におけるストレスを測定及び監視する。データストリームは、人の生理的なデータ、人の心理的なデータ、人の行動的又は環境的なデータのそれぞれの生態的なデータを含む。特定の実施の形態では、分析システム１８０は、１以上の心拍モニタ、血圧モニタ、パルス酸素濃度計、ムードセンサ、又は加速度計からのデータストリームにアクセスする。この開示は特定のセンサ１１２及び特定のデータストリームにアクセスして、人におけるストレスを測定及び監視することを記載しているが、この開示は、任意の適切なセンサ１１２及び任意の適切なデータストリームにアクセスして人におけるストレスを測定及びモニタすることを想定している。
【０１３６】
特定の実施の形態では、分析システム１８０は、ストレスモデルにアクセスする。例として限定されるものではないが、ストレスモデルは、腎臓のドップラデータ、心拍データ、血圧データ、パルス酸素濃度データ又はムードデータに基づくアルゴリズムである。例として限定されるものではないが、ストレスモデルは、幾つかの制御期間を通して１以上のセンサ１１２により行われるセンサの測定に基づくアルゴリズムである。ストレスモデルは、１以上のデータストリーム及び１以上の固定された変数からのデータを含めて、様々な変数を含む。以下は、分析システム１８０は人のストレスをモデル化する例示的なアルゴリズムである。
【数６】
0005958064.tif 000008
ここでｆsmはストレスモデルであり、（D1HR）は人の心拍であり、（D2BP）は人の血圧であり、（D3SpO2）は人の血中酸素レベルであり、（S4mood）は人の自己報告されたストレスレベルであり、（D5acc）は人のアクティビティ（加速度）であり、（X1，．．．，XM）は1〜Mを通して固定された変数である。
【０１３７】
この開示は特定のデータ又は変数に基づいて特定のストレスモデルにアクセスすることを記載しているが、この開示は、任意の適切なデータ又は変数に基づいた任意の適切なストレスモデルを想定している。
【０１３８】
ストレスモデルは、１以上の人からのベースラインデータに基づいたストレスモデルである。特定の実施の形態では、ストレスモデルは、センサアレイ１１０の被写体である人のストレスのモデルである。すなわち、分析システム１８０は、第一の人物におけるストレスを現在測定及び監視しており、ストレスモデルは、第一の人物のベースラインデータに基づいている。人のストレスモデルは、制御期間を通して、その人から収集されたベースラインデータに基づいている。特定の実施の形態では、ストレスモデルは、センサアレイ１１０の現在被験者ではない１以上の人物のストレスのモデルである。すなわち、分析システム１８０は、第一の人物におけるストレスを現在測定及び監視しており、ストレスモデルは、１以上の第二の人物のベースラインデータに基づいている。１以上の第二の人物のストレスモデルは、制御期間を通して第二の人物から収集されたベースラインデータに基づいている。１以上の第二の人物のストレスモデルを生成及び使用することで、第一の人物について個人化されたストレスプロファイルを生成する必要なしに、第一の人物においてストレスが正確に測定される。第一の人物について個人化されたストレスプロファイルを生成することは、コストがかかり、時間がかかる。第一の人物及び１以上の第二の人物は、患者、患者のグループ、又は患者の群の同じサブセットにある。例として限定されるものではないが、第一の人物及び第二の人物は、同じ年齢のグループ、民族のグループ、人種のグループ、患者集団、又は人物の別の適切なカテゴリにある。別の例として限定されるものではないが、患者は、共通の病気又は状態について患者の同じ医療的に妥当なサブセットの一部である。医学的に妥当なサブセットは、より大きな病気のグループ化から区別する特定の要件又は特性をもつ患者のグループを一般に含む。医学的に妥当なサブセットは、固有の薬理学又は薬力学を示す患者の部分母集団である。本明細書で使用されたとき、用語「患者」は、任意の人物を示し、医療的な注意、介護又は治療を受けている人に限定されない。この開示は、特定の人又は人のグループに基づいたストレスモデルを記載しているが、この開示は、任意の適切な人又は人のグループに基づいてストレスモデルを想定している。
【０１３９】
特定の実施の形態では、分析システム１８０は、ストレスモデルに関してデータストリームを分析する。分析システム１８０は、任意の適切なプロセス、計算又は技術を使用して、ストレスモデルに関してデータストリームを分析する。例として限定されるものではないが、分析システム１８０は、ストレスモデルを分析して、特定のデータストリームに対応する独立の変数を識別する。次いで、分析システム１８０は、データストリームを分析して、ストレスモデルへの入力として使用される、データストリームからのデータポイント又はデータレンジを識別する。この開示は、特定のプロセスを実行してストレスモデルに関してデータストリームを分析する特定のコンポーネントを記載しているが、この開示は、任意の適切なプロセスを実行してストレスモデルに関してデータストリームを分析する任意の適切なコンポーネントを想定している。
【０１４０】
特定の実施の形態では、分析システム１８０は、人の現在のストレス指数を決定する。ストレスモデルは、人のストレス指数を計算するために使用される。例として限定されるものではないが、ストレスモデルは、ｆsm＝SIのように、人のストレス指数をダイレクトに計算し、SIは人のストレス指数である。別の例として限定されるものではないが、人のストレス指数は、ｆ(ｆsm)＝SIのような、ストレスモデルに基づいている。分析システム１８０は、１以上のデータストリームからのデータに基づいて人のストレス指数を計算する。例として限定されるものではないが、分析１８０は、データストリームからのデータポイント又はデータレンジをストレスモデルに独立の変数として入力する。次いで、ストレスモデルを解くことで人のストレス指数を計算する。この開示は、特定のプロセスを実行して人の現在のストレス指数を決定する特定のコンポーネントを記載しているが、この開示は、任意の適切なプロセスを実行して人の現在のストレス指数を決定する任意の適切なコンポーネントを想定している。さらに、この開示は人のストレスモデルと人のストレス指数との間の特定の関係を記載しているが、この開示は、人のストレスモデルと人のストレス指数との間の任意の適切な関係を想定している。
【０１４１】
特定の実施の形態では、分析システム１８０は、データストリームからの複数のデータセットにアクセスしてストレスを測定及び監視する。一般的な診断テストは、少なくとも２つのデータセットを生成することを含み、これらのデータセットは、人が異なるストレス状態にあるとき、彼から収集される。データセットは、センサアレイ１１０における１以上のセンサ１１２からの１以上のデータセットを含む。例として限定されるものではないが、第一のデータセットは、人が特定のストレッサに晒されているときにその人から収集され、第二のデータセットは、人が特定のストレッサに晒されていないときにその人から収集される。別の例として限定されるものではないが、第一のデータセットは、彼がかなりストレスを受けていない、すなわちリラックスしているとき（例えば0-4リッカート尺度で１以下の強度でその人が「ストレスを受けている」ことを彼がムードセンサ４００に報告するとき）その人から収集され、その人のベースラインのストレスレベルが確立され、第二のデータセットは、彼がかなりストレスを受けているとき（例えば0-4リッカート尺度で３以上の強度でその人が「ストレスを受けている」ことを彼がムードセンサ４００で報告するとき）その人から収集される。次いで、分析システム１８０は、その人の生理的又は心理的な状態がストレスと共にどのように変化するかを決定する。また、分析システム１８０は、特定のストレッサに関連するストレス要素を決定する。ある人におけるストレスを決定する精度は、データセットの数が増加するときに一般に増加する。従って、人におけるストレスを判定するため、複数のデータセットが生成及び分析される。典型的に、データセットは、彼が変動する行動に従事するか又は変動するストレッサに晒されるとき、その人から収集される。
【０１４２】
特定の実施の形態では、分析システム１８０は、人のストレス指数の履歴にアクセスして、人のストレス指数が時間を通して変換するかを判定する。例として限定されるものではないが、分析システム１８０は、前に決定された人のストレス指数にアクセスする。次いで、分析システム１８０は、前のストレス指数を分析して、前のストレス指数を１以上の後に決定されたストレス指数に比較し、ストレス指数が前に決定されたストレス指数に関して変化したかを判定する。分析システム１８０は、時間を通して人のストレス指数において傾向が存在するか、又は１以上の生理的、心理的、行動的又は環境的なデータストリームに関して人のストレス指数において傾向が存在するかを判定する。例えば、分析システム１８０は、時間を通しての人のストレス指数に対して、時間を通しての人の血圧をマッピングし、２つのデータセット間で相関する傾向が存在するかを判定する（例えばユーザの血圧とストレスが共に時間を通して傾向を示す）。この開示は、特定のプロセスを実行して人のストレス指数が時間を通して変化するかを判定する特定のコンポーネントを記載しているが、この開示は、任意の適切なプロセスを実行して人のストレスが時間を通して変化するかを判定する任意の適切なコンポーネントを想定している。
【０１４３】
特定の実施の形態では、分析システム１８０は、行動的なセンサからのデータストリームにアクセスして人におけるストレスを測定及び監視し、データストリームは、人の行動的なデータを有する。行動的なセンサは、例えばムードセンサ４００のような任意の適切なユーザ入力センサである。また、行動的なセンサは、例えば電子カレンダのような任意の適切なデータフィードである。次いで、分析システム１８０は、人の行動的なデータを含むデータストリームを分析し、人のストレスを更に正確に測定及び監視するのを可能にする。特定の行動は、ストレスにおける増加に関連する。例として限定されるものではないが、分析システム１８０は、生理的なデータに対して行動的なデータをマッピングして、特定の生理的な変化が特定のアクティビティ又はストレスにより引き起こされるかを判定する。
【０１４４】
特定の実施の形態では、分析システム１８０は、心電計からのデータストリームにアクセスして人におけるストレスを測定及び監視し、データストリームは、人の心電計のデータを含む。次いで、分析システム１８０は、人の心電計のデータを含むデータストリームを分析し、人のストレスを更に正確に測定及び監視するのを可能にする。心拍における増加は、ストレスにおける増加と関連する。例として限定されるものではないが、分析システム１８０は、他の生理的なデータに対して心電計のデータをマッピングして、特定の生理的な変化がECG波形における変化又はストレスにより引き起こされるかを判定する。
【０１４５】
特定の実施の形態では、分析システム１８０は、グルココルチコイドメータからのデータストリームにアクセスして、人におけるストレスを測定及び監視し、データストリームは、人のグルココルチコイドデータを含む。グルココルチコイドメータは、例えば免疫学的検定又はクロマトグラフのようなグルココルチコイドレベルを測定するバイオセンサである。また、グルココルチコイドメータは、例えばムードセンサ４００のような任意の適切なユーザ入力センサである。ユーザ入力センサは、ユーアグルココルチコイドのレベルの生体指標としての役割を果たす、人からの主観的なストレス情報を受ける。分析システム１８０は、人のグルココルチコイドデータを含むデータストリームを分析し、人のストレスを更に正確に測定及び監視するのを可能にする。グルココルチコイドレベルにおける増加は、ストレスにおける増加に関連する。例として限定されるものではないが、分析システム１８０は、他の生理的なデータに対してグルココルチコイドデータをマッピングして、特定の生理的な変化がグルココルチコイドのレベルにおける変化又はストレスにより引き起こされるかを判定する。
【０１４６】
特定の実施の形態では、分析システム１８０は、心電計からのデータストリームにアクセスし、人におけるストレスを測定及び監視し、データストリームは、人の心電計のデータを含む。次いで、分析システム１８０は、人の心電計のデータを含むデータストリームを分析し、人のストレス更に正確に測定及び監視するのを可能にする。例として限定されるものではないが、分析システム１８０は、特定の生理的な変化が特定の筋肉のアクティビティ又はストレスにより引き起こされるかを判定する。
【０１４７】
特定の実施の形態では、分析システム１８０は、呼吸センサからのデータストリームにアクセスし、人におけるストレスを測定及びモデル化し、データストリームは、人の呼吸データを含む。次いで、分析システム１８０は、人の呼吸データを含むデータストリームを分析し、人のストレスを更に正確に測定及びモデル化するのを可能にする。呼吸数における増加は、ストレスにおける増加に関連する。例として限定されるものではないが、分析システム１８０は、他の生理的なデータに対して呼吸データをマッピングし、特定の生理的な変化が人の呼吸数における変化により引き起こされるかを判定する。
【０１４８】
特定の実施の形態では、分析システム１８０は、電気皮膚反応センサからのデータストリームにアクセスし、人におけるストレスを測定及びモデル化し、データストリームは、人の電気皮膚反応データを含む。また、電気皮膚反応は、電気皮膚の反応、精神電流反射、又は皮膚コンダクタンス反応として知られている。電気皮膚反応センサは、皮膚の電気抵抗を測定することで汗腺機能のパラメータとして自律神経の反応を測定する。ストレスレベルが増加するとき、皮膚の電気抵抗における変化は、GSRセンサにより検出され、抵抗における増加は、ストレスにおける増加と関連する。例として限定されるものではないが、分析システム１８０は、他の生理的なデータに対して電気皮膚反応データをマッピングし、特定の生理的な変化が人の電気皮膚反応における変化により引き起こされるかを判定する。
【０１４９】
図１０は、腎臓のドップラ超音波法により作成されるストレスプロファイルを使用してストレスを監視する例示的な方法１００を示す。本方法はステップ１０１０で開始し、分析システム１８０は、複数のセンサ１１２からの１以上のデータストリームにアクセスする。センサ１１２は、１以上の心拍モニタ、血圧モニタ、パルス酸素濃度計、ムードセンサ又は加速度計を含む。データストリームは、心拍モニタからの人の心拍データ、滅圧モニタからの人の血圧データ、パルス酸素濃度計からの人のパルス酸素濃度データ、ムードセンサからの人のムードデータ、加速度計からの人の加速度データのうちの１以上を含む。ステップ１０２０で、分析システム１８０は、ストレスモデルにアクセスする。ストレスモデルは、ベースラインの腎臓のドップラデータ、及び２以上のベースラインの心拍データ、ベースラインの血圧データ、ベースラインのパルス酸素濃度データ、又はベースラインのムードデータを含む。ステップ１０３０で、分析システム１８０は、ストレスモデルに関してデータストリームを分析する。ステップ１０４０で、分析システム１８０は、分析に基づいて、人の現在のストレス指数を決定する。この開示は、図１０の方法の特定のステップが特定の順序で行われるように記載又は図示しているが、この開示は、図１０の方法の任意の適切なステップが任意の適切な順序で行われることを想定している。さらに、この開示は、図１０の方法の特定のステップを実行する特定のコンポーネントを記載及び図示しているが、図１０の方法の任意の適切なステップを実行する任意の適切なコンポーネントの任意の適切な組み合わせを想定している。
【０１５０】
［自己報告された心理的又は行動的なデータを使用したストレスの連続的な監視］
ストレスを正確に測定及び監視することにおける１つの問題は、測定されるパラメータにおける変化が、分析を混乱させるユーザからのストレスに関連しないアクティビティ（すなわち混乱要素）のために生じているかを判定することである。例えば心拍モニタ、血圧モニタ、パルス酸素濃度計、又は呼吸センサのようなストレスを測定するため、様々な生理的なセンサが使用される。しかし、ストレスと相関がある生理的な変化は、ノンストレスのイベントにより実際に引き起こされる。例えば、心拍における増加は、ストレスにおける増加と関連するが、運動とも関連しており、これは、実際にストレスにおける減少を引き起こす。同様に、ストレスを示す生理的又は心理的なデータは、混乱要素によるものであり、実際に、患者の自己報告されたストレスのない状態により矛盾する。ムードセンサ４００のようなムードセンサ又は行動のセンサを使用することで、患者は、心理的なデータ（例えば楽しい、心配、悲しい、ストレスを受けている）を入力するか、又は行動的なデータ（例えばランニング、運転、喧嘩、作業）を入力する。生理的なセンサデータの文脈をこの心理的又は行動的なデータの文脈に当てはめることで、分析システム１８０は、ストレスに関連しないイベントにより引き起こされる生理的なデータにおける変化を除くことができ、従って人におけるストレスを更に正確に測定及び監視することができる。
【０１５１】
特定の実施の形態では、分析システム１８０は、例えばムードセンサ４００のような１以上のムードセンサからの１以上のデータストリームを分析することでストレスを測定及び監視する。ユーザは、心理的（すなわちムード）の情報をムードセンサ４００に入力する。ムードセンサは、ストレスのユーザの主観的な体験に関する情報を受ける。ユーザの主観的なストレスの体験は、例えばユーザのグルココルチコイド及びカテコールアミンを含めて、様々な生理的な状態について生体指標としての機能を果たす。ユーザは、例えばムード入力ウィジェット４３０でストレスを入力する。次いで、ユーザは、例えばムード強度のウィジェット４４０でストレスの強度を入力する。ユーザのムードの情報を受信した後、ムードセンサは、ユーザのムードデータを含む１以上のデータストリームを分析システム１８０に送信する。例として限定されるものではないが、ユーザは、ムード入力のウィジェット４３０及びムード強度のウィジェット４４０を使用して、0-4リッカート尺度で強度2で彼が「ストレスを受けている」ことを入力することで、ムード情報を報告する。また、ムードセンサは、ユーザの一般的な心理的な状態に関する情報を受け、この心理的な常態に関する情報は、ストレスと相関する。例として限定されるものではないが、ユーザは、0-4リッカート尺度で強度3で彼が「怒っている」ことを入力することで、ムード情報を報告する。次いで、分析システム１８０は、ユーザのストレス指数を計算するため、このムード及びムードの強度のデータを、心理的な状態をストレスと相互に関連付けるストレスモデルに入力することで、このムード及びムードの強度のデータを分析する。分析システム１８０は、心理的データを含むデータストリームを連続的に監視し、ユーザのストレス及びストレスに関連する健康の状態を正確に測定及び監視するのを可能にする。この開示は、特定のタイプのムードセンサを使用してストレスを測定及び監視することを記載しているが、この開示は、任意の適切なムードセンサを使用してストレスを測定及び監視することを想定している。
【０１５２】
特定の実施の形態では、分析システム１８０は、例えばムードセンサ４００のような１以上の行動のセンサからの１以上のデータストリームを分析することで、ストレスを測定及び監視する。ユーザの行動の情報は、他のストレスに関連するデータと相互に関連付けされる。ユーザは、行動（すなわちアクティビティ）の情報をムードセンサ４００に入力する。ユーザは、例えばアクティビティの入力ウィジェット４５０で行動を入力する。ユーザの行動の情報を受信した後、行動のセンサは、ユーザの行動のデータを含む１以上のデータストリームを分析システム１８０に送信する。例として限定されるものではないが、ユーザは、アクティビティの入力ウィジェット４５０を使用して、彼が「運転している」ことを入力することで、行動のデータを報告する。分析システム１８０は、この行動のデータを、行動の状態をストレスと相互に関連付けするストレスモデルに入力して、ユーザのストレス指数を計算するため、行動のデータを分析する。代替的に、分析システム１８０は、他の要素を使用してユーザのストレス指数を計算し、次いで、ユーザのストレスをユーザにより特定の行動と相互に関連付けする。同様に、分析システム１８０は、ユーザにストレスがないこと（すなわち、くつろいでいる）とユーザにより特定の行動又はアクティビティとを相互に関連付ける。分析システム１８０は、行動のデータを含むデータストリームを連続的に監視し、これによりユーザのストレスとストレスに関連する健康の状態とを正確に測定及び監視するのを可能にする。この開示は、特定のタイプの行動のセンサを使用してストレスを診断及び監視することを記載しているが、この開示は、任意の適切なタイプの行動のセンサを使用してストレスを診断及び監視することを想定している。例として限定されるものではないが、電子カレンダは、行動のセンサであり、カレンダのエンティティは、特定の時間で人の行動を表現する。次いで、分析システム１８０は、この行動のデータをもつ電子カレンダからのデータストリームにアクセスする。
【０１５３】
特定の実施の形態では、分析システム１８０は、心理的又は行動的なデータストリーム及び１以上の生理的なデータストリームにアクセスし、人におけるストレスを測定及び監視する。データストリームは、人の心理的なデータ、人の行動的なデータ、又は人の生理的なデータをそれぞれ含む。特定の実施の形態では、分析システム１８０は、ムードセッサ又は行動的なセンサ、及び１以上の心拍モニタ、血圧モニタ、パルス酸素濃度計、又は加速度計からのデータストリームにアクセスする。この開示は、特定のセンサ１１２及び特定のデータストリームにアクセスして人におけるストレスを測定及び監視することを記載しているが、この開示は、任意の適切なセンサ１１２及び任意の適切なデータストリームにアクセスして人におけるストレスを測定及び監視することを想定している。
【０１５４】
特定の実施の形態では、分析システム１８０は、データストリームからの複数のデータセットにアクセスし、人におけるストレスを測定及び監視する。典型的な診断テストは、少なくとも２つのデータセットを生成することを含み、これらのデータセットは、人が異なる心理的な状態又は行動的な状態にあるとき、彼から収集される。データセットは、センサアレイ１１０における１以上のセンサ１１２からの１以上のデータセットを含む。例として限定されるものではないが、第一のデータセットは、人が第一のムードにある（例えばストレスを受けている）ときにその人から収集され、第二のデータセットは、その人が第二のムード（例えばストレスを受けていない）ときにその人から収集される。別の例として限定されるものではないが、第一のデータセットは、その人が第一のアクティビティに従事している（例えば眠っている）ときにその人から収集され、第二のデータセットは、その人が第二のアクティビティに従事している（例えば運動している）ときにその人から収集される。更に別の例として限定されるものではないが、第一のデータセットは、その人が特定のストレッサに晒されている（例えば異なる解析的な問題を解くことを依頼されている）ときにその人から収集され、第二のデータセットは、その人が特定のストレッサに晒されていないときにその人から収集される。次いで、分析システム１８０は、生理的なデータを取り違えないように、心理的又は行動的なデータを使用して、人の生理的な状態における変化がストレス又は特定の心理的又は行動的な状態により引き起こされるかを判定する。人におけるストレスを決定する精度は、データセットの数が増加するときに一般に増加する。従って、複数のデータセットは、人におけるストレスを決定するために生成及び分析される。この開示は、特定のデータセットにアクセスして人におけるストレスを測定及び監視することを記載しているが、この開示は、任意の適切なデータセットにアクセスして人におけるストレスを測定及び監視することを想定している。
【０１５５】
特定の実施の形態では、分析システム１８０は、人のストレスモデルにアクセスする。例として限定されるものではないが、ストレスモデルは、腎臓の血流速度データ及びムード又は行動的なデータ、心拍データ、血圧データ、パルス酸素濃度データ、又は加速度計データに基づくアルゴリズムである。例として限定されるものではないが、ストレスモデルは、幾つかの制御期間を通して１以上のセンサ１１２により行われるセンサ測定に基づくアルゴリズムである。ストレスモデルは、１以上のデータストリーム及び１以上の固定された変数からのデータを含む、様々な変数を含む。以下は、人のストレスをモデル化する分析システム１８０がアクセスする例示的なアルゴリズムである。
【数７】
0005958064.tif 000009
ここでｆsmはストレスモデルであり、（D1mood）は人の心理的な状態（ムード）であり、（D2beh）は人の行動の状態（アクティビティ）であり、（D3HR）は人の心拍であり、（D4BP）は人の血圧であり、（D5SpO2）は人の血中酸素レベルであり、（D6acc）は、人の身体的なアクティビティ（加速度）であり、（X1，．．．，XM）は1〜Mの固定された変数である。
【０１５６】
この開示は、特定のデータ又は変数に基づいて特定のストレスモデルにアクセスすることを記載しているが、この開示は、任意の適切なデータ又は変数に基づいて任意の適切なストレスモデルにアクセスすることを想定している。
【０１５７】
特定の実施の形態では、分析システム１８０は、心理的又は行動的なデータストリーム、及び生理的なデータストリームからのデータセットを分析する。分析システム１８０は、任意の適切なプロセス、計算又は技術を使用して、データストリームを互いに分析する。例として限定されるものではないが、分析システム１８０は、第一のデータセット及び第二のデータセットを比較して、人の生理的な状態における変化を識別し、心理的又は行動的な状態における対応する変化を識別する。別の例として限定されるものではないが、分析システム１８０は、データストリームを分析して、ストレスモデルへの入力として使用される、データストリームからのデータポイント又はデータレンジを識別する。特定の実施の形態では、分析システム１８０は、例えばデータを互いにマッピングすることで、生理的なデータを、心理的データ又は行動的なデータの文脈に当てはめる。例として限定されるものではないが、分析システム１８０は、人の心拍データ、血圧データ、パルス酸素濃度データ及び加速度データを、人のムードデータの文脈に当てはめ、分析システム１８０が生理的データにおける変化とムードデータにおける変化との間の相関を識別するのを可能にする。この開示は、特定のプロセスを実行してデータストリームを互いに関して分析する特定のコンポーネントを記載しているが、この開示は、任意の適切なプロセスを実行してデータストリームを互いに関して分析する任意の適切なコンポーネントを想定している。
【０１５８】
特定の実施の形態では、分析システム１８０は、心理的又は行動的なデータストリームと生理的なデータストリームからの複数のデータセットの分析に基づいて、人の現在のストレス指数を決定する。ストレス指数は、人の心理的又は行動的な状態と人の生理的な状態との両者から決定される。様々な心理的な状態は、例えばストレス、怒り、心配又は意気消沈のようなストレスと相関する。他の心理的な状態は、例えば楽しい又はくつろいでいる、のようなストレスがないことと相関する。様々な行動の状態は、例えば作業、口論又は運転のようなストレスと相関する。他の行動的な状態は、例えば交際、くつろぎ、又は運動のようなストレスがないことと相関する。様々な生理的な状態は、例えば増加された心拍、増加された血圧、又は減少された血中酸素濃度のようなストレスと相関する。例として限定されるものではないが、分析システム１８０は、データストリームを調べ、ストレスがあること又はストレスがないことと相関する心理的、行動的、又は生理的な状態を識別する。分析システム１８０は、あるデータセットを分析して、人のベースラインストレスを決定し、次いで別のデータセットを分析し、人の現在のストレス指数を決定するため、人の心理的、行動的又は生理的な状態における変化を決定する。分析システム１８０は、心理的、行動的、又は生理的な状態のそれぞれがストレスがあること又はストレスがないことと相関する大きさを決定することで、人の現在のストレス指数を決定する。例として限定されるものではないが、低い血圧は、低いストレス指数と相関し、高い血圧は、高いストレス指数と相関する。別の例として限定されるものではないが、0-4リッカート尺度の強度3での「楽しい」の自己報告された心理的な状態は、低いストレス指数と相関し、0-4リッカート尺度の強度0での「楽しい」の自己報告された心理的な状態は、高いストレス指数と相関する。更に別の例として、「くつろいでいる」の行動的な状態は、低いストレス指数と相互に関連付けされ、「口論している」の行動的な状態は、高いストレス指数と相互に関連付けされる。この開示は、特定のプロセスを実行して人の現在のストレス指数を決定する特定のコンポーネントを記載しているが、この開示は、任意の適切なプロセスを実行して人の現在のストレス指数を決定する任意の適切なコンポーネントを想定している。更に、この開示は、特定の相関について特定のデータストリームを分析して人の現在のストレス指数を決定することを記載しているが、この開示は、任意の適切な相関について任意の適切なデータストリームを分析して人の現在のストレスインデックスを決定することを想定している。
【０１５９】
特定の実施の形態では、分析システム１８０は、心理的又は行動的なデータストリームと生理的なデータストリームからのデータセットの分析に基づいて、人のストレスモデルを使用して人の現在のストレス指数を決定する。例として限定されるものではないが、ストレスモデルは、ｆsm＝SIのような、人のストレス指数をダイレクトに計算し、SIは、人のストレス指数である。別の例として限定されるものではないが、人のストレス指数は、ｆ(ｆsm)＝SIのように、ストレスモデルに基づく。分析システム１８０は、１以上の心理的又は行動的なデータストリームと生理的なデータストリームからのデータに基づいて、人のストレス指数を計算する。例として限定されるものではないが、分析システム１８０は、データポイント又はデータレンジを、心理的又は行動的なデータストリームと生理的なデータストリームからストレスモデルに独立な変数として入力する。次いで、分析システム１８０は、ストレスモデルを解くことで人のストレス指数を計算する。この開示は、特定のプロセスを実行して人の現在のストレス指数を決定する特定のコンポーネントを記載しているが、この開示は、任意の適切なプロセスを実行して人の現在のストレス指数を決定する任意の適切なコンポーネントを想定している。さらに、この開示は、人のストレスモデルと人のストレス指数との間の特定の関係を記載しているが、この開示は、人のストレスモデルと人のストレス指数との間の任意の適切な関係を想定している。
【０１６０】
特定の実施の形態では、分析システム１８０は、１以上の更なるセンサ１１２からの１以上のデータストリームにアクセスし、人におけるストレスを測定及び監視する。先に記載されたように、分析システム１８０は、例えば心電計、グルココルチコイド、筋電計、呼吸センサ、電気皮膚反応センサ又は別の適切なセンサ１１２にアクセスする。次いで、分析システム１８０は、これら更なるデータストリームを分析し、ストレスに関連しないイベントにより引き起こされる生理的なデータに混乱されないようにすることで、人のストレスを更に正確に測定及び監視するのを可能にする。
【０１６１】
図１１は、心理的又は行動的なデータを使用してストレスを監視する例示的な方法１１００を示す。本方法は、ステップ１１１０で開始し、分析システム１８０は、複数のセンサ１１２からの１以上のデータストリームにアクセスする。センサ１１２は、ムード（心理的な）センサ及び１以上の心拍モニタ、血圧モニタ、パルス酸素濃度計、又は加速度計を備える。データストリームは、ムードセンサからの人のムード（心理的）データ、及び心拍モニタからの人の心拍データ、血圧モニタからの人の血圧データ、パルス酸素濃度計からの人のパルス酸素濃度データ又は加速度計からの人の加速度データの１以上を含む。
データストリームからの第一のデータセットは、第一の時間で人から収集され、その人は、第一の時間で後にストレスを受ける。データストリームからの第二のデータは、第二の時間でその人から収集され、その人は、第二の時間で後にストレスがなくなる。ステップ１１２０で、分析システム１８０は、第一のデータセット及び第二のデータセットを互いに分析する。ステップ１１３０で、分析システム１８０は、第一のデータセットと第二のデータセットの互いの分析に基づいて、人の現在のストレス指数を決定する。この開示は、図１１の方法の特定のステップが特定の順序で行われることを記載及び図示しているが、この開示は、図１１の方法の任意の適切なステップが任意の適切な順序で行われることを想定している。さらに、この開示は、図１１の方法の特定のステップを実行する特定のコンポーネントを記載及び図示しているが、この開示は、図１１の方法の任意の適切なステップを実行する任意の適切なコンポーネントの任意の適切な組み合わせを想定している。
【０１６２】
［加速度計を使用したストレスの連続的な監視］
上述されたように、ストレスを正確に測定及び監視することにおける１つの問題は、測定されたパラメータのける任意の変化が、分析を混乱させる（例えばユーザによる）ストレスに関連しないアクティビティにより生じているかを判定することである。ストレスを測定するため、例えば心拍モニタ、血圧モニタ、パルス酸素濃度計、又は呼吸センサのような様々な生理的なセンサが使用される。しかし、ストレスと相関する生理的な変化は、ノンストレスなイベントにより実際に引き起こされる場合がある。例えば、心拍、血圧及び呼吸における増加は、ストレスにおける増加と関連するが、身体の動きとも関連され、これは、（例えば運動のような）ノンストレスなイベントにより引き起こされる。身体運動は、心拍、血圧、心拍変動、呼吸数、酸素飽和度、汗及び電気皮膚反応、並びに血糖値を変化させる。これらの全ては、ストレスを正確に推定するための重要な指標として使用される。例えば、ストレスを測定する心拍変動を使用するとき、身体の動き及び運動がストレスの測定の間に考慮されない場合に、結果が混乱される。さらに、多くのセンサは、加速されるときに誤りのあるデータを提供する。これは、センサと被験者との間の物理的なコネクションが移動して、センサに不正確又は誤った読み取りを生成させるためである。加速度計（又は例えば運動感覚のセンサのような別の適切な動きセンサ）を使用することで、分析システム１８０は、人の身体的な動き及び運動を監視する。生理的なセンサのデータを加速度計のデータの文脈に当てはめることで、分析センサ１８０は、身体の動きにより引き起こされる生理的なデータ又は誤ったセンサの測定における変化を除去することができる。
【０１６３】
特定の実施の形態では、分析システム１８０は、例えば加速度計、運動感覚センサ、アクティグラフ、動きセンサ、又は別の適切な身体の動きセンサのような１以上の身体の動きセンサからの１以上のデータストリームを分析することでストレスを測定及び監視する。身体の動きセンサは、人の速度、加速度、運動、動きを測定する。人の身体の動きを測定した後、身体の動きのセンサは、ユーザの身体の動きデータを有する１以上のデータストリームを分析システム１８０に送信する。次いで、分析システム１８０は、この身体の動きを、身体の動きをストレスと相互に関連付けするストレスモデルに入力して人のストレス指数を計算することで、この身体の動きを分析する。分析システム１８０は、人の身体の動きのデータを含むデータストリームを連続的に監視し、これにより人のストレス及びストレスに関連する健康の状態を正確に測定及び監視するのを可能にする。この開示は、特定のタイプの身体の動きのセンサを使用してストレスを測定及び監視することを記載しているが、この開示は、任意の適切な身体の動きセンサを使用してストレスを測定及び監視することを想定している。
【０１６４】
特定の実施の形態では、分析システム１８０は、加速計及び１以上の他のセンサ１１２からの１以上のデータストリームにアクセスし、人におけるストレスを測定及び監視する。データストリームは、人の心理的なデータ、人の行動のデータ、人の生理的なデータを含む。特定の実施の形態では、分析システム１８０は、加速度計、及び心拍モニタ、血圧モニタ、パルス酸素濃度計又はムードセンサのうちの１以上からのデータストリームにアクセスする。この開示は、特定のセンサ１１２及び特定のデータストリームにアクセスして人におけるストレスを測定及び監視することを記載しているが、この開示は、任意の適切なセンサ１１２及び任意の適切なデータストリームにアクセスして人におけるストレスを測定及び監視することを想定している。
【０１６５】
特定の実施の形態では、分析システム１８０は、データストリームからの複数のデータセットにアクセスして人におけるストレスを測定及び監視する。典型的な診断テストは、少なくとも２つのデータセットを生成することを含み、これらのデータセットは、人が異なるレベルの身体のアクティビティに従事するときに彼から収集される。データセットは、センサアレイ１１０における１以上のセンサ１１２からの１以上のデータセットを含む。例として限定されるものではないが、第一のデータセットは、人が第一のアクティビティ（例えば歩く）に従事しているときにその人から収集され、第二のデータセットは、人が第二のアクティビティ（例えばランニング）に従事しているときにその人から収集される。別の例として限定されるものではないが、第一のデータセットは、人が実質的に休んでいるときにその人から収集され、第二のデータセットは、人が最小限の活動を超えるアクティビティに従事しているときにその人から収集される。次いで、分析システム１８０は、加速度計を使用して他のセンサ１１２からのデータに混乱されないようにし、人の生理的な状態における測定された変化が、ストレスにより又は人の身体の動きにより引き起こされたかを判定する。人におけるストレスを決定する精度は、データセットの数が増加するときに一般に増加する。従って、複数のデータセットは、人におけるストレスを決定するために生成及び分析される。この開示は、特定のデータセットにアクセスして人におけるストレスを測定及び監視することを記載しているが、この開示は、任意の適切なデータセットにアクセスして人におけるストレスを測定及び監視することを想定している。
【０１６６】
特定の実施の形態では、分析システム１８０は、人のストレスモデルにアクセスする。例として限定されるものではないが、ストレスモデルは、腎臓のドップラデータ、加速度計のデータ、及び、１以上の心拍データ、血圧データ、パルス酸素濃度のデータ又はムードデータに基づいたアルゴリズムである。例として限定されるものではないが、ストレスモデルは、幾つかの制御期間を通して１以上のセンサ１１２により行われるセンサの測定に基づいたアルゴリズムである。ストレスモデルは、１以上のデータストリーム及び１以上の固定された変数からのデータを含む様々な変数を含む。以下は、人のストレスをモデル化する分析システム１８０がアクセスする例示的なアルゴリズムである。
【数８】
0005958064.tif 000010
ここでｆsmはストレスモデルであり、（D1acc）は人の身体のアクティビティ（加速）、（D2HR）は人の心拍であり、（D3BP）は人の血圧であり、（D4SpO2）は人の血中酸素レベルであり、（D5mood）は人の心理的な状態（ムード）であり、（X1，．．．，XM）は1〜Mまでの固定された変数である。
【０１６７】
この開示は、特定のデータ又は変数に基づいて特定のストレスモデルにアクセスすることを記載しているが、この開示は、任意の適切なデータ又は変数に基づいて任意の適切なストレスモデルにアクセスすることを想定している。
【０１６８】
特定の実施の形態では、分析システム１８０は、加速度計のデータストリームと１以上の他のデータストリームとからのデータセットを互いに分析する。分析システム１８０は、任意の適切なプロセス、計算又は技術を使用して、データストリームを互いに分析する。例として限定されるものではないが、分析システム１８０は、第一のデータセットと第二のデータセットとを比較して、人の加速度における変化を識別し、生理的な状態における対応する変化を識別する。別の例として限定されるものではないが、分析システム１８０は、データストリームを分析し、ストレスモデルへの入力として使用されるデータストリームからのデータポイント又はデータレンジを識別する。特定の実施の形態では、分析システム１８０は、例えばデータを互いに関してマッピングすることで、加速度データを他のデータの文脈に当てはめる。例として限定されるものではないが、分析システム１８０は、人の加速度計のデータを、人の心拍データ、血圧データ、パルス酸素データ、ムードデータの文脈に当てはめ、分析システム１８０が加速度データにおける変化と他のデータにおける変化との相関を識別する。この開示は特定のプロセスを実行してデータストリームを互いに関して分析する特定のコンポーネントを記載しているが、この開示は、任意の適切なプロセスを実行してデータストリームを互いに関して分析する文意の適切なコンポーネントを想定している。
【０１６９】
特定の実施の形態では、分析システム１８０は、加速度計のデータストリームと１以上のデータストリームからの複数のデータセットの分析に基づいて、人の現在のストレス指数を決定する。ストレス指数は、人の加速度と人の生理的な状態の両者からの決定される。先に記載されたように、例えば増加される心拍、増加される血圧、又は減少される血中酸素量のような様々な生理的な状態は、ストレスと相互に関連する。しかし、これら同じ生理的な状態は、増加される身体の動き（例えば加速度）とも相互に関連する。例として限定されるものではないが、分析システム１８０は、データストリームを分析してストレスがあること又はストレスがないことと相関する生理的な状態を識別し、測定された生理的な状態が人の加速度と相関するかを識別する。分析システム１８０は、あるデータセットを分析して、人のベースラインストレスを判定し、次いで、別のデータセットを分析して、その人の生理的な状態における変化を判定して、その人の現在のストレス指数を決定する。分析システム１８０は、生理的な状態のそれぞれがストレスがあること又はストレスがないことと相関する大きさを決定することで、人の現在のストレス指数を決定する。例として限定されるものではないが、低い心拍及び低い加速度は、低いストレス指数と関連し、高い心拍及び低い加速度は、高いストレス指数と関連する。この開示は特定のプロセスを実行して人の現在のストレス指数を決定する特定のコンポーネントを記載しているが、この開示は、任意の適切なプロセスを実行して人の現在のストレス指数を決定する任意の適切なコンポーネントを想定する。さらに、この開示は特定の相関について特定のデータストリームを分析して人の現在のストレス指数を決定することを記載しているが、この開示は、任意の適切な相関について任意の適切なデータストリームを分析して人の現在のストレス指数を決定することを想定している。
【０１７０】
特定の実施の形態では、分析システム１８０は、人のストレスモデルを使用して、加速度計のデータストリームと１以上の他のデータストリームとからのデータセットの分析に基づいて、人の現在のストレスインデックスを決定する。例として限定されるものではないが、ストレスモデルは、ｆsm＝SIのような、人のストレス指数をダイレクトに計算し、SIは、人のストレス指数である。
【０１７１】
別の例として限定されるものではないが、人のストレス指数は、ｆ(ｆsm)＝SIのような、ストレスモデルに基づいている。分析システム１８０は、加速度計のデータストリーム及び他のデータストリームからのデータに基づいて人のストレス指数を計算する。例として限定されるものではないが、分析システム１８０は、独立の変数として、ストレスモデルに、加速度計のデータストリームと他のデータストリームとからのデータポイント又はデータレンジを有する。次いで、分析システム１８０は、ストレスモデルを解くことで、人のストレス指数を計算する。この開示は、特定のプロセスを実行して人の現在のストレス指数を決定する特定のコンポーネントを記載しているが、この開示は、任意の適切なプロセスを実行して人の現在のストレス指数を決定する任意の適切なコンポーネントを想定している。さらに、この開示は、人のストレスと人のストレス指数との間の特定の関係を記載しているが、この開示は、人のストレスモデルと人のストレス指数との間の任意の適切な関係を想定している。
【０１７２】
特定の実施の形態では、分析システム１８０は、１以上の更なるセンサ１１２からの１以上のデータストリームにアクセスし、人におけるストレスを測定及び監視する。上述されたように、分析システム１８０は、例えば行動的なセンサ、心電計、グルココルチコイドメータ、筋電計、呼吸センサ、電気皮膚反応センサ、又は別の適切なセンサ１１２にアクセスする。次いで、分析システム１８０は、例えばストレスに関連しないイベントにより引き起こされる生理的なデータに混乱されないようにすることで、人のストレスを更に正確に測定及び監視することが可能となる。
【０１７３】
図１２は、加速度計のデータを使用してストレスを監視する例示的な方法１２００を示す。本方法は、ステップ１２１０で開始し、分析システム１８０は、複数のセンサ１１２からの１以上のデータストリームにアクセスする。センサ１１２は、加速度計、１以上の心拍モニタ、血圧モニタ、パルス酸素濃度計又はムードセンサを含む。データストリームは、加速度計からの人の加速度計データ、及び心拍モニタからの人の心拍データ、血圧モニタからの人の血圧データ、パルス酸素濃度計からの人のパルス酸素データ、及びムードセンサからの人のムードデータの１以上を含む。データストリームからの第一のデータセットは、第一の時間で人から収集され、人は、第一の時間で第一のアクティビティに従事している。データストリームからの第二のデータセットは、第二の時間で人から収集され、人は、第二の時間で第二のアクティビティに従事している。ステップ１２２０で、分析システム１８０は、第一のデータセット及び第二のデータセットを互いに関して分析する。ステップ１２３０で、分析システム１８０は、第一のデータセットと第二のデータセットとの互いの分析に基づいて、人の現在のストレス指数を決定する。この開示は、図１２の方法の特定のステップが特定の順序で行われることを記載及び図示しているが、この開示は、図１２の方法の任意の適切なステップが任意の適切な順序で行われることを想定している。さらに、この開示は、図１２の方法の特定のステップを実行する特定のコンポーネントを記載及び図示しているが、この開示は、図１２の方法の任意の適切なステップを実行する任意の適切なコンポーネントの任意の適切な組み合わせを想定している。
【０１７４】
［環境的なデータを使用したストレスの連続的な監視］
ストレスを正確に測定及び監視することにおける別の問題は、測定されたパラメータにおける変化が環境的（すなわち外因的）要素により引き起こされたかを判定することである。ストレスを測定するために、例えば心拍モニタ、血圧モニタ、パルス酸素濃度計又は呼吸センサのような様々な生理的なセンサが使用される。しかし、ストレスは環境的な要素により引き起こされることがあるので、ストレスの原因を判定することは、生理的なセンサのみで監視することによっては不可能である。ストレスを監視するため、例えば気圧計、位置センサ、交通センサ又はデータフィードのような様々な環境的なセンサが使用される。例えば、人における心拍、血圧及び呼吸における増加は、人におけるストレスの増加に関連する。しかし、これらの生理的なデータのみを測定することでは、人におけるストレスの原因が分からない。これらの生理的な反応は、例えば天気の変化、人の場所の変化、交通に遭遇すること、データフィードからのニュースの受信のような環境的なストレスにより引き起こされる。ストレスを測定する大部分の現在の方法は、被検体に関連する生理的なデータのみを考慮しており、その環境からの分析を除いている。結果として、ストレッサとして作用する環境的要素の理解なしに、ストレスの原因を確定することは困難な場合がある。生理的なセンサのデータをこの環境的なデータの文脈に当てはめることで、分析システム１８０は、外因性のイベントにより引き起こされる生理的なデータにおける変化を識別することができ、人におけるストレスを更に正確に測定及び監視し、人のストレスの環境的な原因（すなわちストレッサ）を更に正確に識別することができる。
【０１７５】
特定の実施の形態では、分析システム１８０は、１以上の環境的なセンサからの１以上のデータストリームを分析することで、ストレスを測定及び監視する。環境的なセンサは、例えば気圧計、天気センサ、花粉カウンタ、位置センサ、地震計、高度計、比重計、デシベル計、露出計、温度計、風センサ、交通センサ、別の適した環境センサ、又は２以上の係るセンサを含む。本明細書で使用されたとき、用語「環境的なセンサ」は広義に使用される。例えば、ガスを警告する鉱山労働者により使用されるケージにおけるカナリアは、環境的センサと考えられる。１以上の環境的なセンサは、データフィードである場合がある。データフィードは、例えば株式市場のティッカー、ニュースフィード、交通状態のアップデート、公衆衛生の通知、電子カレンダー、社会ネットワークのニュースフィード、別の適切なデータフィード、又は２以上の係るデータフィードを含む。環境的なセンサは、環境的なデータを有する１以上のデータストリームを分析システム１８０に送信する。次いで、分析システム１８０は、この環境的なデータを分析し、環境的なデータを環境的な状態をストレスと相互に関連付けるストレスモデルに入力して人のストレス指数を計算する。また、分析システム１８０は、この環境的なデータを分析して、人にストレッサとして作用するイベントを識別する。分析システム１８０は、環境的なデータを含むデータストリームを連続して監視し、これにより人にストレスを生じさせる外因性のイベントを正確に測定及び監視する。この開示は特定のタイプの環境的センサを使用してストレスを測定及び監視することを記載しているが、この開示は、任意の適切な環境的なセンサを使用してストレスを測定及び監視することを想定している。
【０１７６】
特定の実施の形態では、分析システム１８０は、環境的なセンサ及び１以上の他のセンサ１１２からの１以上のデータストリームにアクセスして、人におけるストレスを測定及び監視する。データストリームは、環境的なデータ、及び１以上の人の心理的なデータ、人の行動的なデータ、又は人の生理的なデータを含む。特定の実施の形態では、分析システム１８０は、環境的なセンサ、及び１以上のムードセンサ、心拍モニタ、血圧モニタ、パルス酸素濃度計又は加速度計からのデータストリームにアクセスする。この開示は、特定のセンサ１１２及び特定のデータストリームにアクセスして人におけるストレスを測定及び監視することを記載しているが、この開示は、任意の適切なセンサ１１２及び任意の適切なデータストリームにアクセスして人におけるストレスを測定及びモニタすることを想定している。
【０１７７】
特定の実施の形態では、分析システム１８０は、データストリームからの複数のデータセットにアクセスして人におけるストレスを測定及び監視する。典型的な診断テストは、少なくとも２つのデータセットを生成することを含み、データセットは、環境的な状態が少なくとも２つのデータセット間で異なるときに収集される。データセットは、センサアレイ１１０における１以上のセンサ１１２からの１以上のデータセットを含む。例として限定されるものではないが、第一のデータセットは、環境的なデータが第一の状態を示すときに収集され、第二のデータセットは、環境的なデータが第二の状態を示すときに収集される。別の例として限定されるものではないが、第一のデータセットは、人が特定のストレッサに晒されているときに収集され、第二のデータセットは、人が特定のストレッサに晒されていないときに収集される。更に別の例として限定されるものではないが、第一のデータセットは、人がかなりストレスを受けているときに収集され、第二のデータセットは、人が実質上ストレスを受けていないときに収集される。更に別の例として限定されることなしに、第一のデータセットは、人が第一のアクティビティに従事しているときに収集され、第二のデータセットは、人が第二のアクティビティに従事しているときに収集される。次いで、分析システム１８０は、環境的なデータを使用して、他のセンサ１１２からのデータに混乱されないように、人の生理的な状態における測定された変化がストレスに関連するイベント又はストレスに関連しないイベントにより引き起こされたかを判定する。人におけるストレスを判定する精度は、データセットの数が増加したときに増加する。従って、人におけるストレスを決定するため、複数のデータセットが生成及び分析される。この開示は、特定のデータセットにアクセスして人におけるストレスを測定及び監視することを記載しているが、この開示は、任意の適切なデータにアクセスして人におけるストレスを測定及び監視することを想定している。
【０１７８】
特定の実施の形態では、分析システム１８０は、人のストレスモデルにアクセスする。例として限定されるものではないが、ストレスモデルは、腎臓のドップラデータ、環境的なデータ、及び１以上のムードデータ、心拍データ、血圧データ、パルス酸素濃度データ又は加速度計データに基づくアルゴリズムである。例として限定されるものではないが、ストレスモデルは、幾つかの制御期間を通して１以上のセンサ１１２により行われるセンサの測定に基づくアルゴリズムである。ストレスモデルは、１以上のデータストリーム及び１以上の固定された変数からのデータを含めて、様々な変数を含む。以下は、人のストレスをモデル化する分析システム１８０がアクセスする例示的なアルゴリズムである。
【数９】
0005958064.tif 000011
ここでｆsmはストレスモデルであり、（D1env）は環境的なデータであり、（D2mood）は人の生理的な状態（mood）であり、（D2HR）は人の心拍であり、（D4BP）は人の血圧であり、（D5SpO2）は人の血中酸素であり、（D6acc）は人の身体のアクティビティ（加速度）であり、（X1，．．．，XM）は1〜Mまでの固定された変数である。
【０１７９】
この開示は、特定のデータ又は変数に基づいて特定のストレスモデルにアクセスすることを記載しているが、この開示は、任意の適切なデータ又は変数に基づいて任意の適切なストレスモデルにアクセスすることを想定している。
【０１８０】
特定の実施の形態では、分析システム１８０は、環境的なデータストリームと、１以上の他のデータストリームとからのデータを互いに関して分析する。分析システム１８０は、任意の適切なプロセス、計算又は技術を使用して、データストリームを互いに関して分析する。例として限定されるものではないが、分析システム１８０は、第一のデータセットと第二のデータセットとを比較して、環境的な状態における変化を識別し、人の生理的な状態における対応する変化を識別する。別の例として限定されるものではないが、分析システム１８０は、データストリームを分析して、ストレスモデルへの入力として使用される、データストリームからのデータポイント又はデータレンジを識別する。特定の実施の形態では、分析システム１８０は、例えばデータを互いに関してマッピングすることにより、環境的なデータを他のデータの文脈に当てはめる。例として限定されるものではないが、分析システム１８０は、環境的なデータを、人のムードデータ、心拍データ、血圧データ、パルス酸素データ及び加速度データの文脈に当てはめ、環境的なデータにおける変化と他のデータにおける変化との間の相関を識別する。この開示は、特定のプロセスを実行して互いに関してデータストリームを分析することを記載しているが、この開示は、任意の適切なプロセスを実行して互いに関してデータストリームを分析する任意の適切なコンポーネントを想定している。
【０１８１】
特定の実施の形態では、分析システム１８０は、環境的なデータストリームと１以上の他のデータストリームとから複数のデータセットの分析に基づいて、人の現在のストレス指数を決定する。ストレス指数は、環境的なデータと人の生理的又は心理的な状態との両者から決定される。上述されたように、例えば増加される心拍、増加された血圧又は減少された血中酸素のような、様々な生理的な状態がストレスと相互に関連する。同様に、例えば天気における変化、増加される花粉のカウント、位置における変化、地震及び他の自然災害、高度のける変化、増加される雑音レベル、明暗における変化、増加される交通量、株式市場における低下、病気の発生、又は社会ネットワークの状態における変化（例えば交友関係を絶つ、関係状況を変える）といった、様々な環境的な状態がストレスと相互に関連する。ストレスに相関する生理的な応答は、環境的なデータにおいて識別される、特定の環境的なストレッサにより引き起こされる。例として限定されるものではないが、分析システム１８０は、データストリームを調べ、ストレスがあること又はストレスがないことと相関する生理的な状態を識別し、測定された生理的な状態が環境的な状態と相関するかを識別する。分析システム１８０は、あるデータセットを分析して、人のベースラインストレスを決定し、次いで、別のデータセットを分析して、人の生理的な状態における変化を判定して、人の現在のストレス指数を決定する。分析システム１８０は、生理的な状態のそれぞれをストレスがあること又はストレスがないことと相互に関連付ける大きさを決定することで、人の現在のストレス指数を決定する。例として限定されるものではないが、低い呼吸数は、低いストレス指数と関連し、高い呼吸数は、高いストレス指数と相互に相関する。別の例として限定されるものではないが、株式市場における小さな落ち込みは、低いストレス指数と関連し、株式市場における大きな落ち込みは、高いストレス指数と関連する。この開示は、特定のプロセスを実行して人の現在のストレス指数を決定する特定のコンポーネントを記載しているが、この開示は、任意の適切なプロセスを実行して人の現在のストレス指数を決定する任意の適切なコンポーネントを想定している。さらに、この開示は、特定の相関について特定のデータストリームを分析して人の現在のストレス指数を決定することを記載しているが、この開示は、任意の適切な相関について任意の適切なデータストリームを分析して人の現在のストレス指数を決定することを想定している。
【０１８２】
特定の実施の形態では、分析システム１８０は、人のストレスモデルを使用して、環境的なデータストリームと１以上の他のデータストリームとからのデータセットの互いの分析に基づいて、人の現在のストレス指数を決定する。例として限定されるものではないが、ストレスモデルは、ｆsm＝SIのように、人のストレス指数をダイレクトに計算し、SIは、人のストレス指数である。別の例として限定されるものではないが、人のストレス指数は、ｆ(ｆsm)＝SIのように、ストレスモデルに基づく場合がある。分析システム１８０は、環境的なデータストリームと他のデータストリームとに基づいて、人のストレス指数を計算する。例として限定されるものではないが、分析システム１８０は、独立な変数として、ストレスモデルに、環境的なデータストリームと他のデータストリームとからのデータポイント又はデータレンジを入力する。次いで、分析システム１８０は、ストレスモデルを解くことで、人のストレス指数を計算する。この開示は、特定のプロセスを実行して人の現在のストレス指数を計算する特定のコンポーネント記載しているが、この開示は、任意の適切なプロセスを実行して人の現在のストレス指数を決定する任意の適切なコンポーネントを想定している。さらに、この開示は人のストレスモデルと人のストレス指数との間の特定の関係を記載しているが、この開示は、人のストレスモデルと人のストレス指数との間の任意の適切な関係を想定している。
【０１８３】
特定の実施の形態では、分析システム１８０は、１以上の更なるセンサ１１２からの１以上のデータセンサにアクセスして人におけるストレスを測定及び監視する。上述されたように、分析システム１８０は、例えば行動的なセンサ、心電計、グルココルチコイドメータ、筋電計、呼吸センサ、電気皮膚反応センサ又は別の適切なセンサ１１２にアクセスする。次いで、分析システム１８０は、これら更なるデータストリームを分析して、例えばストレスに関連しないイベントにより引き起こされる生理的なデータに混乱されないようにすることで、人のストレスを更に正確に測定及び監視するのを可能にする。
【０１８４】
図１３は、環境的なデータを使用してストレスを監視する例示的な方法１３００を示す。本方法は、ステップ１３１０で開始し、分析システム１８０は、複数のセンサ１１２からの１以上のデータストリームにアクセスする。センサ１１２は、環境的なセンサ、及び１以上のムードセンサ、心拍モニタ、血圧モニタ、パルス酸素濃度計又は加速度計を含む。データストリームは、環境的なセンサからの環境的なデータ、ムードセンサからの人の１以上のムードデータ、心拍モニタからの人の心拍データ、血圧モニタからの人の血圧データ、パルス酸素濃度計からの人のパルス酸素データ、加速度計からの人の加速度データを含む。データストリームからの第一のデータセットは、第一の時間で収集され、第一のデータセットにおける環境的なデータは、第一の時間での第一の状態を示す。データストリームからの第二のデータセットは、第二の時間で収集され、第二のデータセットにおける環境的なデータは、第二の時間での第二の状態を示す。ステップ１３２０で、分析システム１８０は、第一のデータセットと第二のデータセットとを互いに関して分析する。ステップ１３３０で、分析システム１８０は、第一のデータセットと第二のデータセットの互いの分析に基づいて、人の現在のストレス指数を決定する。この開示は、図１３の方法の特定のステップが特定の順序で行われることを記載及び図示しているが、この開示は、図１３の方法の任意の適切なステップが任意の適切の順序で行われることを想定している。さらに、この開示は、図１３の方法の特定のステップを実行する特定のコンポーネントを記載及び図示しているが、この開示は、図１３の方法の任意の適切なステップを実行する任意の適切なコンポーネントの任意の適切な組み合わせを想定している。
【０１８５】
［複合ストレス指数の計算及び監視］
ストレスレベルを測定及び定量化することは、人のストレスの反応に寄与する様々な生理的、心理的、行動的及び環境的要素が存在するために困難である。例えば、生理的なストレスは、人体のホメオスタシスにおける混乱を引き起こすストレッサの直接的な結果として生じる広範な身体的な反応である。心理的又は生理的な均衡の緊急の混乱に応じて、人体は、神経系、内分泌腺系、及び免疫系を刺激することで応答する。これらの系の反応は、人体に短期間及び長期間の影響を有する多数の生理的な変化を生じさせる。しかし、生理的なストレスは、内部的に引き起こされるか、或いは、心理的、行動的、又は環境的な要素により引き起こされる場合がある。従って、様々なソースにより引き起こされるストレスを定量化可能な合成ストレス指数が必要とされる。
【０１８６】
特定のステップは、人のストレス指数における特定の変化（すなわちストレス要素）と関連される。例えば「会議のストレス要素」、「交通のストレス要素」、「予定のストレス要素」、「経済変動のストレス要素」等がある。従って、ストレス指数は、特定のストレッサに関して較正される場合がある。それぞれの人は、様々なストレス要素及びストレス回復係数を示す、それぞれのタイプのストレッサについて個人化された反応及び回復パターンを有する。分析システム１８０は、ストレス要素及びストレス回復を測定及び監視するために使用される。これにより、ユーザは、ストレス管理に役立つ、所与の個人又は人口において異なる回復パターンにつながるストレッサのタイプを決定することができる。
【０１８７】
特定の実施の形態では、ストレス要素は、特定のストレッサに割り当てられる。ストレスファクタは、特定のストレッサ又は治療に関連する人のストレス指数における変化である。従って、特定のストレッサに晒された後の人のストレスは、特定のストレッサに晒される前の人のストレス、ストレッサに関連するストレス要素に基づいている。例として限定されるものではないが、人の現在のストレス指数は、SI＝ｆ(SI0，SFi)であり、SIは人の現在のストレス指数であり、SI0はストレッサiに晒される前の人のストレス指数、SFiはストレッサiに関連するストレス要素である。特定の実施の形態では、ストレス要素は、現在のストレス指数を計算するため、人の前のストレス指数に加算される。例として限定されるものではないが、比較的簡単な数式を解くような小さなストレッサは、0-100ストレス尺度で5ポイントだけ人のストレス指数を増加させ、ある配偶者との口論を有するような大きなストレスは、同じストレス尺度で20ポイントだけ人のストレス指数を増加させる。従って、小さなストレスは、(+5)/100のストレス要素が割り当てられ、大きなストレッサは、(+20)/100のストレス要素が割り当てられる。特定の実施の形態では、ストレス要素は、シンプルな線形な加算（例えば乗算、除算、指数、否定、三角関数、又は他の適切な数式演算）以外の数式演算を実行するために使用されるか、又は人の現在のストレス指数を計算するための数学関数の一部として使用される。
【０１８８】
この開示は、特定のストレッサを特定のストレス要素に割り当てることを記載しているが、この開示は、任意の適切なストレッサを任意の適切なストレス要素を割り当てることを想定している。
【０１８９】
特定の実施の形態では、分析システム１８０は、以下の３つのセンサ１１２のグループからのデータストリームを分析することでストレッサを測定及び監視する。（１）１以上の生理的なセンサ、（２）１以上の混乱防止センサ、及び（３）１以上のストレッサセンサ。分析システム１８０は、第一のグループにおけるセンサ１１２から１以上の生理的なパラメータを測定する。第二のグループにおけるセンサ１１２からのデータは、第一のグループからの生理的なデータに混乱されないように、生理的な変化が、ストレスに関連するイベント又はストレスに関連しないイベントにより実際に引き起こされるかを判定するために使用される。最終的に、第三のグループにおけるセンサ１１２からのデータは、ストレッサとして作用する心理的、行動的又は環境的な状態における変化を測定する。３つのグループにおけるセンサ１１２が適切な措置を講じた後、センサ１１２は、ユーザの生理的なデータ及び他のデータを含む１以上のデータストリームを分析システム１８０に送信する。次いで、分析システム１８０は、第一及び第二のセンサ１１２のグループからのデータを分析し、第一及び第二のセンサ１１２のグループからのデータを、生理的なデータ及び他のデータをストレスと相互に関連付けするストレスモデルに入力して、人のストレス指数及びストレッサにより引き起こされるストレス指数における変化を計算する。ストレス指数の測定を第一及び第二のセンサ１１２のグループに対して隔離することで、（第三のグループからのセンサ１１２により測定される）特定のストレッサにより引き起こされるストレス指数における変化を正確に決定することができる。分析システム１８０は、３つのグループのセンサ１１２からのデータストリームを連続して監視し、これにより人のストレス及びストレスに関連する健康の状態を正確に測定及び監視することができる。この開示は、特定のタイプ及びグループのセンサ１１２を使用してストレッサを測定及び監視することを記載しているが、この開示は、任意の適切なタイプ又はグループのセンサ１１２を使用してストレッサを測定及び監視することを想定している。
【０１９０】
特定の実施の形態では、分析システム１８０は、第一、第二及び第三のセンサ１１２のグループからの１以上のデータストリームにアクセスして、ストレッサを測定及び監視する。データストリームは、人の生理的なデータ、人の心理的なデータ、人の行動的なデータ又は環境的なデータを含む。特定の実施の形態では、分析システム１８０は、心拍モニタ、血圧モニタ、パルス酸素濃度計及び加速度計からなる第一のセンサタイプのグループから選択された１以上の第一のセンサからのデータストリームにアクセスする。これら第一のセンサは、人の心拍データ、人の血圧データ、人のパルス酸素濃度データ及び加速度計データをそれぞれ含むデータストリームを送信する。特に実施の形態では、分析システム１８０は、ムードセッサ、行動的なセンサ及び環境的なデンサからなる第二のセンサタイプのグループから選択された１又は２の第二のセンサからのデータストリームにアクセスする。これらの第二のセンサは、人のムードデータ、人の行動的なデータ、環境的なデータを送信する。特定の実施の形態では、分析システムは、第二のセンサタイプのグループから選択された１つの第三のセンサからのデータストリームにアクセスし、第三のセンサは、第二のセンサの何れかとは異なるセンサタイプである。例として限定されるものではないが、第二のセンサがムードセンサ及び行動的なセンサである場合、第三のセンサは、環境的なセンサのみである。別の例として限定されるものではないが、第二のセンサがムードセンサである場合、第三のセンサは行動的なセンサ又は環境的なセンサの何れかである。この開示は特定のセンサ１１２及び特定のデータストリームにアクセスしてストレッサを測定及び監視することを記載しているが、この開示は、任意の適切なセンサ１１２及び任意の適切なデータストリームにアクセスしてストレッサを測定及び監視することを想定している。
【０１９１】
特定の実施の形態では、分析システム１８０は、データストリームからの複数のデータセットにアクセスしてストレッサを測定及び監視する。典型的な診断テストは、少なくとも２つのデータセットを生成することを含み、これらのデータセットは、人が特定のストレッサに晒され、特定のストレッサに晒されないときに彼から収集される。これら載せたセットは、センサアレイ１１０における１以上のセンサ１１２からの１以上のデータセットを含む。例として限定されるものではないが、第一のデータセットは、人が特定のストレッサ（例えば議論）に晒されるときに彼から収集され、第二のデータセットは、人が特定のストレッサに晒されないときに彼から収集される。別の例として限定されるものではないが、第一のデータセットは、人がかなりストレスを受けているときに彼から収集され、第二のデータセットは、人が実質ストレスを受けていないときに彼から収集される。更に別の例として限定されるものではないが、第一のデータセットは、人がストレスが多い第一のアクティビティに従事しているときに彼から収集され、第二のデータセットは、人がストレスのない第二のアクティビティに従事しているときに彼から収集される。次いで、分析システム１８０は、第二のセンサ１１２のグループからのデータを使用して、第一のセンサ１１２のグループからのデータに混乱されないように、人の生理的な状態における測定された変化がストレッサにより引き起こされたか（第三のセンサ１１２のグループからのデータにより測定されたとき）、又はストレスに関連しないイベントにより引き起こされたか（第三のセンサ１１２のグループからのデータにより測定されたとき）を判定する。特定のストレッサについてストレス要素を判定する精度は、データセットの数が増加するときに増加する。従って、複数のデータセットは、ストレッサのストレス要素を判定するために生成及び分析される。この開示は、特定のデータセットにアクセスしてストレッサを測定及び監視することを記載しているが、この開示は、任意の適切なデータセットにアクセスしてストレッサを測定及び監視することを想定している。
【０１９２】
特定の実施の形態では、分析システム１８０は、人のストレスモデルにアクセスする。例として限定されるものではないが、ストレスモデルは、腎臓のドップラデータ、及び２以上の心拍データ、血圧データ、パルス酸素濃度データ又はムードデータに基づくアルゴリズムである。例として限定されるものではないが、ストレスモデルは、幾つかの制御期間を通して１以上のセンサ１１２により行われるセンサの測定に基づくアルゴリズムである。ストレスモデルは、１以上のデータストリーム及び１以上の固定された変数からのデータを含む、様々な変数を含む。以下は、人のストレスをモデル化する分析システム１８０がアクセスする例示的なアルゴリズムである。
【数１０】
0005958064.tif 000012
ここでｆsmはストレスモデルであり、（D1HR）は人の心拍であり、（D2BP）は人の血圧であり、（D3SpO2）は人の血中酸素レベルであり、（D4acc）は人の身体のアクティビティ（加速度）であり、（D5mood）は人の心理的な状態（ムード）であり、（D6beh）は人の行動的な状態（アクティビティ）であり、（D7env）は環境的な状態であり、（X1，．．．，XM）は1〜Mまでの固定された変数である。
【０１９３】
この開示は、特定のデータ又は変数に基づいて特定のストレスモデルにアクセスすることを記載しているが、この開示は、任意の適切なデータ又は変数に基づいて任意の適切なストレスモデルにアクセスすることを想定している。
【０１９４】
特定の実施の形態では、分析システム１８０は、第一、第二及び第三のセンサ１１２のグループからのデータストリームからのデータセットを互いに関して分析する。分析システム１８０は、任意の適切なプロセス、計算又は技術を使用して、データストリームを互いに関して分析する。例として限定されるものではないが、分析システム１８０は、第一のデータセット及び第二のデータセットを比較して、人の生理的な状態における変化を識別し、心理的、行動的又は環境的な状態における対応する変化を識別する。別の例として限定されるものではないが、分析システム１８０は、データストリームを分析し、ストレスモデルへの入力として使用される、データストリームからのデータポイント又はデータレンジを識別する。特定の実施の形態では、分析システム１８０は、例えばデータを互いに関してマッピングすることで、生理的なデータを互いに、その文脈に当てはめる。例として限定されるものではないが、分析システム１８０は、人の生理的なデータを、心理的、行動的又は環境的なデータの文脈に当てはめ、分析システム１８０が生理的なデータにおける変化と他のデータにおける変化との間の相関を識別するのを可能にする。この開示は特定のプロセスを実行してデータストリーム互いに関して分析する特定のコンポーネントを記載しているが、この開示は、任意の適切なプロセスを実行してデータストリームを互いに関して分析する任意の適切なコンポーネントを想定している。
【０１９５】
特定の実施の形態では、分析システム１８０は、第一、第二の及び第三のセンサ１１２のグループからのデーストリームからの複数のデータセットの互いの分析に基づいて、あるストレッサについて現在のストレス要素を決定する。ストレス要素は、人の生理的なデータ、並びに心理的、行動的及び環境的なデータの両者から決定される。上述されたように、例えば増加される心拍、増加される血圧又は減少される血中酸素のような様々な生理的な状態は、ストレスに相関する。しかし、これらの同じ生理的な状態は、ストレスに関連しないイベントにより引き起こされる。例として限定されるものではないが、分析システム１８０は、第一のセンサ１１２のグループからのデータストリームを調べて、ストレスがあること又はストレスがないことと相関する生理的な状態を識別し、測定された生理的な状態が、第二のセンサ１１２のグループにより測定されたようなストレスに関連しないイベントにより引き起こされたものであるか、測定された生理的な状態が、第三のセンサ１１２のグループにより測定されたようなストレスと相関するかを識別する。分析システム１８０は、あるデータセットを分析して、人のベースラインストレスを決定し、次いで、別のデータセットを分析して、人の生理的な状態における変化を決定し、人のストレス指数における変化を決定し、これにより第三のセンサ１１２のグループにより測定されるストレッサのストレス要素を決定する。この開示は、特定のプロセスを実行してストレッサの現在のストレス要素を決定することを記載しているが、この開示は、任意の適切なプロセスを実行してストレッサの現在のストレス要素を決定することを想定している。さらに、この開示は、特定の相関について特定のデータストリームを分析してストレッサの現在のストレス要素を決定することを記載しているが、この開示は、任意の適切な相関について任意の適切なデータストリームを分析してストレッサに現在のストレス要素を決定することを想定している。
【０１９６】
特定の実施の形態では、分析システム１８０は、人のストレスモデルを使用して、第一、第二及び第三のセンサ１１２のグループからのデータストリームからのデータセットの互いの分析に基づいて、あるストレッサの現在のストレス要素を決定する。例として限定されるものではないが、ストレスモデルは、ｆsm＝SIのように、人のストレス指数をダイレクトに計算し、ここでSIは、人のストレス指数である。別の例として限定されるものではないが、人のストレス指数は、ｆ(ｆsm)＝SIのように、ストレスモデルに基づく場合がある。分析システム１８０は、生理的なデータストリームと他のデータストリームとからのデータに基づいて、人のストレス指数を計算する。例として限定されるものではないが、分析システム１８０は、独立の変数としてストレスモデルに、第一及び第二のセンサ１１２のグループからのデータストリームからのデータポイント又はデータレンジを入力する。分析システム１８０は、ストレスモデルを解くことにより、第一の時間及び第二の時間で人のストレス指数を計算する。次いで、分析システム１８０は、第一の時間から第二の時間までのストレス指数における変化を計算することで、第三のセンサにより測定されたストレッサのストレス要素を計算する。この開示は、特定のプロセスを実行してストレッサの現在のストレス要素を決定する特定のコンポーネントを記載しているが、この開示は、任意の適切なプロセスを実行してストレッサの現在のストレス要素を決定する任意の適切なコンポーネントを想定している。
【０１９７】
特定の実施の形態では、分析システム１８０は、１以上の更なるセンサ１１２からの１以上のデータストリームにアクセスしてストレッサを測定及び監視する。先に記載されたように、分析システム１８０は、例えば心電計、グルココルチコイドメータ、筋電計、呼吸センサ、電気皮膚反応センサ又は別の適切なセンサ１１２にアクセスする。次いで、分析システム１８０は、これらの更なるデータストリームを分析して、例えばストレスに関連しないイベントにより引き起こされる生理的なデータに混乱されないようにすることで、ストレッサを更に正確に測定及び監視することが可能である。
【０１９８】
図１４は、あるストレッサのストレス要素を計算する例示的な方法１４００を示す。本方法は、ステップ１４１０で開始し、分析システム１８０は、複数のセンサ１１２からの１以上のデータストリームにアクセスする。センサ１２は、心拍モニタ、血圧モニタ、パルス酸素濃度計及び加速度計からなる第一のセンサタイプのグループから選択される１以上の第一のセンサを含む。センサ１１２は、ムードセンサ、行動的なセンサ及び環境的なセンサからなる第二のセンサタイプのグループから選択された１又は２の第二のセンサを更に備える。センサ１１２は、第二のセンサタイプのグループから選択された第三のセンサを更に含む。第三のセンサは、２つの第二のセンサのそれぞれとはセンサのタイプにおいて異なる。データストリームは、心拍モニタからの人の心拍データ、血圧モニタからの人の血圧データ、パルス酸素濃度計からの人のパルス酸素データ、加速度計からの人の加速度データ、ムードセンサからの人のムードデータ、行動的なセンサからの人の行動的なデータ、又は環境的なセンサからの環境的なデータのうちの１以上を備える。データストリームからの第一のデータセットは、第一の時間で人から収集され、人は、第三のセンサからの第一のデータセットにおけるデータにより示されたときに、第一の時間でストレッサに晒される。データストリームからの第二のデータセットは、第二の時間で人から収集され、人は、第三のセンサからの第二のデータセットにおけるデータにより示されたときに、第二の時間でストレッサに晒されない。ステップ１４２０で、分析システム１８０は、第一のデータセット及び第二のデータセットを互いに関して分析する。ステップ１４３０で、分析システム１８０は、第一のデータセット及び第二のデータセットの互いの分析に基づいて、人に関するストレッサについての現在のストレス指数を決定する。この開示は図１４の方法の特定のステップが特定の順序で行われるように記載及び図示しているが、この開示は、図１４の方法の任意の適切なステップが任意の適切な順序で行われることを想定している。さらに、この開示は図１４の方法の特定のステップを実行する特定のコンポーネントを記載及び図示しているが、この開示は、図１４の方法の任意の適切なステップを実行する任意の適切なコンポーネントの任意の適切な組み合わせを想定している。
【０１９９】
［ストレスに関連する治療の有効性の計算及び監視］
ストレスを正確に測定及び監視する別の問題は、特定のストレス低減の治療が効果的であるかを判定することである。ストレス低減のための多くの異なる技術が存在する。ストレス低減の有効性を定量化することは、その治療を、例えば生理的、心理的、行動的又は環境的なデータのような様々なデータの文脈に当てはめることで行われる。適切なストレス管理アプローチは、ストレッサ又は人の性質に基づいて異なる。例えば特定の人について、呼吸運動は、ストレスが家庭内の口論で引き起こされたときに認知再構成法よりも効果的である一方、ストレスが仕事に関連したストレスにより引き起こされたとき、その反対が真である場合がある。結果的に、特定の人のストレス低減技術の有効性を定量化可能なシステムが必要とされる。
【０２００】
特定の治療は、ある人のストレス指数における特定の変化（すなわちストレス要素）に関連する。例えば、「めい想のストレス要素」、「バイオフィードバックストレス要素」、「認知再構成法のストレス要素」、「治療介入のストレス要素」等がある。従って、ストレス指数は、特定の治療に関して較正される。それぞれの人は、様々なストレス要素及びストレス回復パターンを示す、それぞれのタイプの治療についての個人化された反応及び回復パターンを有する。分析システム１８０は、ストレス要素及びストレス回復を測定及び監視するために使用される。これは、ストレス管理に役立つ、所与の個人又は人口において最も効果的である治療のタイプをユーザが決定するのを可能にする。
【０２０１】
特定の実施の形態では、ストレス要素には、特定の治療が割り当てられる。ストレス要素は、特定のストレッサ又は治療に関連するその人のストレス指数における変化である。例として限定されるものではないが、短時間の呼吸の運動のような小さな治療は、0-100ストレス尺度で8ポイントだけその人のストレス指数を減少させ、一時間のめい想のような治療のストレッサは、同じストレス尺度で30ポイントだけその人のストレス指数を減少する。従って、小さな治療には、(-8)/100のストレス要素が割り当てられ、大きな治療には、(-30)/100のストレス要素が割り当てられる。この開示は、特定のストレス要素に特定のストレッサを割り当てることを記載しているが、この開示は、任意の適切なストレス要素を任意の適切なストレッサに割り当てることを想定している。
【０２０２】
特定の実施の形態では、ある人は、様々なストレスに関連する治療に従事している場合がある。ストレスに関連する治療は、例えば治療介入、バイオフィードバック、呼吸運動、漸進的筋弛緩運動、個人のメディアの提示（例えば音楽、個人の絵画等）、出口戦略の提供（例えばストレスの多い状況を離れるための言い訳を有するようにユーザを呼び出す）、心理的な技術の範囲の参照、及び傾向のグラフィカルな表現（例えば時間を通した健康の基準の例示）、認知再構成法の治療、他の適切なストレスに関連する治療、又は２以上の係る治療を含む。人は、例えば第三の人物（例えば医師又は治療専門家）、彼自身（例えばセルフリラクゼーション技術）、ディスプレイシステム１９０（例えばストレスに関連する治療を表示する）、又は別の適切なソースから、様々なやり方でストレスに関連した治療を受ける。分析システム１８０は、治療のタイプ、期間及びソースのような、治療を説明する入力を受ける。次いで、分析システム１８０は、ストレス指数のデータを治療のデータの文脈に当てはめ、治療についてのストレス要素を計算する。この開示は特定の治療を記載しているが、この開示は、任意の適切な治療を想定している。
【０２０３】
特定の実施の形態では、分析システム１８０は、例えば加速度計、心拍モニタ、血圧モニタ、パルス酸素濃度計、ムードセンサ、行動的なセンサ、環境的なセンサ、又は別の適切なセンサ１１２のような１以上のセンサ１１２からの１以上のデータストリームを分析することで、ストレスに関連した治療を測定及び監視する。センサ１１２は、先に記載されたように、人のストレス指数を測定するために使用される。センサ１１２が適切な測定を行った後、センサ１１２は、ユーザの生理的、心理的、行動的又は環境的なデータを含む１以上のデータストリームを分析システム１８０に送信する。次いで、分析システム１８０は、このデータを分析し、このデータを、生理的、心理的、行動的又は環境的なデータをストレスと相互に関連付けするストレスモデルに入力して、その人のストレス指数を計算する。分析システム１８０は、センサ１１２からのデータストリームを連続して監視し、これにより分析システムが人のストレス、ストレスに関連する健康の状態及びストレス指数を正確に測定及び監視するのを可能にする。この開示は、特定のタイプのセンサ１１２を使用してストレスに関連する治療を測定及び監視することを記載しているが、この開示は、任意の適切なタイプのセンサ１１２を使用してストレスに関連する治療を測定及び監視することを想定している。
【０２０４】
特定の実施の形態では、分析システム１８０は、２以上のセンサ１１２からの２以上のデータストリームにアクセスして、ストレスに関連する治療を測定及び監視する。データストリームは、人の生理的なデータ、人の心理的なデータ、人の行動的なデータ又は環境的なデータを含む。特定の実施の形態では、分析システム１８０は、加速度計、心拍モニタ、血圧モニタ、パルス酸素濃度計又はムードセンサの２以上からのデータストリームにアクセスする。この開示は、特定のセンサ１１２及び特定のデータストリームにアクセスしてストレスに関連する治療を測定及び監視することを記載しているが、この開示は、任意の適切なセンサ１１２及び任意の適切なデータストリームにアクセスしてストレスに関連する治療を測定及び監視することを想定している。
【０２０５】
特定の実施の形態では、分析システム１８０は、データストリームからの複数のデータセットにアクセスしてストレスに関連する治療を測定及び監視する。典型的な診断のテストは、少なくとも２つのデータセットを生成することを含み、これらのデータのセットは、人が特定の治療に従事しており、特定の治療に従事していないときにその人から収集される。これらのデータセットは、センサアレイ１１０における１以上のセンサ１１２からの１以上のデータセットを含む。例として限定されるものではないが、第一のデータセットは、人は特定の治療（例えばめい想）に従事しているときに彼から収集され、第二のデータセットは、人が特定の治療に従事していないときに彼から収集される。別の例として限定されるものではないが、第一のデータセットは、人がかなりストレスを受けているときに彼から収集され、第二のデータセットは、人が実質的にストレスを受けていないときに彼から収集される。更に別の例として限定されるものではないが、第一のデータセットは、人がくつろいでいる第一のアクティビティ（すなわちストレスに関連する治療）に従事しているときに彼から収集され、第二のデータセットは、人がくつろいでいない第二のアクティビティに従事しているときに彼から収集される。分析システム１８０は、人の生理的な状態において測定された変化がストレスに関連する治療により引き起こされたか又はストレスに関連しないイベント（例えば身体のアクティビティを停止）により引き起こされたかを判定する。特定のストレスに関連する治療についてのストレス要素を判定する精度は、データセットの数が増加したときに増加する。従って、ストレスに関連する治療についてのストレス要素を決定するため、複数のデータセットが生成及び分析される。この開示は、特定のデータセットにアクセスしてストレスに関連する治療を測定及び監視することを記載しているが、この開示は、任意の適切なデータセットにアクセスしてストレスに関連する治療を測定及び監視することを想定している。
【０２０６】
特定の実施の形態では、分析システム１８０は、人のストレスモデルにアクセスする。例として限定されるものではないが、ストレスモデルは、腎臓のドップラデータ、及び加速度データ、心拍データ、血圧データ、パルス酸素濃度データ又はムードデータの２以上に基づくアルゴリズムである。例として限定されるものではないが、ストレスモデルは、幾つかの制御期間を通して１以上のセンサ１１２により行われるセンサの測定に基づくアルゴリズムである。ストレスモデルは、１以上のデータストリーム及び１以上の固定された変数からのデータを含めて、様々な変数を含む。以下は、人のストレスをモデル化する分析システム１８０がアクセスする例示的なアルゴリズムである。
【数１１】
0005958064.tif 000013
ここでｆsmがストレスモデルであり、（D1acc）は人の身体のアクティビティ（加速度）であり、（D2HR）は人の心拍であり、（D3BP）は人の血圧であり、（D4SpO2）は人の血中酸素レベルであり、（D5mood）は人の心理的な状態（ムード）であり、（X1，．．．，XM）は1〜Mまでの固定された変数である。
【０２０７】
この開示は、特定のデータ又は変数に基づいて特定のストレスモデルにアクセスすることを記載しているが、この開示は、任意の適切なデータ又は変数に基づいて任意の適切なストレスモデルにアクセスすることを想定している。
【０２０８】
特定の実施の形態では、分析システム１８０は、データからのデータセットを互いに関して分析する。分析システム１８０は、任意の適切なプロセス、計算又は技術を使用して、データストリームを互いに関して分析する。例として限定されるものではないが、分析システム１８０は、第一のデータセットと第二のデータセットとを比較して、人の生理的な状態における変化を識別し、心理的、行動的又は環境的な状態における対応する変化を識別する。別の例として限定されるものではないが、分析システム１８０は、データストリームを分析して、ストレスモデルへの入力として使用される、データストリームからのデータポイント又はデータレンジを識別する。特定の実施の形態では、分析システム１８０は、例えばデータを互いに関してマッピングすることで、生理的なデータを他のデータの文脈に当てはめる。例として限定されるものではないが、分析システム１８０は、人の生理的なデータを、心理的、行動的又は環境的なデータの文脈に当てはめ、分析システム１８０が生理的なデータにおける変化と他のデータにおける変化との間の相関を識別するのを可能にする。この開示は、特定のプロセスを実行してデータストリームを互いに関して分析する特定のコンポーネントを記載しているが、この開示は、任意の適切なプロセスを実行してデータストリームを互いに関して分析する任意の適切なコンポーネントを想定している。
【０２０９】
特定の実施の形態では、分析システム１８０は、データストリームからの複数のデータセットの互いの分析に基づいて、ストレスに関連する治療について現在のストレス要素を決定する。ストレス要素は、センサアレイ１１０におけるセンサ１１２からの生理的、心理的、行動的及び環境的なデータから決定される。先に記載されたように、例えば増加された心拍、増加された血圧又は減少された血中酸素濃度のような様々な生理的な状態は、ストレスと相関する。しかし、これらの同じ生理的な状態は、ストレスに関連するイベントにより引き起こされる。例として限定されるものではないが、分析システム１８０は、データストリームを調べて、ストレスがあること又はストレスがないことを相関する生理的な状態を識別し、測定された生理的な状態が第二のセンサ１１２のグループにより測定されたストレスに関連しないイベントにより引き起こされたものであるかを識別し、測定された生理的な状態がストレスに関連する治療と相関するかを識別する。分析システム１８０は、あるデータセットを分析して、人のベースラインのストレスを判定し、次いで、別のデータセットを分析して人の生理的な状態における変化を決定し、人のストレス指数における変化を判定し、ストレスに関連する治療についてストレス要素を決定する。この開示は、特定のプロセスを実行してストレスに関連する治療について現在のストレス要素を決定する特定のコンポーネントを記載しているが、この開示は、任意の適切なプロセスを実行してストレスに関連する治療について現在のストレス要素を決定することを想定している。さらに、この開示は、特定の相関について特定のデータストリームを分析してストレスに関連する治療について現在のストレス要素を決定することを記載しているが、この開示は、任意の適切な相関について任意の適切なデータストリームを分析してストレスに関連する治療について現在のストレス要素を決定することを想定している。
【０２１０】
特定の実施の形態において、分析システム１８０は、人のストレスモデルを使用して、データストリームからのデータセットの互いの分析に基づいて治療についての現在のストレス要素を決定する。例として限定されるものではないが、ストレスモデルは、ｆsm＝SIとなるように、人のストレス指数をダイレクトに計算し、ここでSIは人のストレス指数である。別の例として限定されるものではないが、人のストレス指数は、ｆ(ｆsm)＝SIとなるように、ストレスモデルに基づく場合がある。分析システム１８０は、データストリームからのデータに基づいて人のストレス指数を計算する。例として限定されるものではないが、分析システム１８０は、独立の変数としてストレスモデルに、データストリームからのデータポイント又はデータレンジを入力する。分析システム１８０は、ストレスモデルを解くことで、第一の時間と第二の時間での人のストレス指数を計算する。次いで、分析システム１８０は、第一の時間から第二の時間への人のストレス指数における変化を計算することで、その治療のストレス要素を計算する。この開示は、特定のプロセスを実行して人の現在のストレス指数を決定する特定のコンポーネントを記載しているが、この開示は、任意の適切なプロセスを実行して人の現在のストレス指数を決定する任意の適切なコンポーネントを想定している。
【０２１１】
特定の実施の形態では、分析システム１８０は、１以上の更なるセンサ１１２からの１以上のデータストリームにアクセスしてストレスに関連する治療を測定及び監視する。先に記載されたように、分析システム１８０は、例えば運動感覚センサ、行動的なセンサ、心電計、グルココルチコイドメータ、筋電計、呼吸センサ、電気皮膚反応センサ又は他の適切なセンサ１１２にアクセスする。次いで、分析システム１８０は、これら更なるデータストリームを分析して、例えばストレスに関連しないイベントにより引き起こされた戦利的なデータに混乱されないようにすることで、ストレスに関連する治療を更に正確に測定及び監視することが可能となる。
【０２１２】
図１５は、ある治療のストレス要素を計算する例示的な方法１５００を示す。本方法はステップ１５１０で開始し、分析システム１８０は、複数のセンサ１１２からの１以上のデータストリームにアクセスする。センサ１１２は、加速度計、心拍モニタ、血圧モニタ、パルス酸素濃度計又はムードセンサのうちの２以上にアクセスする。データストリームは、加速度計からの人の加速度データ、心拍モニタからの人の心拍データ、血圧モニタからの人の血圧データ、パルス酸素濃度計からの人のパルス酸素データ又はムードセンサからの人のムードデータのうちの２以上を含む。データストリームからの第一のデータセットは、第一の時間で人から収集され、人は、第一の時間で治療に従事している。データストリームの第二のデータセットは、第二の時間で人から収集され、人は、第二の時間で治療に従事していない。ステップ１５２０で、分析システム１８０は、第一のデータセット及び第二のデータセットを互いに関して分析する。ステップ１５３０で、分析システム１８０は、第一のデータセットと第二のデータセットとの互いの分析に基づいて、その人に関する治療についての現在のストレス要素を決定する。この開示は、図１５の方法の特定のステップが特定の順序で行われるように記載及び図示しているが、この開示は、図１５の方法の任意の適切なステップが任意の適切な順序で行われるのを想定している。さらに、この開示は図１５の方法の特定のステップを実行する特定のコンポーネントを記載及び図示しているが、この開示は、図１５の方法の任意の適切なステップを実行する任意の適切なコンポーネントの任意の適切な組み合わせを想定している。
【０２１３】
［例１］
この実験では、くつろいだ状態及びストレスを受けた状態における、患者の主要な腎動脈における腎臓の血流又は腎臓内（intra-renal）動脈における変化が測定される。腎臓の血流は、腎臓のパルスドップラを使用して測定される。腎臓の血流における最良且つ大部分の安定な変化は、腎臓近くの主要な動脈において反映されるので、大部分の読取は腎臓の動脈で行われる。これらの実験の仮説は、腎臓の抵抗指数（腎臓RI）は、ストレスと共に増加し、リラックス感と共に減少する。
【０２１４】
［測定方法］
第一の測定は、実験が開始するとすぐに行われる。この読み取りは、ベースラインの腎臓の血流としての役割を果たす。この読み取りでは、ストレスの状態は未知であり、患者は、ストレスを受けているか又はリラックスした状態である。最初の読み取りを行った後、患者は、リラックスするように求められる（すなわち、自己リラクゼーション）。この方法では、患者は、外部からの騒ぎが提供することなしに、彼自身をリラックスさせることを試みる。次いで、この患者は、彼がリラックス感を得たときに合図するように求められる。この患者が合図した後、別の測定が行われる。この測定が行われた後、この患者は、会話、冗談等の強制されたくつろぎに晒される。強制されたくつろぎの後、別の測定が行われる。つぎに、患者は、強制されたくつろぎに晒される。患者に数学的な問題を問いかけ、彼に口頭で問題を解くように求めることで、ストレスが誘発される。強制されたストレスの後、別の測定が行われる。つぎに、患者は、強制されたくつろぎに再び晒され、次いで測定が再び行われる。最終的に、患者は、ストレスを誘発することが意図される個人的な質問を患者に問いかけることで、強制されたストレスに再び晒される。個人的な質問の後、測定が行われる。測定の方法は、その人におけるストレスが記録されることを保証し、ある状態から別の状態への変化も記録される。また、これは、個別的に分析されるべき様々なストレッサの影響である。
【０２１５】
［測定のプロセス］
腎臓内の動脈における腎臓のパルスドップラ測定を行うため、患者は、息を止めるように求められる。この時間の間、専門家は、大動脈に焦点をあて、測定を行う。測定を行った後、患者は、通常に呼吸をする。問題が尋ねられるとすぐ、患者は、彼の呼吸を止めるように再び求められ、別の測定が行われる。この測定プロセスは、５回まで繰り返され、読み取りとして測定の平均が取られる。腎臓の血管抵抗を分析するため、腎臓のパルスドップラ超音波測定法が使用される。この機器では、専門家は、パルス波形からピーク及び谷を手動で選択する。次いで、マシンは、ピーク及び谷を使用して、抵抗指数（RI）を計算し、この抵抗指数は、腎臓の血管抵抗（RVR）の示唆を与える。抵抗指数は、最大の収縮速度及び最低の拡張の速度から計算される。ピーク及び谷は、ドップラ波形から認識される。RIは、最大の収縮速度（S）から最低の拡張速度（D）を引いたものを、ピークの収縮速度（S）で割ったものに等しい。従って、RI＝(S-D)／Sである。収縮対拡張の流速の比（S/D比）は、収縮速度のピークと拡張速度の谷との比である。従って、S/D＝1／（1−RI）である。腎臓の血管抵抗（RVR）は、腎臓の動脈の血圧（Pa）から腎臓の静脈の血圧（Pv）を引いた血圧差を、腎臓の血流（F）で割ったものに等しい。従って、RVR＝(Pa−Pv)／Fである。
【０２１６】
パルスドップラは、適切に焦点合わせされる領域を通して行われる。パルスドップラを焦点合わせするため、外部の動きは除去されるべきである。特に、呼吸により、腎臓は半インチ上方で動く。この動きのため、パルスドップラ測定は、患者が通常に呼吸しているときに正確に行うことができない。従って、患者は、測定の間に彼の呼吸を止める必要がある。また、それぞれの測定について腎臓における大動脈にパルスドップラの焦点を合わせることも重要である。異なる動脈においてRIが異なるため、それぞれの測定について同じ動脈が使用される必要がある。また、ビームと血流の方向との間の角度は、測定の精度を高めるために最小にされる。さらに、測定の角度は、測定の間に一定に保持される。結果的に、全ての測定の位置及び角度は、同じである。
【０２１７】
患者の履歴：患者は２３歳で、喫煙及び飲酒を行わない。高血圧、心臓病又は腎臓病の個人的及び家系的な履歴はない。患者は、良好な分析能力と比較的乏しい口頭の数学スキルを有する。  
結果：  
状態１：患者のRIは、強制されたストレス又はくつろぎなしで、正常（ベースライン）状態で測定された。患者の収縮−拡張の流速比（S/D）も測定される。この最初の測定の間、患者は、検査を通して心配により引き起こされるストレスを感じていること、休んでいることで時間が費やされていることを報告している。状態１における測定は、以下の通りである。
【表２】
0005958064.tif 000014
【０２１８】
状態２：患者は、会話及び冗談により強制されたくつろぎに晒される。次いで、強制されたくつろぎの短いイベント後に、読取りが行われる。患者は、強制されたくつろぎによりリラックスしておらず、状態１におけるのと同じように感じていることを報告している。状態２における測定は、以下の通りである。
【表３】
0005958064.tif 000015
【０２１９】
状態３：患者は、幾つかの簡単な数学の質問が尋ねられ、問題が尋ねられた後に測定が行われる。次いで、患者は、リラックスすることが求められる。患者は、リラックスしており、検査に関する心配をあまり感じていないことを報告している。質問は比較的簡単であるため、患者は、回答している間にリラックスしている。次いで、患者は、難しい数学的な問題が尋ねられる。患者は、難しい問題に解答するのに多くの時間を要した。患者は、簡単な問題に解答するのと同様に迅速に、難しい問題に解答することを試みたため、難しい問題により彼のストレスが増加したことを報告している。次いで、この患者は、リラックスするように求められるが、彼は既にリラック感を得ていたので、患者は更にリラックスしていない。状態３における測定は、以下の通りである。
【表４】
0005958064.tif 000016
【０２２０】
状態４：患者は、ストレスを引き起こすことが意図される幾つかの個人的な質問が尋ねられる。患者は、個人的な質問に答えるとき、僅かにストレスを感じたことを報じている。しかし、ストレスは、質問によって変わる。例えば、ある質問は、患者のストレスを増加させ、最後の質問は、彼が特定の問題を説明したときに、患者を実際にリラックスさせた。
【表５】
0005958064.tif 000017
【０２２１】
検査の要約。患者のパルスドップラは、腎臓の動脈又は腎内の動脈（intra-renal  artery）の何れかで測定された。腎内の動脈は、よりストレスに反応する可能性があるが、動きに対しても感度が高く、正確な測定を行いことが難しくなる。患者は、測定が行われるために彼の呼吸を止める必要があり、こえは実験にとって弊害をもたらす。従って、更なる実験について、腎臓の動脈の開始での主要な腎臓のドップラが使用される。主要な腎臓の動脈のドップラでは、腎臓の代わりに胃の下の位置にある腎臓の動脈から測定が行われる。呼吸は、この位置での動きを少なくし、従って患者は彼の呼吸を止めることなしに、測定を行うことが実質的に容易になる。さらに、RI及びS/Dにおける変化が、変化が生じるとすぐに効果的に測定されるように、比較的連続的な測定をこの位置で行うことができる。
【０２２２】
要約：腎臓のドップラ測定は、腎臓の動脈又は腎内の動脈に対して行われた。腎内の動脈について、患者は、測定のために彼の呼吸を止める必要がある。波形におけるピークと谷が手動で選択される。患者に数学的な問題及び個人的な問題を尋ねることで、ストレスが誘発される。RIにおける変化は、RIがストレスと共に増加するように、患者の自己報告されたストレスレベルと相関する。
【表６】
0005958064.tif 000018
【０２２３】
［例２］
この実験では、実験方法は、例１で使用されたのと同じままである。異なる点は、測定の間に患者は彼の呼吸を止める必要がないことである。この第二の実験は、ストレスに依存してRIの結果を確認し、ストレスと腎臓の血流との間に幾つかの他の相関が見られるかを観察することである。この実験では、波形においてピーク及び谷を自動的に識別し、更に正確な測定を可能にする新たなドップラ機器が使用される。この実験における患者は、実験１と同じである。この実験では、患者は、連続して問題が尋ねられ、それぞれも問題の間にリラックスするための時間間隔が与えられる。これにより、患者について必要とされる時間の測定について、ストレス及び特定のストレッサから回復することが可能となる。このストレス回復時間は、その患者の代償機構の程度に逆比例する。
【０２２４】
結果：
１．ベースライン測定（通常状態）：RI=0.65，0.64
２．厳しい代数の問題を尋ねた後：RI=0.72，0.70，0.71
３．短いリラックスのための時間後：RI=0.61
４．数学の問題を尋ねている間及び数学の問題を尋ねた後：RI=0.70，0.70，0.71，0.70，0.72
５．深呼吸の運動と共に短いリラックスのための時間を与えた後：RI=0.62，0.62，0.61
６．解析の問題を尋ねる前：RI=0.66
７．解析の問題を尋ねたとき：RI=0.72，0.69，0.64，0.66，0.69，0.74
８．計算問題を尋ねたとき：RI=0.74，0.72，0.73
９．患者が自己誘発されたストレスを受けるように求めたれたとき：RI=0.77，0.81，0.84
１０．ベースラインの測定に戻ったとき（通常状態）：RI=0.66，0.69及び0.72
連続する測定の間、患者が通常（すなわちリラックス）状態に戻るために10〜12のパルスのみを要したことが観察された。これは、ストレスに対処するための患者の代償機構の程度を示す。また、これは、測定を行う遅延が誤ったRIの測定を引き起こす場合があることを示す。結果的に、測定は、ストレスが誘発された直後に行われるべきである。
【０２２５】
ドップラ波形は、患者のストレスレベルと共に変化する。波形におけるピークが鋭くなり、ピークの下の領域はストレスが増加したときに減少することが観察される。
【０２２６】
患者に解析の問題が尋ねられたとき（ステージ７）、尋ねられた問題とRIの増加との間に良好な相関が観察される。RIは、更に困難な問題につれて更に増加する。また、RIは質問の口述の直前又は質問の口述の間に増加することが観察される。しかし、質問が終了した後、患者のRIは質問が終了した直後に減少する。これは、質問の内容に係らず、単に質問を尋ねることはストレスを引き起こすことを示す。
【０２２７】
患者が自己誘発のストレスを求められたとき（ステージ９）、患者は、ストレスの多いかこの経験又は起こりそうなストレスの多い将来のイベントを考えるように指示される。次いで、患者は、ひとたび彼がストレスを感じたときに合図する。
【０２２８】
患者が通常の状態に戻ったとき（状態１０）、患者のRIがベースラインの測定（状態１）の間に観察されたレベルに戻ることが期待された。しかし、これは、おそらく患者がこの最後の測定の間に彼の呼吸を止めるように尋ねられたために観察されなかった。患者がこの最後の測定の間に彼の呼吸を止めるように尋ねられたことで、患者のストレス及びRIが増加された。
【０２２９】
リラックしたときの患者の平均のRIは、0.62であり、ストレスを受けているときの彼の平均のRIは、0.75である。平均の読み取りにおいて21%という著しい差が存在する。また、リラックした時の最小値とストレスを受けたときの最大値とで38%という差が存在する。
【０２３０】
要約：腎臓のドップラ測定は、主要な腎臓の動脈に関して行われた。患者は、彼の呼吸を止めることが必要とされない。ピークと谷は、自動的に選択され、RIもまた自動的に計算された。これにより、実験１よりも更に正確なRIの測定が可能となった。RIにおける変化は、RIがストレスと共に増加するように、患者の自己報告されたストレスレベルと相関していた。
【表７】
0005958064.tif 000019
【０２３１】
［例３］
例２の検査は、新たな患者で繰り返された。  
測定の方法：患者は、しばらくの間リラックスするように求められた。患者は、手順又は尋ねられるであろう問題のタイプに関して話されていなかった。次いで、患者は、幾つかの簡単な数学の問題（例えば加算及び減算）が尋ねられた。次いで、患者は、更に複雑な数学的な問題が尋ねられた（例えば乗算及び除算）。また、患者は、ストレスを誘発することが意図される幾つかの個人的な質問及び仕事に関連する質問が尋ねられた。質問が尋ねられたとき、腎臓のドップラ測定が連続して行われた。
【０２３２】
患者の履歴：患者は、35歳であり、心臓病及び腎臓病の履歴がない。患者は、乏しい数学的スキルを有する。患者は、高等学校を卒業しておらず、数学が好きではない。検査を行う医師は、患者に関する所定の個人的な詳細を知っていた。
【０２３３】
結果：
１．ベースラインの測定（通常状態）：RI=0.60，0.62
２．難しい数学の問題を尋ねた後：RI=0.67，0.70
３．リラックスのために短い時間を与えた後：RI=0.62，0.62
４．より難しい数学の問題を尋ねている間、より難しい数学の問題を尋ねた後、RI=0.71
５．患者が幾つかのユーモアのある話でリラックスしたとき：RI=0.71
６．シンプルな計算の問題を尋ねたとき：RI=0.67，0.56，0.63，0.47
７．医師によりストレスの多い個人的な質問を尋ねた後：RI=0.64，0.69，0.64，0.66
８．リラックスのための時間を与えた後：RI=0.59，0.54
９．難しい数学の問題を尋ねた後：RI=0.72，0.63，0.62，0.65，0.67，0.66，0.65
１０．ベースラインの測定（通常状態）に戻る：RI=0.57
患者は、実験２における患者と同じストレッサの大部分を受けていた。はじめに、患者は、検査の心配のためにストレスを受けていたと報告している。患者のRIは、彼に数学の問題を尋ねたときにのみ僅かに増加した。患者は、問題の多くを誤って回答した。測定の後、検査の間に彼はどのように感じたか、彼がストレスを感じたのは何であったかが尋ねられた。患者は、彼は難しい問題の最良の回答をしようと試みたが、難しい数学の問題はストレスが多いものではなかったことを報告している。
【０２３４】
患者が個人的な問題を尋ねられたとき（ステージ７）、彼のRIが増加した。患者は、個人的な質問は、特にその質問の段階の開始でストレスが多かったことを報告している。これは、個人的な質問は患者にストレスを与えることを確認するものである。患者のRIが増加したが、絶対的な感覚で、初期値と比較して、RIにおける増加は僅かである。これは、ストレスの分析は、局所値の比較に基づくべきであること（すなわちストレスを受けている状態をストレスを受けた状態の直前及び直後の状態と比較することによる）を示唆している。
【０２３５】
患者のベースラインのストレスは、実験の過程で一貫して減少しており（状態１，３，８及び１０）、検査が進行するにつれて更にリラックスし、更に穏やかであって且つプロセスに慣れていることを示している。
【０２３６】
要約：腎臓のドップラ測定は、腎臓の大動脈に関して行われた。患者は、彼の呼吸を止める必要がなかった。ピーク及び谷が自動的に選択され、RIもまた自動的に計算された。患者の主観的なストレス体験と、実験に関するフィードバックが記録された。RIにおける変化は、RIがストレスにつれて増加するように、患者の自己報告されたストレスと相関している。
【表８】
0005958064.tif 000020
【０２３７】
［例１−３からの結論］
これらの実験の仮説は、RIはストレスにつれて増加し、リラックス感につれて減少することである。この仮説は、大まかに確認された。大部分のケースで、増加するRIは、増加する自己報告されたストレスと相関することが観察された。しかし、幾つかのケースでは、RIは、患者が強制されたストレスに晒されたときに減少し、同様に、幾つかのケースでは、RIは、患者が強制されたくつろぎにされされたときに増加する。これらの後者のケースでは、強制されたストレス／リラックス感は、期待される応答を誘発するときに効果がない可能性がある。例えば、実験１では、患者は、ストレスを誘発することが意図される数学の問題を尋ねたときに実際にリラックスし、同じ患者にリラックスするように求めることは、彼のRIを低減することには効果がない。これは、実験１における患者は、彼の通常の（ベースライン）状態が実質的にストレスを受けたように、ストレスを受けている状態で検査を開始したからであろう。結果的に、会話及び冗談を使用した強制されたリラクゼーション方法は、患者を最初のストレスを受けている状態から外れた状態にするのに十分ではない。
【０２３８】
数学の問題を尋ねることは、所定の状況においてストレスを誘発することには効果がない。患者にとって誘発されたストレスを回答することは比較的困難な問題及びRIにおける増加が観察された。しかし、患者にとってストレスを実際に低減することが比較的容易な問題及びRIにおける減少が観察された。また、個人的な問題を尋ねることは、患者におけるストレスを誘発することに効果的であり、個人的な質問により引き起こされるRIにおける変化は、数学の問題により引き起こされる変化よりも大きくなる傾向がある。結果的に、RIにおける変化は、RIが問題の困難につれて増加するように、尋ねられる問題の困難さに相関する。同様に、RIにおける変化が問題の困難さにつれて増加するように、より困難な問題は、より大きな（よりポジティブな）ストレス要素を有することが観察される。
【０２３９】
また、患者は特定のストレッサから比較的迅速に回復され、患者は数学及び個人的な質問に対処するために即効性のある代償機構を有することを示すことが観察される。同様に、数学及び個人的な質問は短いストレス反応のみを誘発可能であることを示す。また、測定の精度を増加するため、これらのタイプの問題を尋ねたときに、腎臓のドップラ測定が連続的に行われるべきであることを示す。
【０２４０】
ドップラ測定の精度を減少する要素は、（１）特に腎内動脈に関する測定を行うときの呼吸といった人の身体の動き、（２）それ自身がストレスが多い、患者が彼の呼吸を止めること、（３）測定の間のドップラ測定の角度における変動、（４）手術技師の精度及び経験に依存する、ドップラ波形における谷におけるピークの手動の選択、又は（５）即効性の代償機構のためにRIにおける小さな変化を観察させる、時間のストレスが誘発されて測定が行われる間の遅延、を含む。これらの要素は、実験１における測定に影響を及ぼす。しかし、これらの要素は、以下の技法を使用して実験２及び３において効果的に除かれる。（１）大動脈に関する測定を行うことで、身体の動き、特に呼吸の影響を最小にすること、（２）測定を行う間に患者が呼吸を通常に行うことを可能にすること、（３）ドップラ波形におけるピーク及び谷を自動的に選択できる機器を使用すること、及び（４）測定を連続して行うこと。結果的に、実験２及び３の結果は、実験１の結果よりも更に正確な可能性がある。しかし、全ての３つの実験の結果は、RIがストレスと共に増加し、リラックス感と共に減少するという仮説をサポートする。
【０２４１】
実験２及び３において、患者のRIは、それぞれの問題が尋ねられる直前に大きく増加することが観察されている。これは、未解決の問題に対する患者の心配を反映している。問題が終了した後、RIは、患者が問題を解決しようと試みる間に困難な問題について上昇されたままである。しかし、容易な問題について、RIは、問題が終了した後に迅速に減少する。ドップラ波形の形状は、問題が尋ねられたときに明らかに変化し、ストレスを受けている状態とリラックスした状態とを識別及び区別するの容易にする。大変興味深いことに、患者がストレスを自己誘発するように求められたときに最もRIが増加することが観察される。深呼吸の技法を使用することで患者がリラックするように求められたときにRIは減少し、深呼吸は効果的なストレスを低減する治療法として確認される。しかし、患者にリラックスするように単に求めることは、それらのRIを減少しない場合があり、実際にRIにおける増加を引き起こす場合がある。
【０２４２】
困難な問題を尋ねることは患者のストレスを一般に増加する一方、余りに困難な問題を尋ねること（すなわち患者の正しく回答する能力を超えている）は、ストレスを引き起こさないことが観察される。これは、患者が問題に解答できないことを認識し、問題を解く試みを諦めたことで、ストレス反応が回避されたためであろう。実験３では、患者は、困難な数学の問題を尋ねられたとき、はじめにストレスを受けているが、彼のRIは、患者が問題を正しく解く試みを効率よく諦めたとき、最初の質問の後に迅速に低下している。これは、患者が解くことができなかった困難な数学の問題を尋ねられたときにストレスを感じなかったという患者の報告と相関している。
【０２４３】
腎臓のドップラ超音波法は、ストレスを検出するための高速及び信頼性の高い方法を提供する。しかし、ストレスを引き起こす方法は、正規化されていない。異なる患者は、同じタイプの問題に対して異なって反応している。従って、特定の患者に基づいて問題が用意されるべきである。例えば、数学の問題は、患者の教育レベルに基づいてスケーリングされるべきである。幾つかの精神的な問題を解く一般的な方法は、異なる人に異なって作用する。患者の通常の（ベースラインの）状態は、それらのストレス反応におおきな影響を及ぼす。
【０２４４】
結論として、腎臓のドップラ超音波法は、人におけるストレスを正確に測定するために使用される。患者のRIと患者の自己報告されたストレスレベルとの間には強い相関が存在する。RIとストレスとの間の関係は、ストレス指数とストレス要素とを計算するために使用されるアルゴリズムを生成し、正当性を立証するために使用される。さらに、RI及び自己報告されたストレスデータは、様々な生理的、心理的、行動的又は環境的なデータを患者のストレス又はRIと相互に関連付けする患者のストレスモデルを生成するため、他のセンサからのデータと結合される。
【０２４５】
［例４］
この実験では、生理的、心理的、行動的及び環境的なデータが複数の被検体から収集される。被検体は、それらの日々のアクティビティを通常に行い、様々なセンサは、連続的に日々のアクティビティを監視する。患者は、上述された血圧モニタ、アクティグラフ、パルス酸素濃度計、iPod  Touch、及びデータ収集システムを装着している。これらの全ては、被験者が運ぶことができる携帯用装置である。また、周期的に、被験者の腎臓の血流速度、血糖レベル、及びコルチゾールレベルが測定される。被験者は、ムードセンサ４００に類似して、iPod  Touchを使用して心理的及び行動的なデータを報告する。また、iPod  Touchは、カスタムソフトウェアを使用して、センサ及びデータ収集システムの動作を検証する。実験の期間、被験者は、ストレスの治療（例えばストレスの管理及びカウンセリング）に晒される。
【０２４６】
データは、２週間（仕事日が10日）の過程を通して１日当たり少なくとも４時間について、10人の正常血圧者であり被験者から収集される。データ収集の４時間のうち、被験者が仕事をしている間の約２時間のデータが収集され、仕事後の２時間のデータが収集される。データ収集の最初の週の間、患者は、それぞれの日に２時間の仕事後の期間で軽いリラクゼーションに従事している。データ収集の第二の週の間、患者は、それぞれの日に仕事後の期間でストレス管理カウンセリングに従事している。
【０２４７】
この考えは、それぞれの患者についてストレスモデルを開発するために使用される。ストレスモデルは、実験の間に収集される生理的、心理的、行動的及び環境的なデータを、被験者のストレス又はRIと相互に関連付けする。患者の腎臓のドップラ測定は、患者のストレス指数を決定するために使用される。次いで、ストレス指数は、実験の間に収集された生理的、心理的、行動的及び環境的なデータと相互に関連される。生理的、心理的、行動的及び環境的なデータとの関数として人のストレスを計算するストレスモデルは、人のストレスモデルを検証するために効果的に使用される。
【０２４８】
［ディスプレイ］
ディスプレイシステム１９０は、分析システム１８０からの１以上の分析出力に基づいて、１以上のユーザに対してレンダリング、可視化、表示、メッセージング及び公表を行う。特定の実施の形態では、１以上のセンサ１１２の１以上の被検体は、ディスプレイシステム１９０のユーザである。分析システム１８０からの分析出力は、任意の適切な媒体を通してディスプレイシステム１９０に伝送される。ディスプレイシステム１９０は、人とディスプレイシステム１９０との間の通信を可能にする任意の適切なI/O装置を含む。例として限定されるものではないが、ディスプレイシステム１９０は、ビデオモニタ、スピーカ、タッチスクリーン、プリンタ、別の適切なI/O装置又は２以上のこれらの組み合わせを含む。ディスプレイシステム１９０は、コンピュータシステム１６００のような、任意のI/O装置をもつ任意のコンピューティング装置である。
【０２４９】
特定の実施の形態では、ディスプレイ１９０は、１以上のローカルディスプレイシステム１３０又は１以上のリモートディスプレイシステム１４０を含む。ディスプレイシステム１９０は複数のサブシステム（例えばローカルディスプレイシステム１３０及びリモートディスプレイシステム１４０）を有する場合、分析出力の表示は、１以上のサブシステムで行われる。例として限定されるものではないが、ローカルディスプレイシステム１３０及びリモートディスプレイシステム１４０は、分析出力に基づいて同じ表示を提示する。別の例として限定されるものではないが、ローカルディスプレイシステム１３０及びリモートディスプレイシステム１４０は、分析出力に基づいて異なる表示を提示する。特定の実施の形態では、センサアレイ１１０におけるユーザ入力センサは、ディスプレイシステム１９０として機能する。適切なI/O装置をもつ任意のクライアントシステムは、ユーザ入力センサ及びディスプレイシステム１９０としての役割を果たす。例として限定されるものではないが、タッチスクリーンをもつスマートフォンは、ユーザ入力センサ及びディスプレイシステム１９０の両者として機能する。
【０２５０】
特定の実施の形態では、ディスプレイシステム１９０は、分析システム１８０から受信されたときに、リアルタイムで分析出力を表示する。様々な実施の形態では、分析システム１８０によりセンサアレイ１１０からのデータストリームのリアルタイムの分析により、ユーザは、被験者の健康状態に関するリアルタイム情報を受信することができる。また、ユーザは、ディスプレイシステム１９０からのリアルタイムのフィードバックを受信することができる（例えば健康上のリスクに関する警告、推薦する治療等）。
【０２５１】
この開示は、特定の技術を使用して特定のディスプレイに関連するプロセスを実行するディスプレイシステム１９０を記載しているが、この開示は、任意の適切な技術を使用した任意の適切なディスプレイに関連するプロセスを実行するディスプレイシステム１９０を想定している。
【０２５２】
特定の実施の形態では、ディスプレイシステム１９０は、分析システム１８０からの分析出力に基づいてデータのレンダリング及び可視化を行っている。ディスプレイシステム１９０は、ビデオモニタ、スピーカ、タッチスクリーン、プリンタ、別の適切なI/O装置又は２以上のこれらの組み合わせのような適切なI/O装置をもつコンピュータシステム１４００を含めて、任意の適切な手段を使用してレンダリング及び可視化を行う場合がある。
【０２５３】
レンダリングは、あるモデルからの画像を生成するプロセスである。このモデルは、定義された言語又はデータ構造におけるオブジェクトの記述である。この記述は、色、サイズ、向き、幾何学的形状、視点、テクスチャ、明暗、影、及び他のオブジェクト情報を含む。レンダリングは、デジタル画像又はラスタグラフィックス画像のような任意の適切な画像である。レンダリングは、任意の適切なコンピューティング装置で実行される。
【０２５４】
可視化は、ユーザに情報を伝達するために画像、ダイアグラム又はアニメーションを作成するプロセスである。可視化は、ダイアグラム、画像、オブジェクト、グラフィックス、チャート、リスト、マップ、テキスト等を含む。可視化は、ビデオモニタ、スピーカ、タッチスクリーン、プリンタ、別の適切なI/O装置又は２以上のこれらの組み合わせを含めて、ユーザに情報を提示する任意の適切な装置で実行される。
【０２５５】
幾つかの実施の形態では、レンダリングは、分析システムで部分的に実行されるか又はディスプレイシステム１９０で部分的に実行される場合がある。他の実施の形態では、レンダリングは、分析システム１８０で完全に実行され、可視化は、ディスプレイシステム１９０で実行される。
【０２５６】
特定の実施の形態では、ディスプレイシステム１９０は、分析システム１８０からの分析出力に基づいてデータを伝達及び公開する。ディスプレイシステム１９０は、電子メール、インスタントメッセージ、テキストメッセージ、オーディオメッセージ、ページ、MMSテキスト、ソーシャルネットワークメッセージ、別の適切な伝達又は公表手段、或いは２以上のこれらの組み合わせを含む、任意の適切な手段を使用してデータを伝達及び公表する。
【０２５７】
特定の実施の形態では、ディスプレイシステム１９０は、公表が１以上の第三者により見られるように、分析出力の一部又は全部を公表する。１実施の形態では、ディスプレイシステム１９０は、１以上のウェブサイトに分析出力を自動的に公表する場合がある。例として限定されるものではないが、（例えばスマートフォンのような）GPSセンサの被写体は、（例えばFacebook,  Twitter又はFoursquareのような）ソーシャルネットワークサイトに公表される彼の位置を自動的に有する場合がある。
【０２５８】
特定の実施の形態では、ディスプレイシステム１９０は、１以上の第三者に分析出力の一部又は全部を送出又は伝達する場合がある。１実施の形態では、ディスプレイシステム１９０は、１以上のヘルスケアプロバイダに分析出力を自動的に送出する場合がある。例として限定されるものではないが、携帯用の血糖値モニタを装着している被写体は、センサからの全てのデータを彼の医師に送信させる。別の実施の形態では、ディスプレイシステム１９０は、１以上の閾値となる基準が適合したときに、ヘルスケアプロバイダに分析出力のみを送出する。例として限定されるものではないが、携帯用の血糖値モニタを装着している被験者は、彼が深刻に低血糖であることを彼の血糖値データが示さない場合（例えば2.8mmol/l以下）、そのセンサからの何れかのデータを、彼の医師に送信しない。特定の実施の形態では、ディスプレイスステム１９０は、分析出力に基づいて、１以上の警告をユーザ又は第三者に伝達する。警告は、ユーザ又は第三者について通知、警告又は推薦を含む。例として限定されるものではないが、血糖値モニタを装着している被験者は、彼が適度な低血糖（例えば3.5mmol/l以下）であることを彼の血糖値が示す場合に、低血糖を警告し、彼が何かを食べることを進める警告を受信する。
【０２５９】
特定の実施の形態では、ディスプレイシステム１９０は、分析システム１８０からの分析出力に基づいて、ユーザに１以上の治療を表示する。治療は、ユーザについて推薦される治療であるか、又はユーザに直接的な治療の利益を提供する治療のフィードバックである。ディスプレイシステム１９０は、治療介入、バイオフィードバック、呼吸の運動、漸進的筋弛緩運動、個人のメディアの提示（音楽、個人の絵画等）、出口戦略の提供（例えばユーザがストレスの多い状況から離れる言い訳を有するようにユーザを呼び出す）、ある範囲の精神療法の参照、及び傾向のグラフィカルな表現（例えば時間を通した健康の基準の図示）、認知再構成治療、及び他の治療のフィードバックのような、様々な治療を伝達する。この開示は、特定の治療を伝達するディスプレイシステム１９０を記載しているが、この開示は、任意の適切な治療を伝達するディスプレイシステム１９０を想定している。
【０２６０】
［システム及び方法］
図１６は、例示的なコンピュータシステム１６００を示す。特定の実施の形態では、１以上のコンピュータシステム１６００は、本明細書で記載又は図示される１以上の方法の１以上のステップを実行する。特定の実施の形態では、１以上のコンピュータシステム１６００は、本明細書で記載及び図示される機能を提供する。特定の実施の形態では、１以上のコンピュータシステム１６００で実行しているソフトウェアは、本明細書で記載又は図示される１以上の方法の１以上のステップを実行するか、或いは、本明細書で記載又は図示される機能を提供する。特定の実施の形態は、１以上のコンピュータシステム１６００の１以上の部分を含む。
【０２６１】
この開示は、任意の適切な数のコンピュータシステム１６００を想定している。この開示は、任意の適切な物理的な形式を取るコンピュータシステム１６００を想定している。例として限定されるものではないが、コンピュータシステム１６００は、埋め込みコンピュータシステム、システムオンチップ（SOC）、（例えばコンピュータオンモジュール（COM）又はシステムオンモジュール（SOM）のような）シングルボードコンピュータシステム（SBC）、デスクトップコンピュータシステム、ラップトップ又はノードブックコンピュータシステム、インタラクティブキオスク、メインフレーム、コンピュータシステムのメッシュ、モバイルテレフォン、パーソナルデジタルアシスタント（PDA）、サーバ、タブレット型コンピュータシステム、又は２以上のこれらの組み合わせである。必要に応じて、コンピュータシステム１６００は、単一であるか分散されているか、複数の位置に及ぶか、複数のマシンに及ぶか、複数のデータセンタに及ぶか、又は、１以上のネットワークにおける１以上にクラウドコンポーネントを含むクラウドにある、１以上のコンピュータシステム１６００を含む。必要に応じて、１以上のコンピュータシステム１６００は、実質的な空間又は時間の制限なしに、本明細書で記載又は図示された１以上の方法のうちの１以上のステップを実行する。例として限定されるものではないが、１以上のコンピュータシステム１６００は、リアタイムモード又はバッチモードで、本明細書で記載又は図示される１以上の方法のうちの１以上のステップを実行する。１以上のコンピュータシステム１６００は、必要に応じて、異なる時間又は異なる場所で、本明細書で記載又は例示される１以上の方法のうちの１以上のステップを実行する。
【０２６２】
特定の実施の形態では、コンピュータシステム１６００は、プロセッサ１６０２、メモリ１６０４、ストレージ１６０６、入力／出力（I/O）インタフェース１６０８、通信インタフェース１６１０及びバス１６１２を含む。この開示は、特定の構成における特定数の特定のコンポーネントを有する特定のコンピュータシステムを記載及び例示しているが、この開示は、任意の適切な構成における任意の適切な数の任意の適切なコンポーネントを有する任意の適切なコンピュータシステムを想定している。
【０２６３】
特定の実施の形態では、プロセッサ１６０２は、コンピュータプログラムを構成するような命令を実行するハードウェアを含む。例として限定されるものではないが、命令を実行するため、プロセッサ１６０２は、内部レジスタ、内部キャッシュ、メモリ１６０４、又はストレージ１６０６から命令を取り出し（フェッチし）、それらをデコード及び実行し、次いで、１以上の結果を内部レジスタ、内部キャッシュ、メモリ１６０４、又はストレージ１６０６に書き込む。特定の実施の形態では、プロセッサ１６０２は、データ、命令又はアドレスについて１以上の内部キャッシュを含む。この開示は、必要に応じて、任意の適切な数の任意の適切な内部キャッシュを含むプロセッサ１６０２を想定している。例として限定されるものではないが、プロセッサ１６０２は、１以上の命令キャッシュ、１以上のデータキャッシュ、及び１以上のTLB（Translation  Lookaside  Buffers）を含む。命令キャッシュにおける命令は、メモリ１６０４又はストレージ１６０６における命令のコピーであり、命令キャッシュは、プロセッサ１６０２による命令の取り出しを高速にする。データキャッシュにおけるデータは、プロセッサ１６０２が動作するために実行される命令についてメモリ１６０４又はストレージ１６０６におけるデータのコピー、プロセッサ１６０２で実行するその後の命令によるアクセスのためにプロセッサ１６０２で実行される前の命令の結果、メモリ１６０４又はストレージ１６０６への書込みのためにプロセッサ１６０２で実行される前の命令の結果、或いは他の適切なデータである。データキャッシュは、プロセッサ１６０２による読み取り又は書込みを高速にする。TLBは、プロセッサ１６０２について仮想アドレス変換を高速にする。特定の実施の形態では、プロセッサ１６０２は、データ、命令又はアドレスの１以上の内部レジスタを含む。この開示は、必要に応じて、任意の適切な数の任意の適切な内部レジスタを含む。必要に応じて、プロセッサ１６０２は、マルチコアプロセッサである１以上の算術論理ユニット（ALU）を含むか、１以上のプロセッサ１６０２を含む。この開示は特定のプロセッサを記載及び図示しているが、この開示は、任意の適切なプロセッサを想定している。
【０２６４】
特定の実施の形態では、メモリ１６０４は、プロセッサ１６０２が実行する命令又はプロセッサ１６０２が動作するデータを記憶するメインメモリを含む。例として限定されるものではないが、コンピュータシステム１６００は、ストレージ１６０６又は（例えば別のコンピュータシステム１６００のような）別のソースからの命令をメモリ１６０４にロードする。次いで、プロセッサ１６０２は、メモリ１６０４から内部レジスタ又は内部キャッシュに命令をロードする。命令を実行するため、プロセッサ１６０２は、内部レジスタ又は内部キャッシュから命令を取り出し、それをデコードする。命令の実行の間又は命令の実行の後、プロセッサ１６０２は、（中間又は最終結果である）１以上の結果を内部レジスタ又は内部キャッシュに書き込む。次いで、プロセッサ１６０２は、１以上のそれらの結果をメモリ１６０４に書き込む。特定の実施の形態では、プロセッサ１６０２は、１以上の内部レジスタ又は内部キャッシュ又はメモリ１６０４（ストレージ１６０６又はその他とは対照的に）における命令のみを実行し、１以上の内部レジスタ又は内部キャッシュ又はメモリ１６０４（ストレージ１６０６又はその他とは対照的に）におけるデータでのみ動作する。（アドレスバス及びデータバスをそれぞれ含む）１以上のメモリバスは、プロセッサ１６０２をメモリ１６０４を結合する。バス１６１２は、以下に記載されるように１以上のメモリバスを含む。特定の実施の形態では、１以上のメモリ管理ユニット（MMU）は、プロセッサ１６０２とメモリ１６０４との間にあり、プロセッサ１６０２により要求されるメモリ１６０４へのアクセスを容易にする。特定の実施の形態では、メモリ１６０４は、ランダムアクセスメモリ（RAM）を含む。このRAMは、必要に応じて、揮発性メモリである。必要に応じて、このRAMは、ダイナミックRAM（DRAM）又はスタティックRAM（SRAM）である。さらに、必要に応じて、このRAMは、シングルポート又はマルチポートRAMである。この開示は、任意の適切なRAMを想定している。メモリ１６０４は、必要に応じて、１以上のメモリ１６０４を含む。この開示は、特定のメモリを記載及び図示しているが、この開示は、任意の適切なメモリを想定している。
【０２６５】
特定の実施の形態では、ストレージ１６０６は、データ又は命令のための大容量記憶装置である。例として限定されるものではないが、ストレージ１６０６は、HDD、フロプティカルディスクドライブ、フラッシュメモリ、光ディスク、光磁気ディスク、磁気テープ、又はUSB（Universal  Serial  Bus）ドライブ又は２つのこれらの組み合わせを含む。ストレージ１６０６は、必要に応じて、取り外し可能又は取り外し不可能な（すなわち固定された）メディアを含む。ストレージ１６０６は、必要に応じて、コンピュータシステム１６００の内部又は外部にある。特定の実施の形態では、ストレージ１６０６は、不揮発性、固体メモリである。特定の実施の形態では、ストレージ１６０６は、リードオンリメモリ（ROM）を含む。必要に応じて、このROMは、マスクプログラムROM、プログラマブルROM（PROM）、消去可能なPROM（EPROM）、電気的に消去可能なPROM（EEPROM）、電気的に修正可能なROM（EAROM）、又はフラッシュメモリ又は２以上のこれらの組み合わせである。この開示は、任意の適切な物理的な形式をとる大容量記憶装置１６０６を想定している。ストレージ１６０６は、必要に応じて、プロセッサ１６０２とストレージ１６０６との間の通信を容易にする１以上の記憶制御ユニットを含む。必要に応じて、ストレージ１６０６は、１以上のストレージ１６０６を含む。この開示は特定のストレージを記載及び図示しているが、この開示は、任意の適切なストレージを想定している。
【０２６６】
この特定の実施の形態では、I/Oインタフェース１６０８は、コンピュータシステム１６００と１以上のI/O装置との間の通信のために１以上のインタフェースを提供するハードウェア、ソフトウェア又はこれら両者を含む。コンピュータシステム１６００は、必要に応じて、１以上のこれらのI/O装置を含む。１以上のこれらのI/O装置は、人とコンピュータシステム１６００との間の通信を可能にする。例として限定されるものではないが、I/O装置は、キーボード、キーパッド、マイクロフォン、モニタ、マウス、プリンタ、スキャナ、スチルカメラ、スタイラス、タブレット、タッチスクリーン、トラックボール、ビデオカメラ、別の適切なI/O装置又は２以上のこれらの組み合わせを含む。I/O装置は、１以上のセンサを含む。この開示は、任意の適切なI/O装置と、それらI/O装置向けの任意の適切なI/Oインタフェース１６０８を想定している。必要に応じて、I/Oインタフェース１６０８は、プロセッサ１６０２が１以上のこれらのI/O装置を駆動するのを可能にする１以上の装置又はソフトウェアドライバを含む。I/Oインタフェース１６０８は、必要に応じて、１以上のI/Oインタフェース１６０８を含む。この開示は、特定のI/Oインタフェースを記載及び図示しているが、この開示は、任意の適切なI/Oインタフェースを想定している。
【０２６７】
特定の実施の形態では、コンピュータシステム１６００と１以上の他のコンピュータシステム１６００又は１以上のネットワークとの間の通信（例えパケットに基づく通信）のための１以上のインタフェースを提供するハードウェア、ソフトウェア又はこれらの両者を含む。例として限定されるものではないが、通信インタフェース１６１０は、イーサネット(登録商標)又は他の有線ネットワークとの通信向けのネットワークインタフェースコントローラ（NIC）又はネットワークアダプタ、或いはWI-FIネットワークのような無線ネットワークとの通信向けの無線NIC（WNIC）又は無線アダプタを含む。この開示は、任意の適切なネットワークと、このネットワーク向けの任意の適切な通信インタフェース１６１０を想定している。例として限定されるものではないが、コンピュータシステム１６００は、アドホックネットワーク、パーソナルエリアネットワーク（PAN）、ローカルエリアネットワーク（LAN）、ワイドエリアネットワーク（WAN）、メトロポリタンエリアネットワーク（MAN）、又は１以上のインターネットの部分或いは２以上のこれらの組み合わせと通信する。これらの１以上のネットワークの１以上の部分は、有線又は無線である。例として、コンピュータシステム１６００は、（例えばBLUETOOTH(登録商標)  WPANのような）無線PAN（WPAN）、WI-FIネットワーク、WI-MAXネットワーク、（例えばGSM(登録商標)（Global  System  for  Mobile  Communication）ネットワークのような）携帯電話ネットワーク、または他の適切な無線ネットワーク、或いは２以上のこれらの組み合わせと通信する。コンピュータシステム１６００は、必要に応じて、これらのネットワークの何れか向けの任意の適切な通信インタフェース１６１０を含む。通信インタフェース１６１０は、必要に応じて、１以上の通信インタフェース１６１０を含む。この開示は特定の通信インタフェースを記載及び図示しているが、任意の適切な通信インタフェースを想定している。
【０２６８】
特定の実施の形態では、バス１６１２は、コンピュータシステム１６００のコンポーネントを互いに結合するハードウェア、ソフトウェア、又はこれらの両者を含む。例として限定されるものではないが、バス１６１２は、AGP（Accelerated  Graphics  Port）又は他のグラフィックバス、EISA（Enhanced  Industry  Architecture）バス、フロントサイドバス（FSB）、HYPERTRANSPORT（HT）インターコネクト、ISA（Industry  Standard  Architecture）バス、INFINIBANDインターコネクト、LPC（Low-Pin-Connect）バス、メモリバス、MCA（Micro  Channel  Architecture）バス、PCI（Peripheral  Component  Interconnect）バス、PCI-X（PCI-Express）バス、SATA（Serial  Advanced  Technology  Attachment）バス、VLB（Video  Electronics  Standard  Association  Local）バス、又は別の適切なバス或いは２以上のこれらの組み合わせを含む。バス１６１２は、必要に応じて、１以上のバス１６１２を含む。この開示は、特定のバスを記載及び図示しているが、この開示は、任意の適切なバス又はインターコネクトを想定している。
【０２６９】
ここで、コンピュータ読み取り可能な記録媒体に対する参照は、１以上の一時的又は一時的でない、有形のコンピュータ読み取り可能な媒体を有する構造を包含する。例として限定されるものではないが、コンピュータ読み取り可能な記録媒体は、必要に応じて、（例えばFPGA（Field  Programmable  Gate  Array）又はASIC（Application-Specific  IC）のような）半導体に基づいた又は他の集積回路（IC）、ハードディスク、HDD、ハイブリッドハードドライブ（HHD）、光ディスク、光ディスクドライブ（ODD）、光磁気ディスク、光磁気ドライブ、フロプティカルディスク、フロプティカルディスクドライブ（FDD）、磁気テープ、ホログラフィック記憶媒体、固定ドライブ（SSD）、RAMドライブ、SECURE  DIGITALカード、SECURE  DIGITALドライブ、又は別の適切なコンピュータ読み取り可能な記録媒体又は２以上のこれらの組み合わせを含む。ここで、コンピュータ読み取り可能な記録媒体に対する参照は、35U.S.C.§101の下での特許の保護についてふさわしくない任意の媒体を除く。ここで、コンピュータ読み取り可能な記録媒体は、35U.S.C.§101の下での特許の保護についてふさわしくない、（電気又は電磁信号を伝搬するような）信号伝送の一時的な形式を除く。コンピュータ読み取り可能な一時的でない記憶媒体は、必要に応じて、揮発性、不揮発性、又は、揮発性及び不揮発性の組み合わせである。
【０２７０】
この開示は、任意の適切なストレージを実現する１以上のコンピュータ読み取り可能な記憶媒体を想定している。特定の実施の形態では、コンピュータ読み取り可能な記憶媒体は、必要に応じて、（例えば１以上の内部レジスタ又はキャッシュのような）プロセッサ１６０２の１以上の部分、メモリ１６０４の１以上の部分、ストレージ１６０６の１以上の部分、又はこれらの組み合わせを実現する。特定の実施の形態では、コンピュータ読み取り可能な記録媒体は、RAM又はROMを実現する。特定の実施の形態では、コンピュータ読み取り可能な記録媒体は、揮発性又は持続性のあるメモリを実現する。特定の実施の形態では、１以上のコンピュータ読み取り可能な記録媒体は、ソフトウェアを実施する。ここで、ソフトウェアに対する参照は、必要に応じて、１以上のアプリケーション、バイトコード、１以上のコンピュータプログラム、１以上の実行ファイル、ロジック、マシンコード、１以上のスクリプト、又はソースコードを包含し、逆に、１以上のアプリケーション、バイトコード、１以上のコンピュータプログラム、１以上の実行ファイル、ロジック、マシンコード、１以上のスクリプト、又はソースコードに対する参照は、ソフトウェアを包含する。特定の実施の形態では、ソフトウェアは、１以上のアプリケーションプログラミングインタフェース（API）を含む。この開示は、任意の適切なプログラミング言語又はプログラミング言語の組み合わせで書かれた又はさもなければ表現された任意の適切なソフトウェアを想定している。特定の実施の形態では、ソフトウェアは、ソースコード又はオブジェクトコードとして表現される。特定の実施の形態では、ソフトウェアは、例えばC、Perl又はその適切な拡張のような高水準のプログラミング言語で表現される。特定の実施の形態では、ソフトウェアは、アセンブリ言語（又はマシンコード）のような低水準のプログラミング言語で表現される。特定の実施の形態では、ソフトウェアは、JAVA(登録商標)で表現される。特定の実施の形態では、ソフトウェアは、Hyper  Text  Markup  Language（HTML）、XML（Extensible  Markup  Language）、他の適切なマークアップ言語で表現される。
【０２７１】
図１７は、例示的なネットワーク環境１７００を示す。この開示は、任意の適切なネットワーク環境１７００を想定している。例として限定されるものではないが、この開示は、クライアント−サーバモデルを実現するネットワーク１７００を記載及び図示しているが、この開示は、必要に応じて、ピアツーピアであるネットワーク環境１７００の１以上の部分を想定している。特定の実施の形態は、１以上のネットワーク環境１７９９において部分的に又は全体的に動作する。特定の実施の形態では、ネットワーク環境１７００の１以上のエレメントは、本明細書で記載又は図示される機能を提供する。特定の実施の形態は、ネットワーク環境１７００の１以上の部分を含む。ネットワーク環境１７００は、１以上のサーバ１７２０及び１以上のクライアント１７３０を互いに結合するネットワーク１７１０を含む。この開示は、任意の適切なネットワーク１７１０を想定している。例として限定されるものではないが、ネットワーク１７１０の１以上の部分は、アドホックネットワーク、イントラネット、エクストラネットワーク、VPN（Virtual  Private  Network）、ローカルエリアネットワーク（LAN）、無線LAN（WLAN）、ワイドエリアネットワーク（WAN）、無線WAN（WWAN）、メトロポリタンエリアネットワーク（MAN）、インターネットの一部、公衆交換電話網（PSTN）の一部、携帯電話網、又は２以上のこれらの組み合わせを含む。ネットワーク１７１０は、１以上のネットワーク１７１０を含む。
【０２７２】
リンク１７５０は、サーバ１７２０及びクライアント１７３０をネットワーク１７１０に互いに接続する。この開示は、任意の適切なリンク１７５０を想定している。例として限定されるものではないが、１以上のリンク１７５０は、それぞれ、１以上のワイヤライン（例えばデジタル加入者回線（DSL）、DOCSIS（Data  Over  Cable  Service  Interface  Specification））、無線（例えばWi-Fi又はWiMAX（Worldwide  Interoperability  for  Microwave  Access））又は光（例えばSONET（Synchronous  Optical  Network）又はSDH（Synchronous  Digital  Hierarchy））のリンク１７５０をそれぞれ含む。特定の実施の形態では、１以上のリンク１７５０は、それぞれ、イントラネット、エクストラネット、VPN、LAN、WLAN、WAN、MAN、通信ネットワーク、衛星ネットワーク、インターネットの一部、又は別のリンク１７５０或いは２以上の係るリンク１７５０の組み合わせを含む。リンク１７５０は、ネットワーク環境１７００を通して同じである必要はない。１以上の第一のリンク１７５０は、１以上の第二のリンク１７５０とは１以上の観点で異なる。
【０２７３】
この開示は、任意の適切なサーバ１７２０を想定している。例として限定されるものではないが、１以上のサーバ１７２０は、１以上の広告サーバ、アプリケーションサーバ、カタログサーバ、通信サーバ、データベースサーバ、交換サーバ、ファックスサーバ、ファイルサーバ、ゲームサーバ、ホームサーバ、メールサーバ、メッセージサーバ、ニュースサーバ、ネーム又はDNSサーバ、プリントサーバ、プロキシサーバ、サウンドサーバ、スタンドアロンサーバ、ウェブサーバ、又はウェブフィードサーバをそれぞれ含む。特定の実施の形態では、サーバ１７２０は、サーバ１７２０の機能を提供するハードウェア、ソフトウェア又はこれらの両者を含む。例として限定されるものではないが、ウェブサーバとして動作するサーバ１７２０は、ウェブページ又はウェブページのエレメントを含むウェブサイトを主催することができ、主催するための適切なハードウェア、ソフトウェア又はこれらの両者を含む。特定の実施の形態では、ウェブサーバは、HTML又は他の適切なファイルを収容するか、又は要求に応じてウェブページのファイルを動的に作成又は構成する。クライアント１７３０からのHTTP（Hypertext  Transfer  Protocol）又は他の要求に応答して、ウェブサーバ１７３０は、１以上の係るファイルをクライアント１７３０に伝達する。別の例として、メールサーバとして動作するサーバ１７２０は、１以上のクライアント１７３０に電子メールサービスを提供することができる。別の例として、データベースサーバとして動作するサーバ１７２０は、（例えば以下に記載されるデータストア１７４０のような）１以上のデータストアと相互作用するインタフェースを提供することができる。必要に応じて、サーバ１７２０は、単一又は分散されるか、複数の位置にわたるか、複数のマシンにわたるか、複数のデータセンタにわたるか、又は、１以上のネットワークにおける１以上のクラウドコンポーネントを含むクラウドにある、１以上のサーバ１７２０を含む。
【０２７４】
特定の実施の形態では、１以上のリンク１７５０は、１以上のデータストア１７４０にサーバ１７２０を結合する。データストア１７４０は、任意の適切な情報を記憶し、データストア１７４０のコンテンツは、任意の適切なやり方で編成される。例として限定されるものではないが、データストア１７４０のコンテンツは、次元、フラット、階層的、ネットワーク、オブジェクト指向、リレーショナル、XML、又は他の適切なデータベース或いは２以上のこれらの組み合わせとして記憶される。データストア１７４０（又はデータストアに結合されるサーバ１７２０）は、データストア１７４０のコンテンツを管理するためにデータベース管理システム、或いは他のハードウェア又はソフトウェアを含むデータベース管理システムは、読み取り及び書込み動作を行い、データを削除又は消去し、データの重複除外を行い、データストア１７４０のコンテンツの問合せ又はサーチ、又はデータストア１７４０への他のアクセスの提供を行う。
【０２７５】
特定の実施の形態では、１以上のサーバ１７２０は、１以上のサーチエンジン１７２２をそれぞれ含む。サーチエンジン１７２２は、サーチエンジン１７２２の機能を提供するハードウェア、ソフトウェア又はこれらの両者を含む。例として限定されるものではないが、サーチエンジン１７２２は、サーチエンジン１７２２で受信されたサーチ問合せに応答して、ネットワークリソースを識別する１以上のサーチアルゴリズム、識別されたネットワークリソースをランク付けする１以上のランキングアルゴリズム、又は、識別されたネットワークリソースを要約する１以上の要約アルゴリズムを実現する。特定の実施の形態では、サーチエンジン１７２２により実現されるランク付けアルゴリズムは、マシンラーニングランキングフォーミュラを使用し、このランキングアルゴリズムは、必要に応じて、サーチ問合せから構築されたトレーニングデータと、選択されたURL（Uniform  Resource  Locators）とのセットから取得する。
【０２７６】
特定の実施の形態では、１以上のサーバ１７２０は、１以上のデータモニタ／コレクタ１７２４をそれぞれ含む。データモニタ／コレクタ１７２４は、データモニタ／コレクタ１７２４の機能を提供するハードウェア、ソフトウェア又はこれらの両者を含む。例として限定されるものではないが、サーバ１７２０でのデータモニタ／コレクタ１７２４は、サーバ１７２０でのネットワーク−トラフィックデータを監視及び収集し、１以上のデータストア１７４０におけるネットワーク−トラフィックデータを記憶する。特定の実施の形態では、サーバ１７２０及び別の装置は、必要に応じて、ネットワーク−トラフィックデータからサーチ問合せ及び選択されたURLのペアを抽出する。
【０２７７】
この開示は、任意の適切なクライアント１７３０を想定している。クライアント１７３０は、クライアント１７３０のユーザが、ネットワーク１７１０、サーバ１７２０又は他のクライアント１７３０にアクセス又はさもなければ通信するのを可能にする。例として限定されるものではないが。クライアント１７３０は、MICROSOFT  INTERNET  EXPLORER又はMOZILLA  FIREFOXのようなウェブブラウザを有し、１以上のアッドオン、プラグイン、又はGOOGLE  TOOLBAR又はYAHOO  TOOLBARのような他の拡張を有する。クライアント１７３０は、クライアント１７３０の機能を提供するハードウェア、ソフトウェア又はこれらの両者を含む電子装置である。例として限定されるものではないが、クライアント１７３０は、必要に応じて、埋め込みコンピュータシステム、SOC、SBC（例えばCOM又はSOM）、デスクトップコンピュータシステム、ラップトップ又はノートブックコンピュータシステム、インタラクティブキオスク、メインフレーム、コンピュータシステムのメッシュ、携帯電話、PDA、ノートブックコンピュータシステム、サーバ、タブレット型コンピュータシステム、又は２以上のこれらの組み合わせである。必要に応じて、クライアント１７３０は、単一又は分散されるか、複数の位置に及ぶか、複数のマシンに及ぶか、複数のデータセンタに及ぶか、又は、１以上のネットワークにおける１以上クラウドコンポーネントを含むクラウドにある、１以上のクライアント１７３０を含む。
【０２７８】
［雑則］
本明細書において、「又は“or”」は、明示的に示されないか又は文脈により示されない限り包含的であり、排他的ではない。従って、本明細書において「A又はB」は、明示的に示されないか又は文脈により示されない限り「A、B又はこれらの両者」を示す。さらに、「及び“and”」は、明示的に示されないか又は文脈により示されない限り、結合及び個別の両者である。従って、本明細書において「A及びB」は、明示的に示されないか又は文脈により示されない限り、「A及びB、結合して又は個別に」を意味する。更に、冠詞“a”、“an”又は“the”は、明示的に示されないか又は文脈により示されない限り「１以上」を意味する。従って、本明細書では、“an  A”又は“the  A”は、明示的に示されないか又は文脈により示されない限り「１以上のA」を意味する。この開示は、全ての交換、置換え、変形、変更及び改良を包含する。同様に、必要に応じて、特許請求の範囲は、当業者であれば理解するであろう例示的な実施の形態に対する全ての交換、置換え、変形、変更及び改良を包含する。さらに、この開示は、当業者であれば容易に理解するであろう他の例示的な実施の形態の１以上の機能と、任意の例示的な実施の形態からの１以上の機能との任意の適切な組み合わせを包含する。さらに、特許請求の範囲における、特定の機能を実行するように調整される、構成される、可能である、設定される、可能にされる、動作する装置又はシステム或いは装置又はシステムのコンポーネントに対する参照は、装置、システム又はコンポーネントがそのように調整されるか、構成されるか、可能であるか、設定されるか、可能とされるか又は動作する限り、特定の機能が作動されるか否かに係らず、その装置、システム又はコンポーネントを包含する。
【０２７９】
［参考文献］
1.  Albrecht,  P.,  &  Cohen,  R.  J.  (1988).  Estimation  of  heart  rate  power  spectrum  bands  from  real-world  data.  In  Proceedings  of  computers  in  cardiology  1988  (pp.  311-314).  IEEE
2.  Bernardi,  L.,  Wdowczy-Szulc,  J.,  C.,  castoldi,  S.,  Passino,  C.,  Spadacini,  G.,  et  al.  (2000  May).  Effects  of  controlled  breathing,  metal  activity  and  mental  stress  with  or  without  verbalization  on  heart  rate  variability.  J.  Am.  Coll.  Cardiol.,  35,  1462-1469.
3.  Bigger,  J.  T.,  Jr.,  Fleiss,  J.  L.,  Steinman,  R.  C.,  Rolnitzky,  L.  M.,  Kleiger,  R.  E.,  &  Rottman,  J.  N.  (1922).  Frequency  domain  measure  of  heart  period  variability  and  mortality  after  myocardial  infarction.  Circulation,  85,  164-171.  Available  from  http://circ.ahajournals.org/cgi/reprint/85/1/164.
4.  Clifford,  G.  D.  (2002).  Signal  processing  methods  for  heart  rate  variability.  Unpublished  doctoral  dissertation.
5.  Dikecligil,  G.  N.,  &  Mujica-Parodi,  L.  R.  (2010,  Jun).  Ambulatory  and  challenge-associated  heart  rate  variability  measures  predict  cardiac  responses  to  real-world  acute  emotional  stress.  Biol.  Psychiatry,  67,  1185-1190.
6.  Egelund,  N.  (1982,  Jul).  Spectral  analysis  of  heart  rate  variability  as  an  indicator  of  driver  fatigue.  Ergonomics,  25,  663-572.
7.  Filaire,  E.,  Portier,  H.,  Massart,  A.,  Ramat,  L.,  &  Teixeira,  A.  (2010,  Mar).  Effect  of  lecturing  to  200  students  on  heart  rate  variability  and  alpha-amylase  activity.  Eur.  J.  Appl.  Physiol.,  108,  1035-1043.
8.  Hjortskov,  N.,  Rissen,  D.,  Blangsted,  A.  K.,  Fallentin,  N.,  Lundberg,  U.,  &  Sogaard,  K.  (2004,  Jun).  The  effect  of  metal  stress  on  heart  rate  variability  and  blood  pressure  during  computer  work.  Eur.  J.  Appl.  Physiol.,  92,  84-89.
9.  langelotz,  C.,  Scharfenberg,  M.,  Haase,  O.,  &  Schwenk,  W.  (2008,  Aug).  Stress  and  heart  rate  variability  in  surgeons  during  a  24-hour  shift.  Arch  Surg,  143,  751-755.
10.  Pagani,  M.,  Lombardi,  F.,  Guzzetti,  Rimoldi,  O.,  Furlan,  R.,  Pzzinelli,  P.,  et  al.  (1986).  Power  spectral  analysis  of  heart  rate  and  arterial  pressure  variables  as  marker  of  sympathovagal  iteraction  in  man  and  sonscious  dog.  Circulation  Research.,  59,  178-193.  Available  from  http://circres.ahajournals.org/cgi/content/short/59/2/178.
11.  Parati,  G.,  Saul,  J.  P.,  Reinzo,  M.  D.,  &  Mancia,  G.  (1995).  Spectral  analysis  of  blood  pressure  and  heart  rate  variability  in  evaluating  cardiovascular  regulation.  Hypertension,  25,  1276-1286.  Available  from  http://hyper.ahajournals.org/cgi/content/ful/25/6/1276.
12.  Rottman,  J.  N.,  Steinman,  R.  C.,  Albrecht,  P.,  Bigger,  J.  T.,  Jr.,  Rolnitzky,  L.  M.,  &  Freiss,  J.  L.  (1990).  Efficient  estimation  of  the  heart  period  power  spectrum  suitable  for  physiologic  or  pharmacologic  studies.  American  Journlsof  Cardiology,  66(20),  1522-1524.
13.  Russoniello,  C.  V.,  O’Brien,  K.,  &  Parks,  J.  M.  (2009).  EEG,  HRV  and  psychological  correlates  while  playing  Bejeweled  II:  A  randomized  controlled  study.  Stud  health  Technol  Inform,  144,  189-92.  Available  from  http://www.biomedsearch.com/nih/EEG-HRV-Psychological-Correlates-while/19592761.html.
14.  Salahunddin,  L.,  &  Kim,  D.  (2006).  Detection  of  acute  stressby  heart  rate  variability  using  a  prototype  mobile  ECG  sensor.  Hybrid  Information  Technology,  International  Conference  on  2,  453-459.
15.  vempati,  R.  P.,  &  Telles,  S.  (2000).  Baseline  occupational  stress  levels  and  physiological  responses  to  a  two  day  stress  management  program.  Journal  of  Indian  Psychology,  18(1),  33-37.
16.  Wikipedia.  (2010).  Automatic  nervous  system  −  Wikipedia,  the  free  encyclopedia.  Available  from  http://en.wikipedia.org/wiki/Autonomic  nervous  system.
17.  Wikipedia.  (2010).  Kidney  −  Wikipedia,  the  free  encyclopedia.  Available  from  http://en.wikipedia.org/wiki/kidney.
18.  Yang,  H.  K.,  Lee,  J.W.,  Lee,  K.  H.,  Lee,  J.  J.,  Kim,  K.  S.,  Choi,  H.  J.,  et  al.  (2008).  Application  for  the  wearable  heart  activity  monitoring  system:  analysis  of  the  autonomic  function  of  HRV.  Conf  Proc  IEEE  Eng  Med  Biol  Soc,  2008,  1258-1261.
本明細書で引用される全ての特許及び文献は、その完全な形で本明細書に盛り込まれる。
【０２８０】
以下、本発明の特徴を付記として示す。
（付記）
（付記１）
１以上のコンピューティング装置による方法であって、
環境センサと、ムードセンサ、心拍モニタ、血圧モニタ、パルス酸素濃度計又は加速度計のうちの１以上とを含む複数のセンサからの１以上のデータストリームであって、前記環境センサからの環境に関するデータと、前記ムードセンサからの人のムードに関するデータ、前記心拍モニタからの人の心拍データ、前記血圧モニタからの人の血圧データ、前記パルス酸素濃度計からの人のパルス酸素濃度データ又は前記加速度計からの人の加速度データのうちの１以上とを含む１以上のデータストリームにアクセスするステップと、前記１以上のデータストリームからの第一のデータセットは、第一の時間で収集され、前記第一のデータセットにおける前記環境に関するデータは、第一の時間での第一の状態を示し、前記１以上のデータストリームからの第二のデータセットは、第二の時間で収集され、前記第二のデータセットにおける前記環境に関するデータは、第二の時間での第二の状態を示し、
前記第一のデータセットと前記第二のデータセットとを互いに関して分析するステップと、
前記第一のデータセットと前記第二のデータセットとの互いに関する分析に基づいて、人の現在のストレス指数を決定するステップと、
を含む方法。
（付記２）
前記第一のデータセットと前記第二のデータセットとを互いに関して分析するステップは、前記人のムードに関するデータ、前記人の心拍データ、前記人の血圧データ、前記パルス酸素濃度データ又は前記人の加速度データのうちの１以上を、前記環境に関するデータの文脈に当てはめることを含む、
付記１記載の方法。
（付記３）
前記環境センサは、気圧計、気象センサ、花粉カウンタ、位置センサ、地震計、高度計、比重計、デシベル計、露出計、温度計、風センサ及び交通センサからなるグループから選択される、
付記１記載の方法。
（付記４）
前記環境センサは、データフィードである、
付記１記載の方法。
（付記５）
前記データフィードは、株式市場のティッカー、天気予報、ニュースフィード、最新の交通情報、公衆衛生の掲示、電子カレンダー、及び社会ネットワークのニュースフィードからなるグループから選択される、
付記４記載の方法。
（付記６）
前記人の現在のストレス指数に先行する人の前のストレス指数にアクセスするステップと、
前記人の現在のストレス指数と前記人の前のストレス指数とを互いに関して分析するステップと、
前記人の現在のストレス指数と前記人の前のストレス指数との互いに関する分析に基づいて、人のストレス指数において変化があるかを判定するステップと、
を更に含む付記１記載の方法。
（付記７）
前記複数のセンサのうちの１以上は、人の体に固定される、
付記１記載の方法。
（付記８）
人のストレスモデルにアクセスするステップを更に含み、
前記人の現在のストレス指数を決定するステップは、前記ストレスモデルに関する前記第一のデータセットと前記第二のデータセットとの分析に更に基づく、
付記１記載の方法。
（付記９）
前記人のストレスモデルは、基準となる人の腎臓のドップラデータと、基準となる環境に関するデータと、前記基準となる人のムードに関するデータ、基準となる人の心拍データ、基準となる人の血圧データ、基準となる人のパルス酸素濃度データ又は基準となる人の加速度データのうちの１以上とを含む、
付記８記載の方法。
（付記１０）
前記人のストレスモデルは、前記環境に関するデータと、前記人のムードに関するデータ、前記人の心拍データ、前記人の血圧データ、前記人のパルス酸素濃度データ又は前記人の加速度データのうちの１以上とに基づく複数の変数を含むアルゴリズムを有する、
付記８記載の方法。
（付記１１）
前記人のストレスモデルは、患者のサブセットのストレスモデルであり、基準となる患者のサブセットのデータを含み、
前記人と前記患者のサブセットは、特定の際立った特徴を共有する、
付記８記載の方法。
（付記１２）
第一の時間で、前記人は特定のストレス要因に晒され、
第二の時間で、前記人は前記特定のストレス要因にされされない、
付記１記載の方法。
（付記１３）
第一の時間で、前記人は十分にストレスを受けており、
第二の時間で、前記人は実質的にストレスを受けていない、
付記１記載の方法。
（付記１４）
第一の時間で、前記人は第一のアクティビティに従事しており、
第二の時間で、前記人は第二のアクティビティに従事している、
付記１記載の方法。
（付記１５）
前記複数のセンサは、行動センサを更に備え、
前記１以上のデータストリームは、前記行動センサからの人の行動に関するデータを更に含む、
付記１記載の方法。
（付記１６）
前記複数のセンサは、心電計を更に備え、
前記１以上のデータストリームは、前記心電計からの人の心電図のデータを更に含む、
付記１記載の方法。
（付記１７）
前記複数のセンサは、グルココルチコイドメータを更に含み、
前記１以上のデータストリームは、前記グルココルチコイドメータからの人のグルココルチコイドデータを更に含む、
付記１記載の方法。
（付記１８）
前記複数のセンサは、筋電計を更に含み、
前記１以上のデータストリームは、前記筋電計からの人の筋電図のデータを更に含む、
付記１記載の方法。
（付記１９）
前記複数のセンサは、呼吸センサを更に含み、
前記１以上のデータストリームは、前記呼吸センサからの人の呼吸に関するデータを更に含む、
付記１記載の方法。
（付記２０）
前記複数のセンサは、電気皮膚反応センサを更に含み、
前記１以上のデータストリームは、前記電気皮膚反応センサからの人の電気皮膚反応データを更に含む、
付記１記載の方法。
（付記２１）
１以上のプロセッサと、前記１以上のプロセッサに結合され、前記１以上のプロセッサにより実行可能な命令を記憶するメモリとを備える装置であって、
前記１以上のプロセッサは、前記命令を実行したとき、
環境センサと、ムードセンサ、心拍モニタ、血圧モニタ、パルス酸素濃度計又は加速度計のうちの１以上とを含む複数のセンサからの１以上のデータストリームであって、前記環境センサからの環境に関するデータと、前記ムードセンサからの人のムードに関するデータ、前記心拍モニタからの人の心拍データ、前記血圧モニタからの人の血圧データ、前記パルス酸素濃度計からの人のパルス酸素濃度データ又は前記加速度計からの人の加速度データのうちの１以上とを含む１以上のデータストリームにアクセスし、前記１以上のデータストリームからの第一のデータセットは、第一の時間で収集され、前記第一のデータセットにおける前記環境に関するデータは、第一の時間での第一の状態を示し、前記１以上のデータストリームからの第二のデータセットは、第二の時間で収集され、前記第二のデータセットにおける前記環境に関するデータは、第二の時間での第二の状態を示し、
前記第一のデータセットと前記第二のデータセットとを互いに関して分析し、
前記第一のデータセットと前記第二のデータセットとの互いに関する分析に基づいて、人の現在のストレス指数を決定する、装置。
（付記２２）
前記第一のデータセットと前記第二のデータセットとを互いに関して分析することは、前記人のムードに関するデータ、前記人の心拍データ、前記人の血圧データ、前記パルス酸素濃度データ又は前記人の加速度データのうちの１以上を、前記環境に関するデータの文脈に当てはめることを含む、
付記２１記載の装置。
（付記２３）
前記環境センサは、気圧計、気象センサ、花粉カウンタ、位置センサ、地震計、高度計、比重計、デシベル計、露出計、温度計、風センサ及び交通センサからなるグループから選択される、
付記２１記載の装置。
（付記２４）
前記環境センサは、データフィードである、
付記２１記載の装置。
（付記２５）
前記データフィードは、株式市場のティッカー、天気予報、ニュースフィード、最新の交通情報、公衆衛生の掲示、電子カレンダー、及び社会ネットワークのニュースフィードからなるグループから選択される、
付記２４記載の装置。
（付記２６）
前記１以上のプロセッサは、前記命令を実行したときに、さらに、
前記人の現在のストレス指数に先行する人の前のストレス指数にアクセスし、
前記人の現在のストレス指数と前記人の前のストレス指数とを互いに関して分析し、
前記人の現在のストレス指数と前記人の前のストレス指数との互いに関する分析に基づいて、人のストレス指数において変化があるかを判定する、
付記２１記載の装置。
（付記２７）
前記複数のセンサのうちの１以上は、人の体に固定される、
付記２１記載の装置。
（付記２８）
前記１以上のプロセッサは、前記命令を実行したときに、さらに、人のストレスモデルにアクセスし、
前記人の現在のストレス指数を決定することは、前記ストレスモデルに関する前記第一のデータセットと前記第二のデータセットとの分析に更に基づく、
付記２１記載の装置。
（付記２９）
前記人のストレスモデルは、基準となる人の腎臓のドップラデータと、基準となる環境に関するデータと、前記基準となる人のムードに関するデータ、基準となる人の心拍データ、基準となる人の血圧データ、基準となる人のパルス酸素濃度データ又は基準となる人の加速度データのうちの１以上とを含む、
付記２８記載の装置。
（付記３０）
前記人のストレスモデルは、前記環境に関するデータと、前記人のムードに関するデータ、前記人の心拍データ、前記人の血圧データ、前記人のパルス酸素濃度データ又は前記人の加速度データのうちの１以上とに基づく複数の変数を含むアルゴリズムを有する、
付記２８記載の装置。
（付記３１）
前記人のストレスモデルは、患者のサブセットのストレスモデルであり、基準となる患者のサブセットのデータを含み、
前記人と前記患者のサブセットは、特定の際立った特徴を共有する、
付記２８記載の装置。
（付記３２）
第一の時間で、前記人は特定のストレス要因に晒され、
第二の時間で、前記人は前記特定のストレス要因に晒されない、
付記２１記載の装置。
（付記３３）
第一の時間で、前記人は十分にストレスを受けており、
第二の時間で、前記人は実質的にストレスを受けていない、
付記２１記載の装置。
（付記３４）
第一の時間で、前記人は第一のアクティビティに従事しており、
第二の時間で、前記人は第二のアクティビティに従事している、
付記２１記載の装置。
（付記３５）
前記複数のセンサは、行動センサを更に備え、
前記１以上のデータストリームは、前記行動センサからの人の行動に関するデータを更に含む、
付記２１記載の装置。
（付記３６）
前記複数のセンサは、心電計を更に備え、
前記１以上のデータストリームは、前記心電計からの人の心電図のデータを更に含む、
付記２１記載の装置。
（付記３７）
前記複数のセンサは、グルココルチコイドメータを更に含み、
前記１以上のデータストリームは、前記グルココルチコイドメータからの人のグルココルチコイドデータを更に含む、
付記２１記載の装置。
（付記３８）
前記複数のセンサは、筋電計を更に含み、
前記１以上のデータストリームは、前記筋電計からの人の筋電図のデータを更に含む、
付記２１記載の装置。
（付記３９）
前記複数のセンサは、呼吸センサを更に含み、
前記１以上のデータストリームは、前記呼吸センサからの人の呼吸に関するデータを更に含む、
付記２１記載の装置。
（付記４０）
前記複数のセンサは、電気皮膚反応センサを更に含み、
前記１以上のデータストリームは、前記電気皮膚反応センサからの人の電気皮膚反応データを更に含む、
付記２１記載の装置。
（付記４１）
コンピュータに、
環境センサと、ムードセンサ、心拍モニタ、血圧モニタ、パルス酸素濃度計又は加速度計のうちの１以上とを含む複数のセンサからの１以上のデータストリームであって、前記環境センサからの環境に関するデータと、前記ムードセンサからの人のムードに関するデータ、前記心拍モニタからの人の心拍データ、前記血圧モニタからの人の血圧データ、前記パルス酸素濃度計からの人のパルス酸素濃度データ又は前記加速度計からの人の加速度データのうちの１以上とを含む１以上のデータストリームにアクセスするステップと、前記１以上のデータストリームからの第一のデータセットは、第一の時間で収集され、前記第一のデータセットにおける前記環境に関するデータは、第一の時間での第一の状態を示し、前記１以上のデータストリームからの第二のデータセットは、第二の時間で収集され、前記第二のデータセットにおける前記環境に関するデータは、第二の時間での第二の状態を示し、
前記第一のデータセットと前記第二のデータセットとを互いに関して分析するステップと、
前記第一のデータセットと前記第二のデータセットとの互いに関する分析に基づいて、人の現在のストレス指数を決定するステップと、
を含む方法を実行させるプログラムを記録したコンピュータ読取り可能な記録媒体。
（付記４２）
前記第一のデータセットと前記第二のデータセットとを互いに関して分析するステップは、前記人のムードに関するデータ、前記人の心拍データ、前記人の血圧データ、前記パルス酸素濃度データ又は前記人の加速度データのうちの１以上を、前記環境に関するデータの文脈に当てはめることを含む、
付記４１記載のコンピュータ読取り可能な記録媒体。
（付記４３）
前記環境センサは、気圧計、気象センサ、花粉カウンタ、位置センサ、地震計、高度計、比重計、デシベル計、露出計、温度計、風センサ及び交通センサからなるグループから選択される、
付記４１記載のコンピュータ読取り可能な記録媒体。
（付記４４）
前記環境センサは、データフィードである、
付記４１記載のコンピュータ読取り可能な記録媒体。
（付記４５）
前記データフィードは、株式市場のティッカー、天気予報、ニュースフィード、最新の交通情報、公衆衛生の掲示、電子カレンダー、及び社会ネットワークのニュースフィードからなるグループから選択される、
付記４４記載のコンピュータ読取り可能な記録媒体。
（付記４６）
前記方法は、
前記人の現在のストレス指数に先行する人の前のストレス指数にアクセスするステップと、
前記人の現在のストレス指数と前記人の前のストレス指数とを互いに関して分析するステップと、
前記人の現在のストレス指数と前記人の前のストレス指数との互いに関する分析に基づいて、人のストレス指数において変化があるかを判定するステップと、
を更に含む付記４１記載のコンピュータ読取り可能な記録媒体。
（付記４７）
前記複数のセンサのうちの１以上は、人の体に固定される、
付記４１記載のコンピュータ読取り可能な記録媒体。
（付記４８）
人のストレスモデルにアクセスするステップを更に含み、
前記人の現在のストレス指数を決定するステップは、前記ストレスモデルに関する前記第一のデータセットと前記第二のデータセットとの分析に更に基づく、
付記４１記載のコンピュータ読取り可能な記録媒体。
（付記４９）
前記人のストレスモデルは、基準となる人の腎臓のドップラデータと、基準となる環境に関するデータと、前記基準となる人のムードに関するデータ、基準となる人の心拍データ、基準となる人の血圧データ、基準となる人のパルス酸素濃度データ又は基準となる人の加速度データのうちの１以上とを含む、
付記４８記載のコンピュータ読取り可能な記録媒体。
（付記５０）
前記人のストレスモデルは、前記環境に関するデータと、前記人のムードに関するデータ、前記人の心拍データ、前記人の血圧データ、前記人のパルス酸素濃度データ又は前記人の加速度データのうちの１以上とに基づく複数の変数を含むアルゴリズムを有する、
付記４８記載のコンピュータ読取り可能な記録媒体。
（付記５１）
前記人のストレスモデルは、患者のサブセットのストレスモデルであり、基準となる患者のサブセットのデータを含み、
前記人と前記患者のサブセットは、特定の際立った特徴を共有する、
付記４８記載のコンピュータ読取り可能な記録媒体。
（付記５２）
第一の時間で、前記人は特定のストレス要因に晒され、
第二の時間で、前記人は前記特定のストレス要因にされされない、
付記４１記載のコンピュータ読取り可能な記録媒体。
（付記５３）
第一の時間で、前記人は十分にストレスを受けており、
第二の時間で、前記人は実質的にストレスを受けていない、
付記４１記載のコンピュータ読取り可能な記録媒体。
（付記５４）
第一の時間で、前記人は第一のアクティビティに従事しており、
第二の時間で、前記人は第二のアクティビティに従事している、
付記４１記載のコンピュータ読取り可能な記録媒体。
（付記５５）
前記複数のセンサは、行動センサを更に備え、
前記１以上のデータストリームは、前記行動センサからの人の行動に関するデータを更に含む、
付記４１記載のコンピュータ読取り可能な記録媒体。
（付記５６）
前記複数のセンサは、心電計を更に備え、
前記１以上のデータストリームは、前記心電計からの人の心電図のデータを更に含む、
付記４１記載のコンピュータ読取り可能な記録媒体。
（付記５７）
前記複数のセンサは、グルココルチコイドメータを更に含み、
前記１以上のデータストリームは、前記グルココルチコイドメータからの人のグルココルチコイドデータを更に含む、
付記４１記載のコンピュータ読取り可能な記録媒体。
（付記５８）
前記複数のセンサは、筋電計を更に含み、
前記１以上のデータストリームは、前記筋電計からの人の筋電図のデータを更に含む、
付記４１記載のコンピュータ読取り可能な記録媒体。
（付記５９）
前記複数のセンサは、呼吸センサを更に含み、
前記１以上のデータストリームは、前記呼吸センサからの人の呼吸に関するデータを更に含む、
付記４１記載のコンピュータ読取り可能な記録媒体。
（付記６０）
前記複数のセンサは、電気皮膚反応センサを更に含み、
前記１以上のデータストリームは、前記電気皮膚反応センサからの人の電気皮膚反応データを更に含む、
付記４１記載のコンピュータ読取り可能な記録媒体。
（付記６１）
環境センサと、ムードセンサ、心拍モニタ、血圧モニタ、パルス酸素濃度計又は加速度計のうちの１以上とを含む複数のセンサからの１以上のデータストリームであって、前記環境センサからの環境に関するデータと、前記ムードセンサからの人のムードに関するデータ、前記心拍モニタからの人の心拍データ、前記血圧モニタからの人の血圧データ、前記パルス酸素濃度計からの人のパルス酸素濃度データ又は前記加速度計からの人の加速度データのうちの１以上とを含む１以上のデータストリームにアクセスする手段と、前記１以上のデータストリームからの第一のデータセットは、第一の時間で収集され、前記第一のデータセットにおける前記環境に関するデータは、第一の時間での第一の状態を示し、前記１以上のデータストリームからの第二のデータセットは、第二の時間で収集され、前記第二のデータセットにおける前記環境に関するデータは、第二の時間での第二の状態を示し、
前記第一のデータセットと前記第二のデータセットとを互いに関して分析する手段と、
前記第一のデータセットと前記第二のデータセットとの互いに関する分析に基づいて、人の現在のストレス指数を決定する手段と、
を備えるシステム。
（付記６２）
前記第一のデータセットと前記第二のデータセットとを互いに関して分析するステップは、前記人のムードに関するデータ、前記人の心拍データ、前記人の血圧データ、前記パルス酸素濃度データ又は前記人の加速度データのうちの１以上を、前記環境に関するデータの文脈に当てはめることを含む、
付記６１記載のシステム。
（付記６３）
前記環境センサは、気圧計、気象センサ、花粉カウンタ、位置センサ、地震計、高度計、比重計、デシベル計、露出計、温度計、風センサ及び交通センサからなるグループから選択される、
付記６１記載のシステム。
（付記６４）
前記環境センサは、データフィードである、
付記６１記載のシステム。
（付記６５）
前記データフィードは、株式市場のティッカー、天気予報、ニュースフィード、最新の交通情報、公衆衛生の掲示、電子カレンダー、及び社会ネットワークのニュースフィードからなるグループから選択される、
付記６４記載のシステム。
（付記６６）
前記人の現在のストレス指数に先行する人の前のストレス指数にアクセスするステップと、
前記人の現在のストレス指数と前記人の前のストレス指数とを互いに関して分析するステップと、
前記人の現在のストレス指数と前記人の前のストレス指数との互いに関する分析に基づいて、人のストレス指数において変化があるかを判定するステップと、
を更に含む付記６１記載のシステム。
（付記６７）
前記複数のセンサのうちの１以上は、人の体に固定される、
付記６１記載のシステム。
（付記６８）
人のストレスモデルにアクセスするステップを更に含み、
前記人の現在のストレス指数を決定するステップは、前記ストレスモデルに関する前記第一のデータセットと前記第二のデータセットとの分析に更に基づく、
付記６１記載のシステム。
（付記６９）
前記人のストレスモデルは、基準となる人の腎臓のドップラデータと、基準となる環境に関するデータと、前記基準となる人のムードに関するデータ、基準となる人の心拍データ、基準となる人の血圧データ、基準となる人のパルス酸素濃度データ又は基準となる人の加速度データのうちの１以上とを含む、
付記６８記載のシステム。
（付記７０）
前記人のストレスモデルは、前記環境に関するデータと、前記人のムードに関するデータ、前記人の心拍データ、前記人の血圧データ、前記人のパルス酸素濃度データ又は前記人の加速度データのうちの１以上とに基づく複数の変数を含むアルゴリズムを有する、
付記６８記載のシステム。
（付記７１）
前記人のストレスモデルは、患者のサブセットのストレスモデルであり、基準となる患者のサブセットのデータを含み、
前記人と前記患者のサブセットは、特定の際立った特徴を共有する、
付記６８記載のシステム。
（付記７２）
第一の時間で、前記人は特定のストレス要因に晒され、
第二の時間で、前記人は前記特定のストレス要因にされされない、
付記６１記載のシステム。
（付記７３）
第一の時間で、前記人は十分にストレスを受けており、
第二の時間で、前記人は実質的にストレスを受けていない、
付記６１記載のシステム。
（付記７４）
第一の時間で、前記人は第一のアクティビティに従事しており、
第二の時間で、前記人は第二のアクティビティに従事している、
付記６１記載のシステム。
（付記７５）
前記複数のセンサは、行動センサを更に備え、
前記１以上のデータストリームは、前記行動センサからの人の行動に関するデータを更に含む、
付記６１記載のシステム。
（付記７６）
前記複数のセンサは、心電計を更に備え、
前記１以上のデータストリームは、前記心電計からの人の心電図のデータを更に含む、
付記６１記載のシステム。
（付記７７）
前記複数のセンサは、グルココルチコイドメータを更に含み、
前記１以上のデータストリームは、前記グルココルチコイドメータからの人のグルココルチコイドデータを更に含む、
付記６１記載のシステム。
（付記７８）
前記複数のセンサは、筋電計を更に含み、
前記１以上のデータストリームは、前記筋電計からの人の筋電図のデータを更に含む、
付記６１記載のシステム。
（付記７９）
前記複数のセンサは、呼吸センサを更に含み、
前記１以上のデータストリームは、前記呼吸センサからの人の呼吸に関するデータを更に含む、
付記６１記載のシステム。
（付記８０）
前記複数のセンサは、電気皮膚反応センサを更に含み、
前記１以上のデータストリームは、前記電気皮膚反応センサからの人の電気皮膚反応データを更に含む、
付記６１記載のシステム。
【符号の説明】
【０２８１】
１００：センサネットワーク
１１２：センサ
１１４：ノード
１１６：コネクション
１２０，１３０：ローカル
１４０，１５０：リモート
１６０：ネットワーク
１８０：分析システム
１９０：ディスプレイシステム
【図１】
0005958064.tif 000021
【図２Ａ】
0005958064.tif 000022
【図２Ｂ】
0005958064.tif 000023
【図３】
0005958064.tif 000024
【図４】
0005958064.tif 000025
【図５】
0005958064.tif 000026
【図６Ａ】
0005958064.tif 000027
【図６Ｂ】
0005958064.tif 000028
【図７Ａ】
0005958064.tif 000029
【図７Ｂ】
0005958064.tif 000030
【図８】
0005958064.tif 000031
【図９】
0005958064.tif 000032
【図１０】
0005958064.tif 000033
【図１１】
0005958064.tif 000034
【図１２】
0005958064.tif 000035
【図１３】
0005958064.tif 000036
【図１４】
0005958064.tif 000037
【図１５】
0005958064.tif 000038
【図１６】
0005958064.tif 000039
【図１７】
0005958064.tif 000040